(57)【要約】【課題】宇宙に於いて、時間と空間と質量エネルギーと密度と引力と物と物の間の引力はどのように変化するか。これはアインシュタインの相対性理論です。【解決手段】質量＝9.628×10-41Jm÷軌道、の式を得たが、これは正しいか。ブラックホールの場で考えたが、質量普遍の法則は正しい。9.628×10-41Jm÷軌道(m)＝Jで、この式はエネルギーの式です。軌道によりエネルギーは異なる。宇宙の時間と空間と質量エネルギーと密度と引力と物と物の間の引力はどのように変化するかを計算する。ブラックホールの中性子が1秒間に作る磁気の光子のエネルギーは1.001×10-6Jで、地表の引力の6.071×1033倍です。10ｎ太陽質量のブラックホールは、1秒間に、10-6J×太陽の原子数×10ｎ、の電気の光子と磁気の光子を作る。ブラックホールのジェットはこの電気の光子ででき、引力と重力波はこの磁気の光子でできる。【選択図】図２
2018064437.tif 000002
【特許請求の範囲】
【請求項１】
次の事に関して検討する。
1．場のエネルギーが、地表のA倍の場合、時間はどのようであるか。
1秒間に5回転すると、1回転は1/5秒。時間は1/5
1秒間に10回転すると、1回転は1/10秒。時間は1/10
時間は1/Aになる。
2．場のエネルギーが、地表のA倍の場合、長さはどのようであり、体積はどのようであり、球の体積はどのようであるか。
長さは1/Aになる。
面積は1/A2になる。
体積は1/A3になる。
球の体積は、4/3×πｒ3＝4/3×π(軌道/2)3＝4/3×π×軌道3÷8＝3.14÷(3×2) ×軌道3＝3.14÷6×軌道3＝0.523×軌道3＝0.523×(1/A)3=0.523×1/A3
球の体積は0.523×1/A3になる。
3．場のエネルギーが、地表のA倍の場合、質量はどのようであるか。密度はどのようであるか。
質量は一定です。
例えば、地球が収縮し、ブラックホールに成る場合、原子数は変わりません。地球の元素はブラックホールに成ると中性子に成る。しかし、その素粒子の数は変わらない。質量も変わらない。よって、素粒子1個の質量は変わらない。但し、容積は１/A3に成る。
密度はどのようであるか。
電子のラブの密度＝電子のラブの質量÷電子のラブの球体の体積＝電子のラブの質量÷電子のラブの公転軌道3
質量は変わらず、容積は１/A3に成るから、密度はA3倍に成る。
球体の場合、球の体積は、0.523×1/A3になる。
球体が、縦横列を正しく整頓して並んだ場合、球体を入れる容積は１/A3に成る。
それで、密度の場合、体積は１/A3に成るとする。
4．粒子の質量＝9.628×10-41Jm÷軌道、と考えた。しかし、質量は一定です。それならば、9.628×10-41Jm÷軌道の式は何を意味するのか。
A=１である地表では、電子のラブの軌道は1.058×10-10mですから、9.628×10-41Jm÷軌道＝9.628×10-41Jm÷(1.058×10-10m)＝9.100×10-31J、です。
A=10では、エネルギーは10倍で、軌道は1/10ですから、9.628×10-41Jm÷軌道＝9.628×10-41Jm÷(1.058×10-11m)＝9.100×10-30J、です。
この式はエネルギーの式です。
電子のラブは高エネルギーの場で、公転軌道が小さく成り、エネルギーは大きく成る。
素粒子は高エネルギーの場で、軌道が小さく成り、エネルギーは大きく成る。
素粒子は高エネルギーの場で、高エネルギーに成り、軌道は小さく成る。
素粒子は低エネルギーの場で、軌道が大きく成り、エネルギーは小さく成る。
素粒子は低エネルギーの場で、低エネルギーに成り、軌道は大きく成る。
それで、質量エネルギーにすると、質量エネルギー＝9.628×10-41Jm÷軌道×ｃ2、です。
質量は不変です。しかし、Aの場では、エネルギーはA倍に成り、質量エネルギーもA倍に成る。
即ち、9.628×10-41Jm÷軌道、の式はエネルギーを求める式であり、質量エネルギー＝9.628×10-41Jm÷軌道×ｃ2、です。
○アインシュタインのE=mc2 の式は地表だけに適応される式であり、他の高エネルギーの場や低エネルギーの場には適応できない。質量は不変であるからです。
c2を用いる式で表現すると、正確には、E＝9.628×10-41Jm÷公転軌道×c2、です。
又は、E＝8.665×10-24Jm÷公転軌道、です。
5．場のエネルギーが、地表のA倍の場合、引力はどのようであるか。
引力は磁気の光子のエネルギーですから、A倍です。
2つの物の間の引力＝磁気の光子のエネルギー×磁気の光子のエネルギー÷離れている距離2＝A×A÷長さ2＝A×A÷(1/A)2＝A4 
【請求項２】
Aを用いたアインシュタインの相対性理論について。
1．時間と空間については、アインシュタインの相対性理論は1/Aに成る。
2．長さについては、アインシュタインの相対性は1/Aに成る。
面積については、アインシュタインの相対性理論は1/A2に成る。
体積については、アインシュタインの相対性理論は1/A3に成る。
球体の体積については、アインシュタインの相対性理論は球の体積は0.523×1/A3に成る。
球体の容積については、アインシュタインの相対性理論は1/A3に成る。
3．質量については、アインシュタインの相対性理論は適応されず、一定です。
質量エネルギーについては、アインシュタインの相対性理論はA倍に成る。
4．密度については、アインシュタインの相対性理論はA3倍になる。
5．質量エネルギーについては、アインシュタインの相対性理論はE＝9.628×10-41Jm÷公転軌道×c2になる。又は、E＝8.665×10-24Jm÷公転軌道になる。
6．引力については、アインシュタインの相対性理論はA倍に成る。
2つの物の間の引力は、A4倍に成る。
まとめて表に示す。
Aを用いたアインシュタインの相対性理論について
表１６
2018064437.tif 000021
【請求項３】
宇宙の時間と空間と電子のラブの質量エネルギーと電子のラブの密度と電子のラブが1秒間に作る磁気の光子のエネルギーと電子のラブと電子のラブの間の引力。地表との比較。
1．2007年3月26日に提出した、特願2007−112389．「空間と時間と軌道エネルギーと引力」の「請求項6」に記した事。
宇宙の場において、電子のラブのエネルギーと電子のラブの軌道とA（地表を1とするエネルギーの比）と空間と時間と温度と引力を表にするとどのようであるか。「請求項6」
ラブの軌道エネルギー＝8.665×10−24Jm  です。
宇宙の電子の軌道エネルギーもこの式によって表現できる。
宇宙の電子のラブの軌道とエネルギーから、地表を1とする、エネルギーの比と空間の比と時間の比と温度の比と引力の比が理解できる。
それを、表にする。
表１７
2018064437.tif 000022
2．宇宙における、空間と時間。地表との比較。
空間の比
宇宙の電子のラブのエネルギーが8.665Jで、電子のラブの公転軌道が10-24mの場はビッグバンの場です。
・空間の比＝電子のラブの軌道の比＝宇宙の電子のラブの公転軌道÷地表の電子のラブの公転軌道＝宇宙の電子のラブの公転軌道÷(1.058×10-10m)
電子のラブの公転軌道が10-23mの宇宙
空間の比＝電子のラブの公転軌道の比＝10−23m÷(1.058×10-10m)=9.452×10-14
電子のラブの公転軌道が10-22mの宇宙
空間の比＝電子のラブの公転軌道の比＝10−22m÷(1.058×10-10m)=9.452×10-13
電子のラブの公転軌道が10-21mの宇宙
空間の比＝電子のラブの公転軌道の比＝10−21m÷(1.058×10-10m)=9.452×10-12
電子のラブの公転軌道が10-20mの宇宙
空間の比＝電子のラブの公転軌道の比＝10−20m÷(1.058×10-10m)=9.452×10-11
電子のラブの公転軌道が10-19mの宇宙
空間の比＝電子のラブの公転軌道の比＝10−19m÷(1.058×10-10m)=9.452×10-10
電子のラブの公転軌道が10-18mの宇宙
空間の比＝電子のラブの公転軌道の比＝10−18m÷(1.058×10-10m)=9.452×10-9
電子のラブの公転軌道が10-17mの宇宙
空間の比＝電子のラブの公転軌道の比＝10−17m÷(1.058×10-10m)=9.452×10-8
電子のラブの公転軌道が10-16mの宇宙
空間の比＝電子のラブの公転軌道の比＝10−16m÷(1.058×10-10m)=9.452×10-7
電子のラブの公転軌道が10-15mの宇宙
空間の比＝電子のラブの公転軌道の比＝10−15m÷(1.058×10-10m)=9.452×10-6
電子のラブの公転軌道が10-14mの宇宙
空間の比＝電子のラブの公転軌道の比＝10−14m÷(1.058×10-10m)=9.452×10-5
電子のラブの公転軌道が10-13mの宇宙
空間の比＝電子のラブの公転軌道の比＝10−13m÷(1.058×10-10m)=9.452×10-4
電子のラブの公転軌道が10-12mの宇宙
空間の比＝電子のラブの公転軌道の比＝10−12m÷(1.058×10-10m)=9.452×10-3
電子のラブの公転軌道が10-11mの宇宙
空間の比＝電子のラブの公転軌道の比＝10−11m÷(1.058×10-10m)=9.452×10-2
電子のラブの公転軌道が10-10mの宇宙
空間の比＝電子のラブの公転軌道の比＝10−10m÷(1.058×10-10m)=9.452×10-1
電子のラブの公転軌道が10-9mの宇宙
空間の比＝電子のラブの公転軌道の比＝10−9m÷(1.058×10-10m)=9.452
時間の比＝秒速の比
地表の電子のラブの秒速＝3.14×電子のラブの公転軌道×1秒間の公転数＝3.14×1.058×10-10m×(7.96×107)2＝2.105×106m
・時間の比＝秒速の比＝宇宙の時間と地球の時間の比＝宇宙の電子のラブの秒速÷地表の電子のラブの秒速＝宇宙の電子のラブの秒速÷(2.105×106m)
電子のラブの公転軌道が10-23mの宇宙
秒速＝3.14×10-23m×(7.96×107)2＝1.990×10-7m
時間の比＝秒速の比＝1.990×10-7m÷(2.105×106m)＝9.454×10-14
電子のラブの公転軌道が10-22mの宇宙
秒速＝3.14×10-22m×(7.96×107)2＝1.990×10-6m
時間の比＝秒速の比＝1.990×10-6m÷(2.105×106m)＝9.454×10-13
電子のラブの公転軌道が10-21mの宇宙
秒速＝3.14×10-21m×(7.96×107)2＝1.990×10-5m
時間の比＝秒速の比＝1.990×10-5m÷(2.105×106m)＝9.454×10-12
電子のラブの公転軌道が10-20mの宇宙
秒速＝3.14×10-20m×(7.96×107)2＝1.990×10-4m
時間の比＝秒速の比＝1.990×10-4m÷(2.105×106m)＝9.454×10-11
電子のラブの公転軌道が10-19mの宇宙
秒速＝3.14×10-19m×(7.96×107)2＝1.990×10-3m
時間の比＝秒速の比＝1.990×10-3m÷(2.105×106m)＝9.454×10-10
電子のラブの公転軌道が10-18mの宇宙
秒速＝3.14×10-18m×(7.96×107)2＝1.990×10-2m
時間の比＝秒速の比＝1.990×10-2m÷(2.105×106m)＝9.454×10-9
電子のラブの公転軌道が10-17mの宇宙
秒速＝3.14×10-17m×(7.96×107)2＝1.990×10-1m
時間の比＝秒速の比＝1.990×10-1m÷(2.105×106m)＝9.454×10-8
電子のラブの公転軌道が10-16mの宇宙
秒速＝3.14×10-16m×(7.96×107)2＝1.990m
時間の比＝秒速の比＝1.990×1m÷(2.105×106m)＝9.454×10-7
電子のラブの公転軌道が10-15mの宇宙
秒速＝3.14×10-15m×(7.96×107)2＝1.990×10m
時間の比＝秒速の比＝1.990×10m÷(2.105×106m)＝9.454×10-6
電子のラブの公転軌道が10-14mの宇宙
秒速＝3.14×10-14m×(7.96×107)2＝1.990×102m
時間の比＝秒速の比＝1.990×102m÷(2.105×106m)＝9.454×10-5
電子のラブの公転軌道が10-13mの宇宙
秒速＝3.14×10-13m×(7.96×107)2＝1.990×103m
時間の比＝秒速の比＝1.990×103m÷(2.105×106m)＝9.454×10-4
電子のラブの公転軌道が10-12mの宇宙
秒速＝3.14×10-12m×(7.96×107)2＝1.990×104m
時間の比＝秒速の比＝1.990×104m÷(2.105×106m)＝9.454×10-3
電子のラブの公転軌道が10-11mの宇宙
秒速＝3.14×10-11m×(7.96×107)2＝1.990×105m
時間の比＝秒速の比＝1.990×105m÷(2.105×106m)＝9.454×10-2
電子のラブの公転軌道が10-10mの宇宙
秒速＝3.14×10-10m×(7.96×107)2＝1.990×106m
時間の比＝秒速の比＝1.990×106m÷(2.105×106m)＝9.454×10-1
電子のラブの公転軌道が10-9mの宇宙
秒速＝3.14×10-9m×(7.96×107)2＝1.990×107m
時間の比＝秒速の比＝1.990×107m÷(2.105×106m)＝9.454
まとめて表に示す。
宇宙における電子のラブの公転軌道と電子のラブのエネルギーと空間の比と電子のラブの秒速と時間の比。地表との比較。
表１８
2018064437.tif 000023
3．宇宙における電子のラブの質量エネルギー。地表との比較。宇宙における質量エネルギー。
質量エネルギー＝9.628×10-41Jm÷軌道×c2、の式により計算する。
地表の電子のラブの質量エネルギー＝9.628×10-41Jm÷(1.058×10-10m)×c2＝9.100×10-31J×9×1016＝8.190×10-14J
・電子のラブの質量エネルギーの比＝宇宙の電子のラブの質量エネルギー÷地表の電子のラブの質量エネルギー＝宇宙の電子のラブの質量エネルギー÷(8.190×10-14J)
電子のラブの公転軌道が10−23mの宇宙
電子のラブの質量エネルギー＝9.628×10-41Jm÷10−23m×ｃ2＝9.628×10-18J×9×1016＝8.665×10-1J
電子のラブの質量エネルギーの比＝8.665×10-1J ÷(8.190×10-14J)＝1.058×1013
電子のラブの公転軌道が10−22mの宇宙
電子のラブの質量エネルギー＝9.628×10-41Jm÷10−22m×ｃ2＝9.628×10-19J×9×1016＝8.665×10-2J
電子のラブの質量エネルギーの比＝8.665×10-2J ÷(8.190×10-14J)＝1.058×1012
電子のラブの公転軌道が10−21mの宇宙
電子のラブの質量エネルギー＝9.628×10-41Jm÷10−21m×ｃ2＝9.628×10-20J×9×1016＝8.665×10-3J
電子のラブの質量エネルギーの比＝8.665×10-3J ÷(8.190×10-14J)＝1.058×1011
電子のラブの公転軌道が10−20mの宇宙
電子のラブの質量エネルギー＝9.628×10-41Jm÷10−20m×ｃ2＝9.628×10-21J×9×1016＝8.665×10-4J 
電子のラブの質量エネルギーの比＝8.665×10-4J ÷(8.190×10-14J)＝1.058×1010
電子のラブの公転軌道が10−19mの宇宙
電子のラブの質量エネルギー＝9.628×10-41Jm÷10−19m×c2＝9.628×10-22J×9×1016＝8.665×10-5J
電子のラブの質量エネルギーの比＝8.665×10-5J ÷(8.190×10-14J)＝1.058×109
電子のラブの公転軌道が10−18mの宇宙
電子のラブの質量エネルギー＝9.628×10-41Jm÷10−18m×c2＝9.628×10-23J×9×1016＝8.665×10-6J 
電子のラブの質量エネルギーの比＝8.665×10-6J÷(8.190×10-14J)＝1.058×108
電子のラブの公転軌道が10−17mの宇宙
電子のラブの質量エネルギー＝9.628×10-41Jm÷10−17m×c2＝9.628×10-24J×9×1016＝8.665×10-7J
電子のラブの質量エネルギーの比＝8.665×10-7J÷(8.190×10-14J)＝1.058×107
電子のラブの公転軌道が10−16mの宇宙
電子のラブの質量エネルギー＝9.628×10-41Jm÷10−16m×c2＝9.628×10-25J×9×1016＝8.665×10-8J
電子のラブの質量エネルギーの比＝8.665×10-8J÷(8.190×10-14J)＝1.058×106
電子のラブの公転軌道が10−15mの宇宙
電子のラブの質量エネルギー＝9.628×10-41Jm÷10−15m×c2＝9.628×10-26J×9×1016＝8.665×10-9J
電子のラブの質量エネルギーの比＝8.665×10-9J ÷(8.190×10-14J)＝1.058×105
電子のラブの公転軌道が10−14mの宇宙
電子のラブの質量エネルギー＝9.628×10-41Jm÷10−14m×c2＝9.628×10-27J×9×1016＝8.665×10-10J
電子のラブの質量エネルギーの比＝8.665×10-10J÷(8.190×10-14J)＝1.058×104
電子のラブの公転軌道が10−13mの宇宙
電子のラブの質量エネルギー＝9.628×10-41Jm÷10−13m×c2＝9.628×10-28J×9×1016＝8.665×10-11J
電子のラブの質量エネルギーの比＝8.665×10-11J÷(8.190×10-14J)＝1.058×103
電子のラブの公転軌道が10−12mの宇宙
電子のラブの質量エネルギー＝9.628×10-41Jm÷10−12m×c2＝9.628×10-29J×9×1016＝8.665×10-12J
電子のラブの質量エネルギーの比＝8.665×10-12J÷(8.190×10-14J)＝1.058×102
電子のラブの公転軌道が10−11mの宇宙
電子のラブの質量エネルギー＝9.628×10-41Jm÷10−11m×c2＝9.628×10-30J×9×1016＝8.665×10-13J
電子のラブの質量エネルギーの比＝8.665×10-13J÷(8.190×10-14J)＝1.058×10
電子のラブの公転軌道が10−10mの宇宙
電子のラブの質量エネルギー＝9.628×10-41Jm÷10−10m×c2＝9.628×10-31J×9×1016＝8.665×10-14J
電子のラブの質量エネルギーの比＝8.665×10-14J ÷(8.190×10-14J)＝1.058
電子のラブの公転軌道が10−9mの宇宙
質量エネルギー＝9.628×10-41Jm÷10−9m×c2＝9.628×10-32J×9×1016＝8.665×10-15J
電子のラブの質量エネルギーの比＝8.665×10-15J÷(8.190×10-14J)＝1.058×10-1
4．宇宙における電子のラブの密度＝電子のラブの質量÷電子のラブの公転軌道3。地表との比較。宇宙における密度。
地表の電子のラブの密度＝電子のラブの質量÷電子のラブの公転軌道＝9.109×10-31Kg÷(1.058×10-10m)3＝9.109×10-31Kg÷(1.184×10-30)m＝7.693×10-1
・電子のラブの密度の比＝宇宙の電子のラブの密度÷地表の電子のラブの密度＝宇宙の電子のラブの密度÷(7.693×10-1)
電子のラブの公転軌道が10-23mの宇宙
電子のラブの密度＝電子のラブの質量÷電子のラブの公転軌道3＝9.109×10-31Kg÷(10-23m)3m＝9.109×10-31Kg÷10-69m＝9.109×1038
電子のラブの密度の比＝9.109×1038÷ (7.693×10-1)＝1.184×1039
電子のラブの公転軌道が10-22mの宇宙
電子のラブの密度＝電子のラブの質量÷電子のラブの公転軌道3＝9.109×10-31Kg÷(10-22m)3＝9.109×1035
電子のラブの密度の比＝9.109×1035÷(7.693×10-1)＝1.184×1036
電子のラブの公転軌道が10-21mの宇宙
電子のラブの密度＝電子のラブの質量÷電子のラブの公転軌道3＝9.109×10-31Kg÷(10-21m)3＝9.109×1032
電子のラブの密度の比＝9.109×1032÷(7.693×10-1)＝1.184×1033
電子のラブの公転軌道が10-20mの宇宙
電子のラブの密度＝電子のラブの質量÷電子のラブの公転軌道3＝9.109×10-31Kg÷(10-20m)3＝9.109×1029
電子のラブの密度の比＝9.109×1029÷(7.693×10-1)＝1.184×1030
電子のラブの公転軌道が10-19mの宇宙
電子のラブの密度＝電子のラブの質量÷電子のラブの公転軌道3＝9.109×10-31Kg÷(10-19m)3＝9.109×1026
電子のラブの密度の比＝9.109×1026÷(7.693×10-1)＝1.184×1027
電子のラブの公転軌道が10-18mの宇宙
電子のラブの密度＝電子のラブの質量÷電子のラブの公転軌道3＝9.109×10-31Kg÷(10-18m)3＝9.109×1023
電子のラブの密度の比＝9.109×1023÷(7.693×10-1)＝1.184×1024
電子のラブの公転軌道が10-17mの宇宙
電子のラブの密度＝電子のラブの質量÷電子のラブの公転軌道3＝9.109×10-31Kg÷(10-17m)3＝9.109×1020
電子のラブの密度の比＝9.109×1020÷(7.693×10-1)＝1.184×1021
電子のラブの公転軌道が10-16mの宇宙
電子のラブの密度＝電子のラブの質量÷電子のラブの公転軌道3＝9.109×10-31Kg÷(10-16m)3＝9.109×1017
電子のラブの密度の比＝9.109×1017÷(7.693×10-1)＝1.184×1018
電子のラブの公転軌道が10-15mの宇宙
電子のラブの密度＝電子のラブの質量÷電子のラブの公転軌道3＝9.109×10-31Kg÷(10-15m)3＝9.109×1014
電子のラブの密度の比＝9.109×1014÷(7.693×10-1)＝1.184×1015
電子のラブの公転軌道が10-14mの宇宙
電子のラブの密度＝電子のラブの質量÷電子のラブの公転軌道3＝9.109×10-31Kg÷(10-14m)3＝9.109×1011
電子のラブの密度の比＝9.109×1011÷(7.693×10-1)＝1.184×1012
電子のラブの公転軌道が10-13mの宇宙
電子のラブの密度＝電子のラブの質量÷電子のラブの公転軌道3＝9.109×10-31Kg÷(10-13m)3＝9.109×108
電子のラブの密度の比＝9.109×108÷(7.693×10-1)＝1.184×109
電子のラブの公転軌道が10-12mの宇宙
電子のラブの密度＝電子のラブの質量÷電子のラブの公転軌道3＝9.109×10-31Kg÷(10-12m)3＝9.109×105
電子のラブの密度の比＝9.109×105÷(7.693×10-1)＝1.184×106
電子のラブの公転軌道が10-11mの宇宙
電子のラブの密度＝電子のラブの質量÷電子のラブの公転軌道3＝9.109×10-31Kg÷(10-11m)3＝9.109×102
電子のラブの密度の比＝9.109×102÷(7.693×10-1)＝1.184×103
電子のラブの公転軌道が10-10mの宇宙
電子のラブの密度＝電子のラブの質量÷電子のラブの公転軌道3＝9.109×10-31Kg÷(10-10m)3＝9.109×10-1
電子のラブの密度の比＝9.109×10-1÷(7.693×10-1)＝1.184
電子のラブの公転軌道が10-9mの宇宙
電子のラブの密度＝電子のラブの質量÷電子のラブの公転軌道3＝9.109×10-31Kg÷(10-9m)3＝9.109×10-4
電子のラブの密度の比＝9.109×10-4÷(7.693×10-1)＝1.184×10-3
5．宇宙の電子のラブが1秒間に作る磁気の光子のエネルギー。地表との比較。宇宙における引力。
電子のラブが1秒間に作る磁気の光子のエネルギー＝7.815×10-26Jm÷公転軌道
地表の電子のラブが1秒間に作る磁気の光子のエネルギー＝7.815×10-26Jm÷公転軌道＝7.815×10-26Jm÷(1.058×10-10m)＝7.387×10-16J
・電子のラブが1秒間に作る磁気の光子のエネルギーの比＝宇宙の電子のラブが1秒間に作る磁気の光子のエネルギー÷地表の電子のラブが1秒間に作る磁気の光子のエネルギー＝宇宙の電子のラブが1秒間に作る磁気の光子のエネルギー÷(7.387×10-16J)
電子のラブの公転軌道が10−23mの宇宙
電子のラブが1秒間に作る磁気の光子のエネルギー＝7.815×10-26Jm÷10−23m＝7.815×10-3J
電子のラブが1秒間に作る磁気の光子のエネルギーの比＝7.815×10-3J÷(7.387×10-16J)＝1.058×1013
電子のラブの公転軌道が10−22mの宇宙
電子のラブが1秒間に作る磁気の光子のエネルギー＝7.815×10-26Jm÷10−22m＝7.815×10-4J
電子のラブが1秒間に作る磁気の光子のエネルギーの比＝7.815×10-4J÷(7.387×10-16J)＝1.058×1012 
電子のラブの公転軌道が10−21mの宇宙
電子のラブが1秒間に作る磁気の光子のエネルギー＝7.815×10-26Jm÷10−21m＝7.815×10-5J
電子のラブが1秒間に作る磁気の光子のエネルギーの比＝7.815×10-5J÷(7.387×10-16J)＝1.058×1011
電子のラブの公転軌道が10−20mの宇宙
電子のラブが1秒間に作る磁気の光子のエネルギー＝7.815×10-26Jm÷10−20m＝7.815×10-6J
電子のラブが1秒間に作る磁気の光子のエネルギーの比＝7.815×10-6J÷(7.387×10-16J)＝1.058×1010
電子のラブの公転軌道が10−19mの宇宙
電子のラブが1秒間に作る磁気の光子のエネルギー＝7.815×10-26Jm÷10−19m＝7.815×10-7J
電子のラブが1秒間に作る磁気の光子のエネルギーの比＝7.815×10-7J÷(7.387×10-16J)＝1.058×109
電子のラブの公転軌道が10−18mの宇宙
電子のラブが1秒間に作る磁気の光子のエネルギー＝7.815×10-26Jm÷10−18m＝7.815×10-8J
電子のラブが1秒間に作る磁気の光子のエネルギーの比＝7.815×10-8J÷(7.387×10-16J)＝1.058×108
電子のラブの公転軌道が10−17mの宇宙
電子のラブが1秒間に作る磁気の光子のエネルギー＝7.815×10-26Jm÷10−17m＝7.815×10-9J
電子のラブが1秒間に作る磁気の光子のエネルギーの比＝7.815×10-9J÷(7.387×10-16J)＝1.058×107
電子のラブの公転軌道が10−16mの宇宙
電子のラブが1秒間に作る磁気の光子のエネルギー＝7.815×10-26Jm÷10−16m＝7.815×10-10J
電子のラブが1秒間に作る磁気の光子のエネルギーの比＝7.815×10-10J÷(7.387×10-16J)＝1.058×106
電子のラブの公転軌道が10−15mの宇宙
電子のラブが1秒間に作る磁気の光子のエネルギー＝7.815×10-26Jm÷10−15m＝7.815×10-11J
電子のラブが1秒間に作る磁気の光子のエネルギーの比＝7.815×10-11J÷(7.387×10-16J)＝1.058×105
電子のラブの公転軌道が10−14mの宇宙
電子のラブが1秒間に作る磁気の光子のエネルギー＝7.815×10-26Jm÷10−14m＝7.815×10-12J
電子のラブが1秒間に作る磁気の光子のエネルギーの比＝7.815×10-12J÷(7.387×10-16J)＝1.058×104
電子のラブの公転軌道が10−13mの宇宙
電子のラブが1秒間に作る磁気の光子のエネルギー＝7.815×10-26Jm÷10−13m＝7.815×10-13J
電子のラブが1秒間に作る磁気の光子のエネルギーの比＝7.815×10-13J÷(7.387×10-16J)＝1.058×103
電子のラブの公転軌道が10−12mの宇宙
電子のラブが1秒間に作る磁気の光子のエネルギー＝7.815×10-26Jm÷10−12m＝7.815×10-14J
電子のラブが1秒間に作る磁気の光子のエネルギーの比＝7.815×10-14J÷(7.387×10-16J)＝1.058×102
電子のラブの公転軌道が10−11mの宇宙
電子のラブが1秒間に作る磁気の光子のエネルギー＝7.815×10-26Jm÷10−11m＝7.815×10-15J
電子のラブが1秒間に作る磁気の光子のエネルギーの比＝7.815×10-15J÷(7.387×10-16J)＝1.058×10
電子のラブの公転軌道が10−10mの宇宙
電子のラブが1秒間に作る磁気の光子のエネルギー＝7.815×10-26Jm÷10−10m＝7.815×10-16J
電子のラブが1秒間に作る磁気の光子のエネルギーの比＝7.815×10-16J÷(7.387×10-16J)＝1.058
電子のラブの公転軌道が10−9mの宇宙
電子のラブが1秒間に作る磁気の光子のエネルギー＝7.815×10-26Jm÷10−9m＝7.815×10-17J
電子のラブが1秒間に作る磁気の光子のエネルギーの比＝7.815×10-17J÷(7.387×10-16J)＝1.058×10-1
6．宇宙の電子のラブと電子のラブの間の引力。地表との比較。宇宙の物と物との間の引力。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
電子のラブと電子のラブの間の引力の比＝宇宙の電子のラブと電子のラブの間の引力÷地表の電子のラブと電子のラブの間の引力＝宇宙の電子のラブと電子のラブの間の引力÷(4.877×10-11)
電子のラブの公転軌道が10−23mの宇宙
引力＝電子のラブが1秒間に作る磁気の光子のエネルギー2÷公転軌道2＝(7.815×10-3J)2÷(10−23m)2＝6.107×10-5÷10-46＝6.107×1041
電子のラブと電子のラブの間の引力の比＝6.107×1041÷(4.877×10-11)＝1.252×1052
電子のラブの公転軌道が10−22mの宇宙
引力＝電子のラブが1秒間に作る磁気の光子のエネルギー2÷公転軌道2＝(7.815×10-4J)2÷(10−22m)2＝6.107×10-7÷10-44＝6.107×1037
電子のラブと電子のラブの間の引力の比＝6.107×1037÷(4.877×10-11)＝1.252×1048
電子のラブの公転軌道が10−21mの宇宙
引力＝電子のラブが1秒間に作る磁気の光子のエネルギー2÷公転軌道2＝(7.815×10-5J)2÷(10−21m)2＝6.107×10-9÷10-42＝6.107×1033
電子のラブと電子のラブの間の引力の比＝6.107×1033÷(4.877×10-11)＝1.252×1044
電子のラブの公転軌道が10−20mの宇宙
引力＝電子のラブが1秒間に作る磁気の光子のエネルギー2÷公転軌道2＝(7.815×10-6J)2÷(10−20m)2＝6.107×10-11÷10-40＝6.107×1029
電子のラブと電子のラブの間の引力の比＝6.107×1029÷(4.877×10-11)＝1.252×1040
電子のラブの公転軌道が10−19mの宇宙
引力＝電子のラブが1秒間に作る磁気の光子のエネルギー2÷公転軌道2＝(7.815×10-7J)2÷(10−19m)2＝6.107×10-13÷10-38＝6.107×1025
電子のラブと電子のラブの間の引力の比＝6.107×1025÷(4.877×10-11)＝1.252×1036
電子のラブの公転軌道が10−18mの宇宙
引力＝電子のラブが1秒間に作る磁気の光子のエネルギー2÷公転軌道2＝(7.815×10-8J)2÷(10−18m)2＝6.107×10-15÷10-36＝6.107×1021
電子のラブと電子のラブの間の引力の比＝6.107×1021÷(4.877×10-11)＝1.252×1032
電子のラブの公転軌道が10−17mの宇宙
引力＝電子のラブが1秒間に作る磁気の光子のエネルギー2÷公転軌道2＝(7.815×10-9J)2÷(10−17m)2＝6.107×10-17÷10-34＝6.107×1017
電子のラブと電子のラブの間の引力の比＝6.107×1017÷(4.877×10-11)＝1.252×1028
電子のラブの公転軌道が10−16mの宇宙
引力＝電子のラブが1秒間に作る磁気の光子のエネルギー2÷公転軌道2＝(7.815×10-10J)2÷(10−16m)2＝6.107×10-19÷10-32＝6.107×1013
電子のラブと電子のラブの間の引力の比＝6.107×1013÷(4.877×10-11)＝1.252×1024
電子のラブの公転軌道が10−15mの宇宙
引力＝電子のラブが1秒間に作る磁気の光子のエネルギー2÷公転軌道2＝(7.815×10-11J)2÷(10−15m)2＝6.107×10-21÷10-30＝6.107×109
電子のラブと電子のラブの間の引力の比＝6.107×109÷(4.877×10-11)＝1.252×1020
電子のラブの公転軌道が10−14mの宇宙
引力＝電子のラブが1秒間に作る磁気の光子のエネルギー2÷公転軌道2＝(7.815×10-12J)2÷(10−14m)2＝6.107×10-23÷10-28＝6.107×105
電子のラブと電子のラブの間の引力の比＝6.107×105÷(4.877×10-11)＝1.252×1016
電子のラブの公転軌道が10−13mの宇宙
引力＝電子のラブが1秒間に作る磁気の光子のエネルギー2÷公転軌道2＝(7.815×10-13J)2÷(10−13m)2＝6.107×10-25÷10-26＝6.107×10
電子のラブと電子のラブの間の引力の比＝6.107×10÷(4.877×10-11)＝1.252×1012
電子のラブの公転軌道が10−12mの宇宙
引力＝電子のラブが1秒間に作る磁気の光子のエネルギー2÷公転軌道2＝(7.815×10-14J)2÷(10−12m)2＝6.107×10-27÷10-24＝6.107×10-3
電子のラブと電子のラブの間の引力の比＝6.107×10-3÷(4.877×10-11)＝1.252×108
電子のラブの公転軌道が10−11mの宇宙
引力＝電子のラブが1秒間に作る磁気の光子のエネルギー2÷公転軌道2＝(7.815×10-15J)2÷(10−11m)2＝6.107×10-29÷10-22＝6.107×10-7
電子のラブと電子のラブの間の引力の比＝6.107×10-7÷(4.877×10-11)＝1.252×104
電子のラブの公転軌道が10−10mの宇宙
引力＝電子のラブが1秒間に作る磁気の光子のエネルギー2÷公転軌道2＝(7.815×10-16J)2÷(10−10m)2＝6.107×10-31÷10-20＝6.107×10-11
電子のラブと電子のラブの間の引力の比＝6.107×10-11÷(4.877×10-11)＝1.252
電子のラブの公転軌道が10−9mの宇宙
引力＝電子のラブが1秒間に作る磁気の光子のエネルギー2÷公転軌道2＝(7.815×10-17J)2÷(10−9m)2＝6.107×10-33÷10-18＝6.107×10-15
電子のラブと電子のラブの間の引力の比＝6.107×10-15÷(4.877×10-11)＝1.252×10-4
まとめて表に示す。
宇宙における電子のラブの公転軌道と電子のラブの質量エネルギーと電子のラブの質量と電子のラブの密度と電子のラブが1秒間に作る磁気の光子のエネルギーと電子のラブと電子のラブの間の引力。地表との比較。
表１９
2018064437.tif 000024
2018064437.tif 000025
【請求項４】
地球の地下の温度と電子のラブの公転軌道と空間と時間と電子のラブの質量エネルギーと電子のラブの密度と電子のラブが1秒間に作る磁気の光子のエネルギーと電子のラブと電子のラブとの間の引力。地表との比較。
1．2007年3月26日に提出した、特願2007−112389．「空間と時間と軌道エネルギーと引力」の「請求項2」に記した事。
地球の地下では、時間と空間は地表の何分の１か。地表を１とするといくらか。「請求項2」
これを表にする。
表２０
2018064437.tif 000026
2．地球の地下における、空間と時間。地表との比較。
・空間の比＝地下の電子のラブの公転軌道÷地表の電子のラブの公転軌道＝地下の電子のラブの公転軌道÷(1.058×10-10m)
地下6500Km。
電子のラブの公転軌道＝地表の電子のラブの公転軌道÷A=1.058×10-10m÷85.6＝1.236×10-12m
空間の比＝1.236×10-12m÷(1.058×10-10m)＝1.168×10-2
地下6000Km。
電子のラブの公転軌道＝1.058×10-10m÷77.46＝1.366×10-12m
空間の比＝1.366×10-12m÷(1.058×10-10m)＝1.291×10-2
地下5000Km。
電子のラブの公転軌道＝1.058×10-10m÷70.71＝1.496×10-12m
空間の比＝1.496×10-12m÷(1.058×10-10m)＝1.414×10-2
地下4000Km。
電子のラブの公転軌道＝1.058×10-10m÷63.25＝1.673×10-12m
空間の比＝1.673×10-12m÷(1.058×10-10m)＝1.581×10-2
地下3000Km。
電子のラブの公転軌道＝1.058×10-10m÷54.77＝1.932×10-12m
空間の比＝1.932×10-12m÷(1.058×10-10m)＝1.826×10-2
地下2000Km。
電子のラブの公転軌道＝1.058×10-10m÷44.72＝2.366×10-12m
空間の比＝2.366×10-12m÷(1.058×10-10m)＝2.236×10-2
地下1000Km。
電子のラブの公転軌道＝1.058×10-10m÷31.62＝3.346×10-12m
空間の比＝3.346×10-12m÷(1.058×10-10m)＝3.163×10-2
地表。
空間の比＝1.058×10-10m÷(1.058×10-10m)=1
・地表の電子のラブの秒速は3.14×(1.058×10-10m)× (7.96×107)2＝2.105×106m、です。
・時間の比＝秒速の比＝地下の電子のラブの秒速÷地表の電子のラブの秒速＝地下の電子のラブの秒速÷(2.105×106m)
地下6500Km。
秒速＝3.14×1.236×10-12m×(7.96×107)2＝2.459×104m    
時間の比＝2.459×104m÷(2.105×106m)＝1.168×10-2
地下6000Km。
秒速＝3.14×1.366×10-12m×(7.96×107)2＝2.718×104m    
時間の比＝秒速の比＝2.718×104m÷(2.105×106m)＝1.291×10-2
地下5000Km。
秒速＝3.14×1.496×10-12m×(7.96×107)2＝2.976×104m    
時間の比＝秒速の比＝2.976×104m÷(2.105×106m)＝1.414×10-2
地下4000Km。
秒速＝3.14×1.673×10-12m×(7.96×107)2＝3.329×104m    
時間の比＝秒速の比＝3.329×104m÷(2.105×106m)＝1.581×10-2
地下3000Km。
秒速＝3.14×1.932×10-12m×(7.96×107)2＝3.844×104m    
時間の比＝秒速の比＝3.844×104m÷(2.105×106m)＝1.826×10-2
地下2000Km。
秒速＝3.14×2.366×10-12m×(7.96×107)2＝4.707×104m    
時間の比＝秒速の比＝4.707×104m÷(2.105×106m)＝2.236×10-2
地下1000Km。
秒速＝3.14×3.346×10-12m×(7.96×107)2＝6.657×104m    
時間の比＝秒速の比＝6.657×104m÷(2.105×106m)＝3.162×10-2
地表。
秒速＝3.14×(1.058×10-10m)× (7.96×107)2＝2.105×106m
時間の比＝秒速の比＝2.105×106m÷(2.105×106m)＝1
まとめて表に示す。
地球の地下における、温度とAと電子のラブの公転軌道と空間の比と電子のラブの秒速と時間の比
表２１
2018064437.tif 000027
3．地球の地下における、電子のラブの質量エネルギー。地表との比較。地球の地下における、質量エネルギー。
質量エネルギー＝9.628×10-41Jm÷軌道×c2、の式により計算する。
地表の電子のラブの質量エネルギーは、質量エネルギー＝9.628×10-41Jm÷軌道×c2＝9.628×10-41Jm÷(1.058×10-10m)×9×1016＝9.100×10-31J×9×1016＝8.190×10-14J、です。
・質量エネルギーの比＝地下の電子のラブの質量エネルギー÷地表の電子のラブの質量エネルギー＝地下の電子のラブの質量エネルギー÷(8.190×10-14J)
地下6500Km
電子のラブの軌道＝地表の電子のラブの軌道÷A=1.058×10-10m÷85.6＝1.236×10-12m
質量エネルギー＝9.628×10-41Jm÷軌道×c2＝9.628×10-41Jm÷(1.236×10-12m) ×9×1016＝7.790×10-29J×9×1016＝7.011×10-12J
質量エネルギーの比＝7.011×10-12J÷(8.190×10-14J)＝8.560×10
地下6000Km
電子のラブの軌道＝地表の電子のラブの軌道÷A=1.058×10-10m÷77.46＝1.366×10-12m
質量エネルギー＝9.628×10-41Jm÷軌道×c2＝9.628×10-41Jm÷(1.366×10-12m) ×9×1016＝7.048×10-29 J×9×1016＝6.343×10-12J
質量エネルギーの比＝6.343×10-12J÷(8.190×10-14J)＝7.745×10
地下5000Km
電子のラブの軌道＝地表の電子のラブの軌道÷A=1.058×10-10m÷70.71＝1.496×10-12m
質量エネルギー＝9.628×10-41Jm÷軌道×c2＝9.628×10-41Jm÷(1.496×10-12m) ×9×1016＝6.436×10-29 J×9×1016＝5.792×10-12J
質量エネルギーの比＝5.792×10-12J÷(8.190×10-14J)＝7.745×10
地下4000Km
電子のラブの軌道＝地表の電子のラブの軌道÷A=1.058×10-10m÷63.25＝1.673×10-12m
質量エネルギー＝9.628×10-41Jm÷軌道×c2＝9.628×10-41Jm÷(1.673×10-12m) ×9×1016＝5.755×10-29 J×9×1016＝5.180×10-12J
質量エネルギーの比＝5.180×10-12J÷(8.190×10-14J)＝6.324×10
地下3000Km
電子のラブの軌道＝地表の電子のラブの軌道÷A=1.058×10-10m÷54.77＝1.932×10-12m
質量エネルギー＝9.628×10-41Jm÷軌道×c2＝9.628×10-41Jm÷(1.932×10-12m) ×9×1016＝4.983×10-29 J×9×1016＝4.485×10-12J
質量エネルギーの比＝4.485×10-12J÷(8.190×10-14J)＝5.476×10
地下2000Km
電子のラブの軌道＝地表の電子のラブの軌道÷A=1.058×10-10m÷44.72＝2.365×10-12m
質量エネルギー＝9.628×10-41Jm÷軌道×c2＝9.628×10-41Jm÷(2.366×10-12m) ×9×1016＝4.069×10-29 J×9×1016＝3.662×10-12J
質量エネルギーの比＝3.662×10-12J÷(8.190×10-14J)＝4.471×10
地下1000Km
電子のラブの軌道＝地表の電子のラブの軌道÷A=1.058×10-10m÷31.62＝3.346×10-12m
質量エネルギー＝9.628×10-41Jm÷軌道×c2＝9.628×10-41Jm÷(3.346×10-12m) ×9×1016＝2.877×10-29 J×9×1016＝2.589×10-12J
質量エネルギーの比＝2.589×10-12J÷(8.190×10-14J)＝3.162×10
地表
質量エネルギー＝9.628×10-41Jm÷軌道×c2＝9.628×10-41Jm÷(1.058×10-10m) ×9×1016＝9.100×10-31 J×9×1016＝8.190×10-14J、です。
4．地下における電子のラブの密度。地表との比較。地下における密度
密度＝電子のラブの質量÷公転軌道3
地表の密度＝9.109×10-31Kg÷(1.058×10-10m)3＝9.109×10-31Kg ÷(1.184×10-30m3)＝7.693×10-1
・地下の密度の比＝地下の密度÷地表の密度＝地下の密度÷(7.693×10-1)
地下6500Km
密度＝電子のラブの質量÷公転軌道3＝9.109×10-31Kg÷(1.236×10-12m)3＝9.109×10-31Kg÷(1.888×10-36m3)＝4.825×105
地下の密度の比＝4.825×105÷(7.693×10-1)＝6.272×105
地下6000Km
密度＝電子のラブの質量÷公転軌道3＝9.109×10-31Kg÷(1.366×10-12m)3＝9.109×10-31Kg÷(2.549×10-36m3)＝3.574×105
地下の密度の比＝3.574×105÷(7.693×10-1)＝4.646×105
地下5000Km
密度＝電子のラブの質量÷公転軌道3＝9.109×10-31Kg÷(1.496×10-12m)3＝9.109×10-31Kg÷(3.348×10-36m3)＝2.721×105
地下の密度の比＝2.721×105÷(7.693×10-1)＝3.537×105
地下4000Km
密度＝電子のラブの質量÷公転軌道3＝9.109×10-31Kg÷(1.673×10-12m)3＝9.109×10-31Kg÷(4.683×10-36m3)＝1.945×105
地下の密度の比＝1.945×105÷(7.693×10-1)＝2.528×105
地下3000Km
密度＝電子のラブの質量÷公転軌道3＝9.109×10-31Kg÷(1.932×10-12m)3＝9.109×10-31Kg÷(7.211×10-36m3)＝1.263×105
地下の密度の比＝1.263×105÷(7.693×10-1)＝1.642×105
地下2000Km
密度＝電子のラブの質量÷公転軌道3＝9.109×10-31Kg÷(2.366×10-12m)3＝9.109×10-31Kg÷(1.324×10-35m3)＝6.880×104
地下の密度の比＝6.880×104÷(7.693×10-1)＝8.943×104
地下１000Km
密度＝電子のラブの質量÷公転軌道3＝9.109×10-31Kg÷(3.346×10-12m)3＝9.109×10-31Kg÷(3.746×10-35m3)＝2.432×104
地下の密度の比＝2.432×104÷ (7.693×10-1)＝3.161×104
地表の密度＝9.109×10-31Kg÷(1.058×10-10m)3＝9.109×10-31Kg ÷(1.184×10-30m3)＝7.693×10-1
5．地下における電子のラブが1秒間に作る磁気の光子のエネルギー。地下における引力。
電子のラブが1秒間に作る磁気の光子のエネルギー＝7.815×10-26Jm÷公転軌道
地表の電子のラブが1秒間に作る磁気の光子のエネルギー＝7.815×10-26Jm÷公転軌道＝7.815×10-26Jm÷(1.058×10-10m)＝7.387×10-16J
電子のラブが1秒間に作る磁気の光子のエネルギーの比＝地球の地下の電子のラブが1秒間に作る磁気の光子のエネルギー÷地表の電子のラブが1秒間に作る磁気の光子のエネルギー＝地球の地下の電子のラブが1秒間に作る磁気の光子のエネルギー÷(7.387×10-16J)
地下6500Km
電子のラブが1秒間に作る磁気の光子のエネルギー＝7.815×10-26Jm÷公転軌道＝7.815×10-26Jm÷(1.236×10-12m)＝6.323×10-14J
電子のラブが1秒間に作る磁気の光子のエネルギーの比＝6.323×10-14J÷(7.387×10-16J)＝8.560×10
地下6000Km
電子のラブが1秒間に作る磁気の光子のエネルギー＝7.815×10-26Jm÷公転軌道＝7.815×10-26Jm÷(1.366×10-12m)＝5.721×10-14J
電子のラブが1秒間に作る磁気の光子のエネルギーの比＝5.721×10-14J÷(7.387×10-16J)＝7.745×10
地下5000Km
電子のラブが1秒間に作る磁気の光子のエネルギー＝7.815×10-26Jm÷公転軌道＝7.815×10-26Jm÷(1.496×10-12m)＝5.224×10-14J
電子のラブが1秒間に作る磁気の光子のエネルギーの比＝5.224×10-14J÷(7.387×10-16J)＝7.072×10
地下4000Km
電子のラブが1秒間に作る磁気の光子のエネルギー＝7.815×10-26Jm÷公転軌道＝7.815×10-26Jm÷(1.673×10-12m)＝4.671×10-14J
電子のラブが1秒間に作る磁気の光子のエネルギーの比＝4.671×10-14J÷(7.387×10-16J)＝6.323×10
地下3000Km
電子のラブが1秒間に作る磁気の光子のエネルギー＝7.815×10-26Jm÷公転軌道＝7.815×10-26Jm÷(1.932×10-12m)＝4.045×10-14J
電子のラブが1秒間に作る磁気の光子のエネルギーの比＝4.045×10-14J÷(7.387×10-16J)＝5.476×10
地下2000Km
電子のラブが1秒間に作る磁気の光子のエネルギー＝7.815×10-26Jm÷公転軌道＝7.815×10-26Jm÷(2.366×10-12m)＝3.303×10-14J
電子のラブが1秒間に作る磁気の光子のエネルギーの比＝3.303×10-14J÷(7.387×10-16J)＝4.471×10
地下1000Km
電子のラブが1秒間に作る磁気の光子のエネルギー＝7.815×10-26Jm÷公転軌道＝7.815×10-26Jm÷(3.346×10-12m)＝2.336×10-14J
電子のラブが1秒間に作る磁気の光子のエネルギーの比＝2.336×10-14J÷(7.387×10-16J)＝3.154×10
地表
電子のラブが1秒間に作る磁気の光子のエネルギー＝7.815×10-26Jm÷公転軌道＝7.815×10-26Jm÷(1.058×10-10m)＝7.387×10-16J
6．地下の電子のラブと電子のラブの間の引力。地表との比較。地下の物と物との間の引力。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
地下の電子のラブと電子のラブの間の引力の比＝地下の電子のラブと電子のラブの間の引力÷地表の電子のラブと電子のラブの間の引力＝地下の電子のラブと電子のラブの間の引力÷(4.877×10-11)
地下6500Km
電子のラブと電子のラブの間の引力＝電子のラブが1秒間に作る磁気の光子のエネルギー2÷公転軌道2＝(6.323×10-14J)2÷(1.236×10-12m)2＝3.998×10-27÷(1.528×10-24)＝2.616×10-3 
地下の電子のラブと電子のラブの間の引力の比＝2.616×10-3÷(4.877×10-11)＝5.364×107
地下6000Km
電子のラブと電子のラブの間の引力＝電子のラブが1秒間に作る磁気の光子のエネルギー2÷公転軌道2＝(5.721×10-14J)2÷(1.366×10-12m)2＝3.273×10-27÷(1.866×10-24)＝1.754×10-3
地下の電子のラブと電子のラブの間の引力の比＝1.754×10-3÷(4.877×10-11)＝3.596×107
地下5000Km
電子のラブと電子のラブの間の引力＝電子のラブが1秒間に作る磁気の光子のエネルギー2÷公転軌道2＝(5.224×10-14J)2÷(1.496×10-12m)2＝2.729×10-27÷(2.238×10-24)＝1.219×10-3
地下の電子のラブと電子のラブの間の引力の比＝1.219×10-3÷(4.877×10-11)＝2.499×107
地下4000Km
電子のラブと電子のラブの間の引力＝電子のラブが1秒間に作る磁気の光子のエネルギー2÷公転軌道2＝(4.671×10-14J)2÷(1.673×10-12m)2＝2.182×10-27÷(2.799×10-24)＝7.796×10-4
地下の電子のラブと電子のラブの間の引力の比＝7.796×10-4÷(4.877×10-11)＝1.599×107
地下3000Km
電子のラブと電子のラブの間の引力＝電子のラブが1秒間に作る磁気の光子のエネルギー2÷公転軌道2＝(4.045×10-14J)2÷(1.932×10-12m)2＝1.636×10-27÷(3.733×10-24)＝4.383×10-4
地下の電子のラブと電子のラブの間の引力の比＝4.383×10-3÷(4.877×10-11)＝8.987×107
地下2000Km
電子のラブと電子のラブの間の引力＝電子のラブが1秒間に作る磁気の光子のエネルギー2÷公転軌道2＝(3.303×10-14J)2÷(2.366×10-12m)2＝1.091×10-27÷(5.598×10-24)＝1.949×10-4
地下の電子のラブと電子のラブの間の引力の比＝1.949 ×10-4÷(4.877×10-11)＝3.996×106
地下1000Km
電子のラブと電子のラブの間の引力＝電子のラブが1秒間に作る磁気の光子のエネルギー2÷公転軌道2＝(2.336×10-14J)÷(3.346×10-12m)2＝5.457×10-28J÷(1.120×10-23)＝4.872×10-5
地下の電子のラブと電子のラブの間の引力の比＝4.872×10-5÷(4.877×10-11)＝9.990×105
まとめて表に示す。
地下における温度とAと電子のラブの公転軌道と電子のラブの質量エネルギーと電子のラブの密度と電子のラブが1秒間に作る磁気の光子のエネルギーと電子のラブと電子のラブの間の引力。地表との比較
表２２
2018064437.tif 000028
【請求項５】
太陽の深さにおける温度と電子のラブの公転軌道と時間と空間と電子のラブの質量エネルギーと電子のラブの密度と電子のラブが1秒間に作る磁気の光子のエネルギーと電子のラブと電子のラブとの間の引力。地表との比較。
１．2007年3月26日に提出した、特願2007−112389．「空間と時間と軌道エネルギーと引力」の「請求項3」に記した事
太陽の深さでは、時間と空間は地表の何分の1か。地表を1とするといくらか。「請求項3」
これを表にする。
表２３
2018064437.tif 000029
2．太陽の深さにおける、空間と時間。地表との比較。
空間の比
・空間の比＝太陽の深さの電子のラブの公転軌道÷地表の電子のラブの公転軌道＝太陽の深さの電子のラブの公転軌道÷(1.058×10-10m)
太陽の深さ7×105Km
太陽の深さの電子のラブの公転軌道＝地表の電子のラブの公転軌道÷A＝1.058×10-10m÷(3.873×103)＝2.732×10-14m
空間の比＝2.732×10-14m÷(1.058×10-10m)＝2.582×10-4
太陽の深さ6×105Km
太陽の深さの電子のラブの公転軌道＝1.058×10-10m÷(3.873×103)＝2.732×10-14m
空間の比＝2.732×10-14m÷(1.058×10-10m)＝2.582×10-4
太陽の深さ5×105Km
太陽の深さの電子のラブの公転軌道＝1.058×10-10m÷(3.428×103)＝3.086×10-14m
空間の比＝3.086×10-14m÷(1.058×10-10m)＝2.917×10-4
太陽の深さ4×105Km
太陽の深さの電子のラブの公転軌道＝1.058×10-10m÷(2.915×103)＝3.630×10-14m
空間の比＝3.630×10-14m÷(1.058×10-10m)＝3.431×10-4
太陽の深さ3×105Km
太陽の深さの電子のラブの公転軌道＝1.058×10-10m÷(2.291×103)＝4.618×10-14m
空間の比＝4.618×10-14m÷(1.058×10-10m)＝4.365×10-4
太陽の深さ2×105Km
太陽の深さの電子のラブの公転軌道＝1.058×10-10m÷(1.414×103)＝7.482×10-14m
空間の比＝7.482×10-14m÷(1.058×10-10m)＝7.072×10-4
太陽の深さ105Km
太陽の深さの電子のラブの公転軌道＝1.058×10-10m÷103＝1.058×10-13m
空間の比＝1.058×10-13m÷(1.058×10-10m)＝10-3
太陽の深さ104Km
太陽の深さの電子のラブの公転軌道＝1.058×10-10m÷(3.162×102)＝3.346×10-13m
空間の比＝3.346×10-13m÷(1.058×10-10m)＝3.163×10-3
太陽の深さ103Km
太陽の深さの電子のラブの公転軌道＝1.058×10-10m÷102＝1.058×10-12m
空間の比＝1.058×10-12m÷(1.058×10-10m)＝10-2
太陽の深さ4×102Km
太陽の深さの電子のラブの公転軌道＝1.058×10-10m÷80＝1.323×10-12m
空間の比＝1.323×10-12m÷(1.058×10-10m)＝1.250×10-2
太陽の深さ１Km
太陽の深さの電子のラブの公転軌道＝1.058×10-10m÷65.574＝1.613×10-12m
空間の比＝1.613×10-12m÷(1.058×10-10m)＝1.525×10-2
時間の比＝秒速の比
・時間の比＝秒速の比＝太陽の深さの電子のラブの秒速÷地表の電子のラブの秒速＝3.14×公転軌道×(7.96×107)2÷(2.105×106m)
太陽の深さ7×105Km
秒速は3.14×2.732×10-14m×(7.96×107)2＝5.435×102m    
時間の比＝秒速の比＝5.435×102m÷(2.105×106m)＝2.582×10-4
太陽の深さ6×105Km
秒速は3.14×2.732×10-14m×(7.96×107)2＝5.435×102m    
時間の比＝秒速の比＝5.435×102m÷(2.105×106m)＝2.582×10-4
太陽の深さ5×105Km
秒速は3.14×3.086×10-14m×(7.96×107)2＝6.140×102m    
時間の比＝秒速の比＝6.140×102m÷(2.105×106m)＝2.917×10-4
太陽の深さ4×105Km
秒速は3.14×3.630×10-14m×(7.96×107)2＝7.222×102m    
時間の比＝秒速の比＝7.222×102m÷(2.105×106m)＝3.431×10-4
太陽の深さ3×105Km
秒速は3.14×4.618×10-14m×(7.96×107)2＝9.188×102m    
時間の比＝秒速の比＝9.188×102m÷(2.105×106m)＝4.365×10-4
太陽の深さ2×105Km
秒速は3.14×7.482×10-14m×(7.96×107)2＝1.488×103m    
時間の比＝秒速の比＝1.488×103m÷(2.105×106m)＝7.069×10-4
太陽の深さ105Km
秒速は3.14×1.058×10-13m×(7.96×107)2＝2.105×103m    
時間の比＝秒速の比＝2.105×103m÷(2.105×106m)＝10-3
太陽の深さ104Km
秒速は3.14×3.346×10-13m×(7.96×107)2＝6.657×103m    
時間の比＝秒速の比＝6.657×103m÷(2.105×106m)＝3.162×10-3
太陽の深さ103Km
秒速は3.14×1.058×10-12m×(7.96×107)2＝2.105×104m    
時間の比＝秒速の比＝2.105×104m÷(2.105×106m)＝10-2
太陽の深さ4×102Km
秒速は3.14×1.323×10-12m×(7.96×107)2＝2.632×104m    
時間の比＝秒速の比＝2.632×104m÷(2.105×106m)＝1.250×10-2
太陽の深さ1Km
秒速は3.14×1.613×10-12m×(7.96×107)2＝3.209×104m    
時間の比＝秒速の比＝3.209×104m÷(2.105×106m)＝1.524×10-2
まとめて表に示す。
太陽の深さにおける温度とAと電子のラブの公転軌道と空間の比と秒速と時間の比
表２４
2018064437.tif 000030
3．太陽の深さにおける電子のラブの質量エネルギー。地表との比較。太陽の深さにおける質量エネルギー。
質量エネルギー＝9.628×10-41Jm÷軌道×c2の式により計算する。
地表の電子のラブの質量エネルギー＝9.628×10-41Jm÷(1.058×10-10m)×c2＝9.100×10-31J×9×1016＝8.190×10-14J
・電子のラブの質量エネルギーの比＝太陽の深さの電子のラブの質量エネルギー÷地表の電子のラブの質量エネルギー＝太陽の深さの電子のラブの質量エネルギー÷(8.190×10-14J)
太陽の深さ7×105Km。
電子のラブの軌道＝地表の電子のラブの軌道÷A=1.058×10-10m÷(3.873×103)＝2.732×10-14m
質量エネルギー＝9.628×10-41Jm÷軌道×c2＝9.628×10-41Jm÷(2.732×10-14m)×9×1016＝3.524×10-27J×9×1016＝3.172×10-10J
電子のラブの質量エネルギーの比＝3.172×10-10J÷(8.190×10-14J)＝3.873×103
太陽の深さ6×105Km
電子のラブの軌道＝地表の電子のラブの軌道÷A=1.058×10-10m÷(3.873×103) ＝2.732×10-14m
質量エネルギー＝9.628×10-41Jm÷軌道×c2＝9.628×10-41Jm÷(2.732×10-14m) ×9×1016＝3.524×10-27J×9×1016＝3.172×10-10J
電子のラブの質量エネルギーの比＝3.172×10-10J÷(8.190×10-14J)＝3.873×103 
太陽の深さ5×105Km
電子のラブの軌道＝地表の電子のラブの軌道÷A=1.058×10-10m÷(3.428×103)＝3.086×10-14m
質量エネルギー＝9.628×10-41Jm÷軌道×c2＝9.628×10-41Jm÷(3.086×10-14m) ×9×1016＝3.120×10-27J×9×1016＝2.808×10-10J
電子のラブの質量エネルギーの比＝2.808×10-10J÷(8.190×10-14J)＝3.429×103
太陽の深さ4×105Km
電子のラブの軌道＝地表の電子のラブの軌道÷A=1.058×10-10m÷(2.915×103)＝3.630×10-14m
質量エネルギー＝9.628×10-41Jm÷軌道＝9.628×10-41Jm÷(3.630×10-14m) ×9×1016＝2.652×10-27J×9×1016＝2.387×10-10J
電子のラブの質量エネルギーの比＝2.387×10-10J÷(8.190×10-14J＝2.915×103
太陽の深さ3×105Km
電子のラブの軌道＝地表の電子のラブの軌道÷A=1.058×10-10m÷(2.291×103)＝4.618×10-14m
質量エネルギー＝9.628×10-41Jm÷軌道×c2＝9.628×10-41Jm÷(4.618×10-14m) ×9×1016＝2.085×10-27J×9×1016＝1.877×10-10J
電子のラブの質量エネルギーの比＝1.877×10-10J÷(8.190×10-14J)＝2.292×103
太陽の深さ2×105Km
電子のラブの軌道＝地表の電子のラブの軌道÷A=1.058×10-10m÷(1.414×103)＝7.482×10-14m
質量エネルギー＝9.628×10-41Jm÷軌道×c2＝9.628×10-41Jm÷(7.482×10-14m) ×9×1016＝1.287×10-27J×9×1016＝1.158×10-10J
電子のラブの質量エネルギーの比＝1.158×10-10J÷(8.190×10-14J)＝1.414×103
太陽の深さ105Km
電子のラブの軌道＝地表の電子のラブの軌道÷A=1.058×10-10m÷103＝1.058×10-13m
質量エネルギー＝9.628×10-41Jm÷軌道×c2＝9.628×10-41Jm÷(1.058×10-13m) ×9×1016＝9.100×10-28J×9×1016＝8.190×10-11J
電子のラブの質量エネルギーの比＝8.190×10-11J ÷(8.190×10-14J)＝103 
太陽の深さ104Km
電子のラブの軌道＝地表の電子のラブの軌道÷A=1.058×10-10m÷(3.162×102)＝3.346×10-13m
質量エネルギー＝9.628×10-41Jm÷軌道×c2＝9.628×10-41Jm÷(3.346×10-13m) ×9×1016＝2.877×10-28J×9×1016＝2.589×10-11J
電子のラブの質量エネルギーの比＝2.589×10-11J ÷(8.190×10-14J)＝3.161×102 
太陽の深さ103Km
電子のラブの軌道＝地表の電子のラブの軌道÷A=1.058×10-10m÷102＝1.058×10-12m
質量エネルギー＝9.628×10-41Jm÷軌道×c2＝9.628×10-41Jm÷(1.058×10-12m) ×9×1016＝9.100×10-29J×9×1016＝8.190×10-12J
電子のラブの質量エネルギーの比＝8.190×10-12J ÷(8.190×10-14J)＝102
太陽の深さ4×102Km
電子のラブの軌道＝地表の電子のラブの軌道÷A=1.058×10-10m÷80＝1.323×10-12m
質量エネルギー＝9.628×10-41Jm÷軌道×c2＝9.628×10-41Jm÷(1.323×10-12m) ×9×1016＝7.277×10-29J×9×1016＝6.549×10-12J
電子のラブの質量エネルギーの比＝6.549×10-12J ÷(8.190×10-14J)＝7.996×10
太陽の深さ１Km
電子のラブの軌道＝地表の電子のラブの軌道÷A=1.058×10-10m÷65.574＝1.613×10-12m
質量エネルギー＝9.628×10-41Jm÷軌道×c2＝9.628×10-41Jm÷(1.613×10-12m) ×9×1016＝5.969×10-29J×9×1016＝5.372×10-12J、です。
電子のラブの質量エネルギーの比＝5.372×10-12J÷(8.190×10-14J)＝6.559×10
4．太陽の深さにおける電子のラブの密度。地表との比較。太陽の深さにおける密度。
密度＝電子のラブの質量÷公転軌道3
地表の密度＝9.109×10-31Kg÷(1.058×10-10m)3 ＝9.109×10-31Kg÷(1.184×10-30m3)＝7.693×10-1
・太陽の深さの密度の比＝太陽の深さの密度÷地表の密度＝太陽の深さの密度÷(7.693×10-1)
太陽の深さ7×105Km
密度＝電子のラブの質量÷公転軌道3＝9.109×10-31Kg÷(2.732×10-14m)3＝9.109×10-31Kg÷(2.039×10-42m3)＝4.467×1010
太陽の深さの密度の比＝4.467×1010÷ (7.693×10-1)＝5.807×1010
太陽の深さ6×105Km
密度＝電子のラブの質量÷公転軌道3＝9.109×10-31Kg÷(2.732×10-14m)3＝9.109×10-31Kg÷(2.039×10-41m3)＝4.467×1010
太陽の深さの密度の比＝4.467×1010÷(7.693×10-1)＝5.807×1010
太陽の深さ5×105Km
密度＝電子のラブの質量÷公転軌道3＝9.109×10-31Kg÷(3.086×10-14m)3＝9.109×10-31Kg÷(2.939×10-41m3)＝3.099×1010
太陽の深さの密度の比＝3.099×1010÷(7.693×10-1)＝4.028×1010
太陽の深さ4×105Km
密度＝電子のラブの質量÷公転軌道3＝9.109×10-31Kg÷(3.630×10-14m)3＝9.109×10-31Kg÷(4.783×10-41m3)＝1.904×1010
太陽の深さの密度の比＝1.904×1010÷(7.693×10-1)＝2.475×1010
太陽の深さ3×105Km
密度＝電子のラブの質量÷公転軌道3＝9.109×10-31Kg÷(4.618×10-14m)3＝9.109×10-31Kg÷(9.848×10-41m3)＝9.250×109
太陽の深さの密度の比＝9.250×109÷(7.693×10-1)＝1.202×1010
太陽の深さ2×105Km
密度＝電子のラブの質量÷公転軌道3＝9.109×10-31Kg÷(7.482×10-14m)3＝9.109×10-31Kg÷(4.188×10-40m3)＝2.175×109
太陽の深さの密度の比＝2.175×109÷(7.693×10-1)＝2.827×109
太陽の深さ105Km
密度＝電子のラブの質量÷公転軌道3＝9.109×10-31Kg÷(1.058×10-13m)3＝9.109×10-31Kg÷(1.184×10-39m3)＝7.693×108
太陽の深さの密度の比＝7.693×108÷(7.693×10-1)＝109
太陽の深さ104Km
密度＝電子のラブの質量÷公転軌道3＝9.109×10-31Kg÷(3.346×10-13m)3＝9.109×10-31Kg÷(3.746×10-38m3)＝2.432×107
太陽の深さの密度の比＝2.432×107÷(7.693×10-1)＝3.161×107
太陽の深さ103Km
密度＝電子のラブの質量÷公転軌道3＝9.109×10-31Kg÷(1.058×10-12m)3＝9.109×10-31Kg÷(1.184×10-36m3)＝7.693×105
太陽の深さの密度の比＝7.693×105÷(7.693×10-1)＝106
太陽の深さ4×102Km
密度＝電子のラブの質量÷公転軌道3＝9.109×10-31Kg÷(1.323×10-12m)3＝9.109×10-31Kg÷(2.316×10-36m3)＝3.933×105
太陽の深さの密度の比＝3.933×105÷(7.693×10-1)＝5.112×105
太陽の深さ1Km
密度＝電子のラブの質量÷公転軌道3＝9.109×10-31Kg÷(1.613×10-12m)3＝9.109×10-31Kg÷(4.197×10-36m3)＝2.170×105
太陽の深さの密度の比＝2.170×105÷(7.693×10-1)＝2.821×105
5．太陽の深さにおける電子のラブが1秒間に作る磁気の光子のエネルギー。地表との比較。太陽の深さにおける引力。
電子のラブが1秒間に作る磁気の光子のエネルギー＝7.815×10-26Jm÷公転軌道
地表の電子のラブが1秒間に作る磁気の光子のエネルギー＝7.815×10-26Jm÷(1.058×10-10m)＝7.387×10-16J
・電子のラブが1秒間に作る磁気の光子のエネルギーの比＝太陽の深さの電子のラブが1秒間に作る磁気の光子のエネルギー÷地表の電子のラブが1秒間に作る磁気の光子のエネルギー＝太陽の深さの電子のラブが1秒間に作る磁気の光子のエネルギー÷(7.387×10-16J)
太陽の深さ7×105Km
電子のラブが1秒間に作る磁気の光子のエネルギー＝7.815×10-26Jm÷公転軌道＝7.815×10-26Jm÷(2.732×10-14m)＝2.861×10-12J
電子のラブが1秒間に作る磁気の光子のエネルギーの比＝2.861×10-12J÷(7.387×10-16J)＝3.873×103
太陽の深さ6×105Km
電子のラブが1秒間に作る磁気の光子のエネルギー＝7.815×10-26Jm÷公転軌道＝7.815×10-26Jm÷(2.732×10-14m)＝2.861×10-12J
電子のラブが1秒間に作る磁気の光子のエネルギーの比＝2.861×10-12J÷(7.387×10-16J)＝3.873×103
太陽の深さ5×105Km
電子のラブが1秒間に作る磁気の光子のエネルギー＝7.815×10-26Jm÷公転軌道＝7.815×10-26Jm÷(3.086×10-14m)＝2.532×10-12J
電子のラブが1秒間に作る磁気の光子のエネルギーの比＝2.532×10-12J÷(7.387×10-16J)＝3.428×103
太陽の深さ4×105Km
電子のラブが1秒間に作る磁気の光子のエネルギー＝7.815×10-26Jm÷公転軌道＝7.815×10-26Jm÷(3.630×10-14m)＝2.153×10-12J
電子のラブが1秒間に作る磁気の光子のエネルギーの比＝2.153×10-12J÷(7.387×10-16J)＝2.915×103
太陽の深さ3×105Km
電子のラブが1秒間に作る磁気の光子のエネルギー＝7.815×10-26Jm÷公転軌道＝7.815×10-26Jm÷(4.618×10-14m)＝1.692×10-12J
電子のラブが1秒間に作る磁気の光子のエネルギーの比＝1.692×10-12J÷(7.387×10-16J)＝2.291×103
太陽の深さ2×105Km
電子のラブが1秒間に作る磁気の光子のエネルギー＝7.815×10-26Jm÷公転軌道＝7.815×10-26Jm÷(7.482×10-14m)＝1.045×10-12J
電子のラブが1秒間に作る磁気の光子のエネルギーの比＝1.045×10-12J÷(7.387×10-16J)＝1.415×103
太陽の深さ105Km
電子のラブが1秒間に作る磁気の光子のエネルギー＝7.815×10-26Jm÷公転軌道＝7.815×10-26Jm÷(1.058×10-13m)＝7.387×10-13J
電子のラブが1秒間に作る磁気の光子のエネルギーの比＝7.387×10-13J÷(7.387×10-16J)＝103
太陽の深さ104Km
電子のラブが1秒間に作る磁気の光子のエネルギー＝7.815×10-26Jm÷公転軌道＝7.815×10-26Jm÷(3.346×10-13m)＝2.336×10-13J
電子のラブが1秒間に作る磁気の光子のエネルギーの比＝2.336×10-13J÷(7.387×10-16J)＝3.162×102
太陽の深さ103Km
電子のラブが1秒間に作る磁気の光子のエネルギー＝7.815×10-26Jm÷公転軌道＝7.815×10-26Jm÷(1.058×10-12m)＝7.387×10-14J
電子のラブが1秒間に作る磁気の光子のエネルギーの比＝7.387×10-14J÷(7.387×10-16J)＝102
太陽の深さ4×102Km
電子のラブが1秒間に作る磁気の光子のエネルギー＝7.815×10-26Jm÷公転軌道＝7.815×10-26Jm÷(1.323×10-12m)＝5.907×10-14J
電子のラブが1秒間に作る磁気の光子のエネルギーの比＝5.907×10-14J÷(7.387×10-16J)＝7.996×10
太陽の深さ1Km
電子のラブが1秒間に作る磁気の光子のエネルギー＝7.815×10-26Jm÷公転軌道＝7.815×10-26Jm÷(1.613×10-12m)＝4.845×10-14J
電子のラブが1秒間に作る磁気の光子のエネルギーの比＝4.845×10-14J÷(7.387×10-16J)＝6.559×10
6．太陽の深さの電子のラブと電子のラブの間の引力。地表との比較。太陽の深さの物と物との間の引力。
太陽の深さの電子のラブと電子のラブの間の引力＝太陽の深さの電子のラブが1秒間に作る磁気の光子のエネルギー2÷公転軌道2
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
・太陽の深さの電子のラブと電子のラブの間の引力の比＝太陽の深さの電子のラブと電子のラブの間の引力÷地表の電子のラブと電子のラブの間の引力＝太陽の深さの電子のラブと電子のラブの間の引力÷(4.877×10-11)
太陽の深さ7×105Km
電子のラブと電子のラブの間の引力＝電子のラブが1秒間に作る磁気の光子のエネルギー2÷公転軌道2＝(2.861×10-12J)2÷(2.732×10-14m)2＝8.185×10-24J÷(7.464×10-28)m2＝1.097×104
電子のラブと電子のラブの間の引力の比＝1.097×104÷(4.877×10-11)＝2.249×1014
太陽の深さ6×105Km
電子のラブと電子のラブの間の引力＝電子のラブが1秒間に作る磁気の光子のエネルギー2÷公転軌道2＝(2.861×10-12J)2÷(2.732×10-14m)2＝8.185×10-24J÷(7.464×10-28)m2＝1.097×104
電子のラブと電子のラブの間の引力の比＝1.097×104÷(4.877×10-11)＝2.249×1014
太陽の深さ5×105Km
電子のラブと電子のラブの間の引力＝電子のラブが1秒間に作る磁気の光子のエネルギー2÷公転軌道2＝(2.532×10-12J)2÷(3.086×10-14m)2＝6.411×10-24J÷(9.523×10-28)m2＝6.732×103
電子のラブと電子のラブの間の引力の比＝6.732×103÷(4.877×10-11)＝1.380×1014
太陽の深さ4×105Km
電子のラブと電子のラブの間の引力＝電子のラブが1秒間に作る磁気の光子のエネルギー2÷公転軌道2＝(2.153×10-12J)2÷(3.630×10-14m)2＝4.635×10-24J÷(1.318×10-27)m2＝3.517×103
電子のラブと電子のラブの間の引力の比＝3.517×103÷(4.877×10-11)＝7.211×1013
太陽の深さ3×105Km
電子のラブと電子のラブの間の引力＝電子のラブが1秒間に作る磁気の光子のエネルギー2÷公転軌道2＝(1.692×10-12J)2÷(4.618×10-14m)2＝2.863×10-24J÷(2.133×10-27)m2＝1.342×103
電子のラブと電子のラブの間の引力の比＝1.342×103÷(4.877×10-11)＝2.752×1013
太陽の深さ2×105Km
電子のラブと電子のラブの間の引力＝電子のラブが1秒間に作る磁気の光子のエネルギー2÷公転軌道2＝(1.045×10-12J)2÷(7.482×10-14m)2＝1.092×10-24J÷(5.598×10-27)m2＝1.951×102
電子のラブと電子のラブの間の引力の比＝1.951×102÷(4.877×10-11)＝4.000×1012
太陽の深さ105Km
電子のラブと電子のラブの間の引力＝電子のラブが1秒間に作る磁気の光子のエネルギー2÷公転軌道2＝(7.387×10-13J)2÷(1.058×10-13m)2＝5.457×10-25J÷(1.119×10-26) m2＝4.877×10
電子のラブと電子のラブの間の引力の比＝4.877×10÷(4.877×10-11)＝1012
太陽の深さ104Km
電子のラブと電子のラブの間の引力＝電子のラブが1秒間に作る磁気の光子のエネルギー2÷公転軌道2＝(2.336×10-13J)2÷(3.346×10-13m)2＝5.457×10-26J÷(1.120×10-25)m2＝4.872×10-1
電子のラブと電子のラブの間の引力の比＝4.872×10-1÷(4.877×10-11)＝1010
太陽の深さ103Km
電子のラブと電子のラブの間の引力＝電子のラブが1秒間に作る磁気の光子のエネルギー2÷公転軌道2＝(7.387×10-14J)2÷(1.058×10-12m)2＝5.457×10-27J÷(1.119×10-24)m2＝4.877×10-3
電子のラブと電子のラブの間の引力の比＝4.877×10-3÷(4.877×10-11)＝108
太陽の深さ4×102Km
電子のラブと電子のラブの間の引力＝電子のラブが1秒間に作る磁気の光子のエネルギー2÷公転軌道2＝(5.907×10-14J)2÷(1.323×10-12m)2＝3.489×10-27J÷(1.750×10-24) m2＝1.994×10-3
電子のラブと電子のラブの間の引力の比＝1.994×10-3÷(4.877×10-11)＝4.089×107
太陽の深さ1Km
電子のラブと電子のラブの間の引力＝電子のラブが1秒間に作る磁気の光子のエネルギー2÷公転軌道2＝(4.845×10-14J)2÷(1.613×10-12m)2＝2.347×10-27J÷(2.602×10-24)m2＝9.020×10-4
電子のラブと電子のラブの間の引力の比＝9.020×10-4÷(4.877×10-11)＝1.849×107
まとめて表に示す。
太陽の深さにおける温度とAと電子のラブの軌道と電子のラブの質量エネルギーと電子のラブの密度と電子のラブが1秒間に作る磁気の光子のエネルギーと電子のラブと電子のラブの間の引力。地表との比較。
表２５
2018064437.tif 000031
2018064437.tif 000032
【請求項６】
ブラックホールの時間と空間と質量エネルギーと密度と1秒間に作る磁気の光子のエネルギー
1．2007年3月26日に提出した、特願2007−112389．「空間と時間と軌道エネルギーと引力」の「請求項4」に記した事。
ブラックホールの時間と空間は、地表の何分の1か。地表を1とするといくらか。
ブラックホールの温度を1.5×1010℃としますと、温度1/2=1.225×105℃  A=1.225×105
ブラックホールの時間と空間は、地表の1.225×105分の1です。
1÷（1.225×105）＝8.163×10−6
時間は地表を１とすると、8.163×10−6に短縮しています。
空間は地表を１とすると、8.163×10−6に縮小しています。
2．ブラックホールの陽子1個の質量エネルギーはいくらか。
ブラックホールのAは7.378×105です。
陽子のラブの軌道は、8.665×10-24Jm÷(1.503×10-10J)＝5.765×10-14m、です。
ブラックホールの陽子のラブの軌道は、5.765×10-14m÷(7.378×105)＝7.814×10-20m、です。
ブラックホールの陽子のラブの粒子の質量は、粒子の質量＝9.628×10-41Jm÷軌道＝9.628×10-41Jm÷(7.814×10-20m)＝1.232×10-21Kg、です。
ブラックホールの陽子のラブ1個の質量は1.232×10-21Kgです。
これは、ブラックホールの1個の陽子のラブの質量＝陽子のラブの質量×ブラックホールのA＝1.672×10-27Kg×7.378×105＝1.234×10-21Kg、と同じ値です。
3．ブラックホールの陽子1個が1秒間に作る磁気の光子のエネルギーはいくらか。
陽子1個が1秒間に作る磁気の光子のエネルギー＝2.323×10-32Jm÷公転軌道＝2.323×10-32Jm÷(7.814×10-20m)＝1.815×10-11Jこれは間違いです。
この値は電子のラブが太陽の中心で作るエネルギーの値に近いです。それで、ブラックホールは陽子ではない。
もしかしたら、ブラックホールは中性子達が収縮したものかもしれません。
4．ブラックホールは中性子達が収縮したものである。
ブラックホールのAは7.378×105です。
中性子のラブのエネルギー＝939.565×1.60217×10-19J×106＝1.505×10-10J
a.空間
中性子のラブの公転軌道＝8.665×10-24Jm÷(1.505×10-10J)＝5.757×10-14m
ブラックホールの中性子の公転軌道＝5.757×10-14m÷(7.378×105)＝7.803×10-20m
ブラックホールの空間は地表の何倍か。
ブラックホールの中性子の公転軌道÷中性子の地表での公転軌道＝7.803×10-20m÷(5.757×10-14m)＝1.355×10-6(倍)
時間＝秒速
地表の中性子の秒速＝3.14×5.757×10-14m×(7.96×107)2＝1.145×103m
ブラックホールの中性子の秒速＝3.14×7.803×10-20m×(7.96×107)2＝1.552×10-3m
ブラックホールの時間は地表の何倍か。
ブラックホールの中性子の秒速÷中性子の秒速＝1.552×10-3m÷(1.145×103m)＝1.355×10-6(倍)
b.質量エネルギー
地表の中性子の質量＝939.565×106×1.7827×10-36Kg＝1.675×10-27Kg
ブラックホールの中性子の質量＝1.675×10-27Kg
地表の中性子の質量エネルギー＝1.675×10-27Kg×c2＝1.675×10-27Kg×9×1016＝1.508×10-10J
ブラックホールの中性子の質量エネルギー＝9.628×10-41Jm÷(7.803×10-20m)×c2＝1.234×10-21J×9×1016＝1.111×10-4J
ブラックホールの中性子の質量エネルギー÷地表の中性子の質量エネルギー＝1.111×10-4÷(1.508×10-10J)＝7.367×105(倍)
c.密度
地表の中性子の密度＝中性子の質量÷中性子のラブの公転軌道＝1.675×10-27Kg÷(5.757×10-14m)3＝1.675×10-27Kg÷(1.908×10-40m3)＝8.779×1012
ブラックホールの中性子の密度＝ブラックホールの中性子の質量÷ブラックホールの中性子の球体の体積＝ブラックホールの中性子のラブの質量÷ブラックホールの中性子のラブの公転軌道＝1.675×10-27Kg÷(7.804×10-20m)3＝1.675×10-27Kg÷(4.753×10-58m3)＝3.524×1030     
ブラックホールの中性子の密度の比＝ブラックホールの中性子の密度÷地表の中性子の密度＝3.524×1030÷ (8.779×1012)＝4.014×1017
d. 中性子が1秒間に作る磁気の光子のエネルギー
地表の中性子が1秒間に作る磁気の光子のエネルギー＝7.815×10-26Jm÷公転軌道＝7.815×10-26Jm÷(5.757×10-14m)＝1.357×10-12J
ブラックホールの中性子が1秒間に作る磁気の光子のエネルギー＝7.815×10-26Jm÷公転軌道＝7.815×10-26Jm÷(7.804×10-20m)＝1.001×10-6J
ブラックホールの中性子が1秒間に作る磁気の光子のエネルギーは地表中性子が1秒間に作る磁気の光子のエネルギーの何倍か。
ブラックホールの中性子が1秒間に作る磁気の光子のエネルギー÷地表の中性子が1秒間に作る磁気の光子のエネルギー＝1.001×10-6J÷(1.357×10-12J)＝7.377×105(倍)
【請求項７】
ブラックホールの物と物の間の引力は地表の物と物の間の引力の何倍か。
地表の中性子のラブと中性子のラブの間の引力＝地表の中性子が1秒間に作る磁気の光子のエネルギー2÷公転軌道2＝(1.357×10-12J)2÷(5.757×10-14m)2＝1.841×10-24J÷(3.314×10-27)m2＝5.555×102
ブラックホールの中性子のラブと中性子のラブの間の引力＝ブラックホールの中性子が1秒間に作る磁気の光子のエネルギー2÷公転軌道＝(1.001×10-6J)2÷(7.804×10-20m)2＝1.002×10-12J÷(6.090×10-39)m2＝1.645×1026
ブラックホールの中性子のラブと中性子のラブの間の引力の比＝ブラックホールの中性子のラブと中性子のラブの間の引力÷地表の中性子のラブと中性子のラブの間の引力＝1.645×1026÷(5.555×102)＝2.961×1023
・地表の引力は電子のラブが作るので、電子のラブと電子のラブの間の引力で比較する。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
ブラックホールの中性子のラブと中性子のラブの間の引力は、地表の電子のラブと電子のラブの間の引力の何倍か。
ブラックホールの中性子のラブと中性子のラブの間の引力÷地表の電子のラブと電子のラブの間の引力＝1.645×1026÷(4.877×10-11)＝3.373×1036
ブラックホールの物と物の間の引力は地表の物と物の間の引力の3.373×1036倍です。
この引力が光子をも吸引する。
まとめて表に示す。
ブラックホールの空間と時間と質量エネルギーと密度と1秒間に作る磁気の光子のエネルギーと引力。地表との比較。
表２６
2018064437.tif 000033
【請求項８】
中性子星の空間と時間と質量エネルギーと密度と1秒間に作る磁気の光子のエネルギーと引力。
中性子星のAは1.965×105です。
エネルギー
中性子のラブのエネルギー＝939.565×106×1.6021765×10-19J＝1.505×10-10J
中性子星の1個の中性子のラブのエネルギー＝中性子のラブのエネルギー×中性子星のA＝1.505×10-10J×1.965×105＝2.957×10-5J
エネルギーは、2.957×10-5J÷(1.505×10-10J)＝1.965×105倍、です。
a.空間
中性子のラブの公転軌道＝8.665×10-24Jm÷(1.505×10-10J)＝5.757×10-14m
中性子星の1個の中性子のラブの公転軌道＝中性子のラブの公転軌道÷中性子星のA ＝5.757×10-14m÷(1.965×105)＝2.930×10-19m
空間は、2.930×10-19m÷(5.757×10-14m)＝5.089×10-6、倍です。
時間
中性子のラブの秒速＝3.14×公転軌道×1秒間の公転数＝3.14×5.757×10-14m×(7.96×107)2＝1.145×103m
中性子星の1個の中性子のラブの秒速＝3.14×2.930×10-19m×(7.96×107)2＝5.829×10-3m
時間は、5.829×10-3m÷(1.145×103m)＝5.091×10-6倍、です。
b.質量エネルギー
地表の中性子のラブの質量＝939.565×106×1.7827×10-36Kg＝1.675×10-27Kg
中性子星の中性子のラブの質量＝1.675×10-27Kg
地表の中性子のラブの質量エネルギー＝1.675×10-27Kg×ｃ2＝1.675×10-27Kg×9×1016＝1.508×10-10J
中性子星の中性子のラブの質量エネルギー＝9.628×10-41Jm÷(2.930×10-19m)×c2＝3.286×10-22J×9×1016＝2.957×10-5J
中性子星の中性子の質量エネルギー÷地表の中性子の質量エネルギー＝2.957×10-5J÷(1.508×10-10J)＝1.961×105
c.密度
地表の中性子の密度＝中性子の質量÷中性子のラブの公転軌道＝1.675×10-27Kg÷(5.757×10-14m)3＝1.675×10-27Kg÷(1.908×10-40m3)＝8.779×1012
中性子星の中性子の密度＝中性子星の中性子の質量÷中性子星の中性子の球体の体積＝中性子星の中性子のラブの質量÷中性子星の中性子のラブの公転軌道＝1.675×10-27Kg÷(2.930×10-19m)3＝1.675×10-27Kg÷(2.515×10-56m3)＝6.660×1028
中性子星の中性子の密度の比＝中性子星の中性子の密度÷地表の中性子の密度＝6.660×1028÷ (8.779×1012)＝7.586×1015
d..引力
地表の中性子のラブが1秒間に作る磁気の光子のエネルギー＝7.815×10-26Jm÷公転軌道＝7.815×10-26Jm÷(5.757×10-14m)＝1.357×10-12J
中性子星の1個の中性子のラブが1秒間に作る磁気の光子のエネルギー＝7.815×10-26Jm÷公転軌道＝7.815×10-26Jm÷(2.930×10-19m)＝2.667×10-7J
中性子のラブが1秒間に作る磁気の光子のエネルギーは地表の中性子のラブが1秒間に作る磁気の光子のエネルギーの何倍か。
中性子星の1個の中性子のラブが1秒間に作る磁気の光子のエネルギー÷地表の中性子のラブが1秒間に作る磁気の光子のエネルギー＝2.667×10-7J÷(1.357×10-12J)＝1.965×105(倍)
【請求項９】
中性子星の物と物との間の引力は地表の物と物との間の引力の何倍か。
地表の中性子のラブと中性子のラブの間の引力＝地表の中性子が1秒間に作る磁気の光子のエネルギー2÷公転軌道2＝(1.357×10-12J)2÷(5.757×10-14m)2＝1.841×10-24J÷(3.314×10-27)m2＝5.555×102
中性子星の中性子のラブと中性子のラブの間の引力＝中性子星の中性子が1秒間に作る磁気の光子のエネルギー2÷公転軌道2＝ (2.667×10-7J)2÷(2.930×10-19m)2＝7.113
×10-14J÷(8.585×10-38)m2＝8.285×1023
中性子星の中性子のラブと中性子のラブの間の引力の比＝中性子星の中性子のラブと中性子のラブの間の引力÷地表の中性子のラブと中性子のラブの間の引力＝8.285×1023÷(5.555×102)＝1.491×1021
・地表の引力は電子のラブが作るので、電子のラブと電子のラブの間の引力で比較する。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
中性子星の中性子のラブと中性子のラブの間の引力は、地表の電子のラブと電子のラブの間の引力の何倍か。
中性子星の中性子のラブと中性子のラブの間の引力÷地表の電子のラブと電子のラブの間の引力＝8.285×1023÷(4.877×10-11)＝1.760×1034
中性子星の引力は地表の引力の1.760×1034倍です。
この引力が光子をも吸引する。
まとめて表に示す。
中性子星の空間と時間と質量エネルギーと密度と1秒間に作る磁気の光子のエネルギーと引力。地表との比較。
表２７
2018064437.tif 000034
【請求項１０】
ブラックホールのジェットは何によりできるか。ブラックホールの吸引力は何によりできるか。重力波はどのようにできるか。ブラックホールのジェットと吸引力と重力波の発生原理。
ブラックホールのジェットは吸い込む面に対して垂直の方向に噴射する。
ブラックホールの吸引力は磁気の光子の引力による。
磁気の光子の作用方向に対して、垂直の方向に働くのは電気の光子である。
即ち、ブラックホールのジェットは磁気の光子の作用方向に対して、垂直の方向に働くので、電気の光子の作用です。
ブラックホールのジェットは電気の光子の作用方向であり、電気の光子が作用している。
1公転で作る電気の光子のエネルギーと磁気の光子のエネルギーは、等しい。
よって、磁気の光子の働きである引力になる引くエネルギーと、電気の光子の働きである噴出するエネルギーは等しい。
ブラックホールの中性子のラブが1秒間に作る磁気の光子は、1.001×10-6Jで、この磁気の光子は引力に成る。
ブラックホールの中性子のラブが1秒間に作る電気の光子は、1.001×10-6Jで、この電気の光子は噴出力に成る。
重力波はブラックホールから発生する磁気の光子の波動です。
ブラックホールの中性子のラブが1秒間に作る磁気の光子は、1.001×10-6Jで、この磁気の光子が集まって重力波に成る。
例えば、ブラックホールの質量が10ｎ太陽質量の場合、ブラックホールの中性子数は、太陽の原子数×10ｎ個で、1秒間にできる磁気の光子のエネルギーは、太陽の原子数×10ｎ×10-6Jです。毎秒この磁気の光子のエネルギーが重力波として、ブラックホールから出る。毎秒この磁気の光子のエネルギーが引力に成る。
ブラックホールの質量が10ｎ太陽質量の場合、ブラックホールの中性子数は、太陽の原子数×10ｎ個で、1秒間にできる電気の光子のエネルギーは、太陽の原子数×10ｎ×10-6Jです。毎秒この電気の光子のエネルギーがジェットとして出る。
即ち、ブラックホールの引力のエネルギーとジェットのエネルギーは等しい。
【請求項１１】
中性子星のジェットは何によりできるか。中性子星の引力は何によりできるか。重力波はどのようにできるか。中性子星のジェットと引力と重力波の発生原理。
中性子星のジェットは中性子星の中の中性子のラブが作る電気の光子によりできる。中性子星の中性子のラブが1秒間に作る電気の光子は2.667×10-7Jです。この電気の光子のエネルギーが中性子星のジェットに成る。
中性子星の引力は中性子星の中の中性子のラブが作る磁気の光子によりできる。中性子星の中性子のラブが1秒間に作る磁気の光子は2.667×10-7Jです。この磁気の光子のエネルギーが中性子星の引力に成る。
中性子星の中の中性子のラブが作る電気の光子と磁気の光子の作用方向は垂直であり、ジェットと引力の作用方向も垂直である。
中性子星から出る重力波は、中性子星の中の中性子のラブが作る磁気の光子です。1秒間に作る磁気の光子は2.667×10-7Jです。この磁気の光子のエネルギーが中性子星から軌道状に伝播する。
中性子星の質量が10m太陽質量だとすると、1秒間に放出する磁気の光子は、太陽の原子数×10m×2.667×10-7Jです。このエネルギーが引力に成り、重力波になる。
中性子星の質量が10m太陽質量だとすると、1秒間に放出する電気の光子は、太陽の原子数×10m×2.667×10-7Jです。このエネルギーが中性子星のジェットと中性子星のパルサーに成る。
即ち、中性子星の引力のエネルギーとジェットのエネルギーは等しい。
中性子星のパルサーはエネルギーが弱い中性子星から噴出する電気の光子です。
まとめて表に示す。
ブラックホールの質量が10ｎ太陽質量の場合のブラックホールの引力と重力波とジェットのエネルギー
中性子星の質量が10m太陽質量の場合の中性子星の引力と重力波とジェットのエネルギー
表２８
2018064437.tif 000035
【請求項１２】
ビッグバンから電磁気の解体はどのように進んだか。背景放射から考える。その2。背景放射の波長の長さの拡大は、空間の拡大による。
2015年12月15日に提出した、特願2015-244677、「マイナスの宇宙３」の「請求項１９」に次のように記した。
(ビッグバンから電磁気の解体はどのように進んだか。背景放射から考える。
背景放射の波長は、2×10−3mで、温度は、2.73Kです。
背景放射の軌道は2×10−3m÷2＝10−3m、です。
背景放射のエネルギーは、2.73×1.38065×10−23J=3.769×10−23J、です。
ビッグバンで放出した電磁気は外部の環境にあわせたエネルギー体に変化した。
その温度は、2.73Kです。そのエネルギーは3.769×10−23Jです。軌道は3.269×10−19mです。これがインフレ―ションです。
ビッグバンで放出した、電子のラブに成るはずの電磁気1個のエネルギーは1.256×10-9Jで、軌道は9.817×10−33mです。
ビッグバンで放出した、陽子のラブに成るはずの電磁気1個のエネルギーは2.306×10−6Jで、軌道は5.347×10−36mです。
この電磁気は外部の環境にあわせたエネルギー体に変化しその温度は、2.73Kに成った。そのエネルギーは3.769×10−23Jに成った。軌道は3.269×10−19mに成った。
電子のラブに成るはずの電磁気1個のエネルギーは、1.256×10-9J÷(3.769×10−23J)＝3.332×1013分の1に成り、軌道は、3.332×1013倍に成り、9.817×10−33m×3.332×1013＝3.269×10−19m、に成った。
陽子のラブに成るはずの電磁気1個のエネルギーは、2.306×10−6J÷(3.769×10−23J)＝6.118×1016分の1に成り、軌道は、6.118×1016倍に成り、5.347×10−36m×6.118×1016＝3.271×10−19m、に成った。
更に軌道は10−3mに成り、10−3m÷(3.269×10−19m)＝3.059×1015倍に成った。
ビッグバンで放出した、電子のラブに成るはずの電磁気1個はどのように変化したか。ビッグバンで放出した、陽子のラブに成るはずの電磁気1個はどのように変化したか。
表２９
2018064437.tif 000036
)
今回は、更に軌道は10−3mに成り、10−3m÷(3.269×10−19m)＝3.059×1015倍に成った事について考察する。
１．背景放射の波長の長さの拡大は、空間の拡大による。
空間が大きく成り、電磁気の波長の長さが長くなったためです。
ビッグバンの時10-24mの公転軌道であった電子のラブの公転軌道は地表で、1.058×10-10mに成った。公転軌道は、1.058×10-10m÷10-24m＝1.058×1014倍に成った。
空間は、1.058×1014倍に成った。
それで、インフレーションで、3.269×10-19mの電磁気の軌道は、1.058×1014倍に成り、3.269×10-19m×1.058×1014＝3.459×10-4mに成った。
この波長は、軌道の2倍ですから、2×3.459×10-4m＝6.918×10-4m、です。
更に波長は、ほぼ直線になり、3.14倍の長さに成っているので、6.918×10-4m×3.14＝2.172×10-3mに成った。
背景放射の波長が2×10-3mであるのは、空間が広がったためです。長さが長く成ったためです。
【請求項１３】
A=2.343×109の場合(1.821×10-19Jを基本電磁気とするとき)、１Jの電子のラブができ、電子のラブの軌道は10−24mになった。電磁気は膨張した事に成ります。10−24m÷(6.771×10−41m)＝1.477×1016倍に膨張した事に成ります。質量エネルギー＝9.628×10-41Jm÷軌道×=c2の意味する事。その2
2015年12月15日に提出した、特願2015-244677の「請求項1４」に於いて、A=2.343×109の場合(1.821×10-19Jを基本電磁気とするとき)、１Jの電子のラブができ、電子のラブの軌道は10−24mになった。電磁気は膨張した事に成ります。10−24m÷(6.771×10−41m)＝1.477×1016倍に膨張した事に成ると記した。これはその再考察です。
A=2.343×109の場合(1.821×10-19Jを基本電磁気とするとき)、１Jの電子のラブができ、電子のラブの軌道は10−24mになった。電磁気は膨張した事に成ります。
何倍に電磁気は膨張したか。
A=2.343×109の場合(1.821×10-19Jを基本電磁気とするとき)、１Jの電子のラブができるとき、電磁気の軌道は、1.233×10-41Jm÷１J＝1.233×10-41m、です。
その1.233×10-41mの軌道の電磁気が、１Jの電子のラブに成り、電子のラブの軌道は10−24mに成ったのですから、軌道が1.233×10-41mの物から、軌道が10−24mに成ったのですから、
軌道の大きさは、10−24m÷(1.233×10-41m)＝8.110×1016倍に成った。
電磁気は粒子(高エネルギーの電磁気)に成り、軌道は、8.110×1016倍に膨張した。
○この事により、粒子は電磁気の8.110×1016倍(c2倍)のエネルギーを持つ電磁気である事が理解できる。
E=mc2ではなく、
質量エネルギー＝9.628×10-41Jm÷軌道×c2、です。
A=2.343×109の場合(1.821×10-19Jを基本電磁気とするとき)、1836Jの陽子のラブができるとき、電磁気の軌道は、1.233×10-41Jm÷1836J＝6.716×10-45m、です。
その6.716×10-45mの軌道の電磁気が、1836Jの陽子のラブに成り、陽子のラブの軌道は、8.665×10-24Jm÷1836J＝4.719×10-27mになった。電磁気は膨張した事に成ります。
何倍に電磁気は膨張したか。
電磁気から陽子のラブができるとき、
軌道の大きさは、4.719×10-27m÷(6.716×10-45m)＝7.027×1017倍に膨張した。
特願2015-244677の「請求項1４」の表を次のように訂正する。
表３０
2018064437.tif 000037
2018064437.tif 000038
【発明の詳細な説明】
【技術分野】
【０００１】
本発明は時間と空間と軌道エネルギーと密度と引力に関するものである。
【背景技術】
【０００２】
2007年3月26日に提出した、特願2007-112389の「請求項1」において、次のように記した。
1．軌道が小さくなるほど時間は短縮する。高エネルギーの場ほど、時間は短縮している。低エネルギーの場ほど、時間は伸びている。時間の短縮と拡大の原理。
2016年2月16日に提出した特願2016-026470「粒子の質量と電磁気の質量の統一」において、次のように記した。
「請求項6」粒子の質量＝9.628×10-41Jm÷軌道の式と、電磁気の質量＝1.370×10-58Jm÷軌道の式と、m＝E ÷c2の式と、電磁気の質量＝1.111×10-17×電磁気のエネルギーの式と、粒子の質量＝1.111×10-17×粒子のエネルギーの式は成立する。これを「粒子の質量と電磁気の質量の統一」と名付ける。
【先行技術文献】
【特許文献】
【０００３】
【特許文献１】特願2007-112389
【特許文献１】特願2015-244677
【特許文献１】特願2016-026470
【発明の概要】
【発明が解決しようとする課題】
【０００４】
1．次の事に関して検討する。
2．Aを用いたアインシュタインの相対性理論について。
3．宇宙の時間と空間と電子のラブの質量エネルギーと電子のラブの密度と電子のラブが1秒間に作る磁気の光子のエネルギーと電子のラブと電子のラブの間の引力。地表との比較。
4．地球の地下の温度と電子のラブの公転軌道と空間と時間と電子のラブの質量エネルギーと電子のラブの密度と電子のラブが1秒間に作る磁気の光子のエネルギーと電子のラブと電子のラブとの間の引力。地表との比較。
5．太陽の深さにおける電子のラブの公転軌道と時間と空間と電子のラブの質量エネルギーと電子のラブの密度と電子のラブが1秒間に作る磁気の光子のエネルギーと電子のラブと電子のラブとの間の引力。地表との比較。
6．ブラックホールの時間と空間と質量エネルギーと密度と1秒間に作る磁気の光子のエネルギー
7．ブラックホールの引力は地表の引力の何倍か。
8．中性子星の空間と時間と質量エネルギーと密度と1秒間に作る磁気の光子のエネルギー。
9．中性子星の引力は地表の引力の何倍か。
10．ブラックホールのジェットは何によりできるか。ブラックホールの引力は何によりできるか。重力波はどのようにできるか。ブラックホールのジェットと引力と重力波の発生原理。
11．中性子星のジェットは何によりできるか。中性子星の引力は何によりできるか。重力波はどのようにできるか。中性子星のジェットと引力と重力波の発生原理。
12．ビッグバンから電磁気の解体はどのように進んだか。背景放射から考える。その2
13．A=2.343×109の場合(1.821×10-19Jを基本電磁気とするとき)、１Jの電子のラブができ、電子のラブの軌道は10−24mになった。電磁気は膨張した事に成ります。10−24m÷(6.771×10−41m)＝1.477×1016倍に膨張した事に成ります。質量エネルギー＝9.628×10-41Jm÷軌道×c2の意味する事。その2
【課題を解決するための手段】
【０００５】
1の1．時間は1/Aになる。
1の2．長さは1/Aになる。面積は1/A2になる。体積は1/A3になる。球の体積は、0.523×1/A3になる。
1の3．例えば、地球が収縮し、ブラックホールに成る場合、原子数は変わりません。地球の元素はブラックホールに成ると中性子に成る。しかし、その素粒子の数は変わらない。質量も変わらない。よって、素粒子1個の質量は変わらない。
球体の場合、球の体積は、0.523×1/A3になる。
球体が、縦横列を正しく整頓して並んだ場合、球体を入れる容積は１/A3に成る。
それで、密度の場合、体積は１/A3に成るとする。
1の4．9.628×10-41Jm÷軌道、の式はエネルギーを求める式であり、質量エネルギー＝9.628×10-41Jm÷軌道×ｃ2、です。
アインシュタインのE＝mc2 の式は地表だけに適応される式であり、他の高エネルギーの場や低エネルギーの場には適応できない。質量は不変であるからです。
c2を用いる式で表現すると、正確には、E＝9.628×10-41Jm÷公転軌道×c2、です。
又は、E＝8.665×10-24Jm÷公転軌道、です。
1の5．引力は磁気の光子のエネルギーですから、A倍です。
2つの物の間の引力＝A4
2．1と同じ
3の1．2007年3月26日に提出した、特願2007−112389．「空間と時間と軌道エネルギーと引力」の「請求項6」に記した事。
3の2．宇宙における、空間と時間
宇宙の空間の比＝電子のラブの軌道の比＝宇宙の電子のラブの公転軌道÷地表の電子のラブの公転軌道＝宇宙の電子のラブの公転軌道÷(1.058×10-10m)
地表の電子のラブの秒速は3.14×(1.058×10-10m)× (7.96×107)2＝2.105×106m、です。
宇宙の時間の比＝秒速の比＝宇宙の時間と地球の時間の比＝宇宙の電子のラブの秒速÷地表の電子のラブの秒速＝宇宙の電子のラブの秒速÷(2.105×106m)
3の3．宇宙における電子のラブの質量エネルギー
質量エネルギー＝9.628×10-41Jm÷軌道×c2、の式により計算する。
地表の電子のラブの質量エネルギーは、質量エネルギー＝9.628×10-41Jm÷軌道×c2＝9.628×10-41Jm÷(1.058×10-10m)×9×1016＝9.100×10-31J×9×1016＝8.190×10-14J、です。
宇宙の電子のラブの質量エネルギー＝9.628×10-41Jm÷軌道×c2
宇宙の電子のラブの質量エネルギーの比＝宇宙の電子のラブの質量エネルギー÷地表の電子のラブの質量エネルギー＝宇宙の電子のラブの質量エネルギー÷(8.19×10-14J)
3の4．宇宙における電子のラブの密度
密度＝電子のラブの質量÷公転軌道3
地表の密度＝9.100×10-31Kg÷(1.058×10-10m)3＝9.109×10-31Kg÷(1.184×10-30)m＝7.693×10-1
宇宙の電子のラブの密度の比＝宇宙の電子のラブの密度÷地表の電子のラブの密度＝宇宙の電子のラブの密度÷(7.693×10-1)
3の5．宇宙の電子のラブが1秒間に作る磁気の光子のエネルギー
電子のラブが1秒間に作る磁気の光子のエネルギー＝7.815×10-26Jm÷公転軌道
地表の電子のラブが1秒間に作る磁気の光子のエネルギー＝7.815×10-26Jm÷公転軌道＝7.815×10-26Jm÷(1.058×10-10m)＝7.387×10-16J
宇宙の電子のラブが1秒間に作る磁気の光子のエネルギーの比＝宇宙の電子のラブが1秒間に作る磁気の光子のエネルギー÷地表の電子のラブが1秒間に作る磁気の光子のエネルギー＝宇宙の電子のラブが1秒間に作る磁気の光子のエネルギー÷(7.387×10-16J)
3の6．宇宙の電子のラブと電子のラブの間の引力。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
宇宙の電子のラブと電子のラブの間の引力の比＝宇宙の電子のラブと電子のラブの間の引力÷地表の電子のラブと電子のラブの間の引力＝宇宙の電子のラブと電子のラブの間の引力÷(4.877×10-11)
4の1．2007年3月26日に提出した、特願2007−112389．「空間と時間と軌道エネルギーと引力」の「請求項2」に記した事。
4の2．地球の地下における、空間と時間
空間の比＝宇宙の電子のラブの公転軌道÷地表の電子のラブの公転軌道＝宇宙の電子のラブの公転軌道÷(1.058×10-10m)
地表の電子のラブの秒速は3.14×(1.058×10-10m)× (7.96×107)2＝2.105×106m、です。
時間の比＝秒速の比＝宇宙の電子のラブの秒速÷地表の電子のラブの秒速＝宇宙の電子のラブの秒速÷(2.105×106m)
4の3．地球の地下における電子のラブの質量エネルギー
質量エネルギー＝9.628×10-41Jm÷軌道×c2、の式により計算する。
地表の電子のラブの質量エネルギーは、質量エネルギー＝9.628×10-41Jm÷軌道×c2＝9.628×10-41Jm÷(1.058×10-10m)×9×1016＝9.100×10-31J×9×1016＝8.190×10-14J、です。
質量エネルギーの比＝地下の電子のラブの質量エネルギー÷地表の電子のラブの質量エネルギー＝地下の電子のラブの質量エネルギー÷(8.190×10-14J)
4の4．地下における電子のラブの密度。
密度＝電子のラブの質量÷公転軌道3
地表の密度＝9.100×10-31Kg÷(1.058×10-10m)3＝9.109×10-31Kg÷(1.184×10-30)m＝7.693×10-1
地下の密度の比＝地下の密度÷地表の密度＝地下の密度÷(7.693×10-1)
4の5．地下における電子のラブが1秒間に作る磁気の光子のエネルギー
電子のラブが1秒間に作る磁気の光子のエネルギー＝7.815×10-26Jm÷公転軌道
地表の電子のラブが1秒間に作る磁気の光子のエネルギー＝7.815×10-26Jm÷公転軌道＝7.815×10-26Jm÷(1.058×10-10m)＝7.387×10-16J
電子のラブが1秒間に作る磁気の光子のエネルギーの比＝地球の地下の電子のラブが1秒間に作る磁気の光子のエネルギー÷地表の電子のラブが1秒間に作る磁気の光子のエネルギー＝地球の地下の電子のラブが1秒間に作る磁気の光子のエネルギー÷(7.387×10-16J)
4の6．地下の電子のラブと電子のラブの間の引力。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
地下の電子のラブと電子のラブの間の引力の比＝地下の電子のラブと電子のラブの間の引力÷地表の電子のラブと電子のラブの間の引力＝地下の電子のラブと電子のラブの間の引力÷(4.877×10-11)
5の１．2007年3月26日に提出した、特願2007−112389．「空間と時間と軌道エネルギーと引力」の「請求項3」に記した事
5の2．太陽の深さにおける、空間と時間
空間の比＝太陽の深さの電子のラブの公転軌道÷地表の電子のラブの公転軌道＝太陽の深さの電子のラブの公転軌道÷(1.058×10-10m)
時間の比＝秒速の比＝太陽の深さの電子のラブの秒速÷地表の電子のラブの秒速＝3.14×公転軌道×(7.96×107)2÷(2.105×106m)
5の3．太陽の深さにおける電子のラブの質量エネルギー
質量エネルギー＝9.628×10-41Jm÷軌道×c2の式により計算する。
地表の電子のラブの質量エネルギー＝9.628×10-41Jm÷(1.058×10-10m)×c2＝9.100×10-31J×9×1016＝8.190×10-14J
電子のラブの質量エネルギーの比＝太陽の深さの電子のラブの質量エネルギー÷地表の電子のラブの質量エネルギー＝太陽の深さの電子のラブの質量エネルギー÷(8.190×10-14J)
5の4．太陽の深さにおける電子のラブの密度。
密度＝電子のラブの質量÷公転軌道3
地表の密度＝9.100×10-31Kg÷(1.058×10-10m)3 ＝9.109×10-31Kg÷(1.184×10-30)m＝7.693×10-1
太陽の深さの密度の比＝太陽の深さの密度÷地表の密度＝太陽の深さの密度÷(7.693×10-1)
5の5．太陽の深さにおける電子のラブが1秒間に作る磁気の光子のエネルギー
電子のラブが1秒間に作る磁気の光子のエネルギー＝7.815×10-26Jm÷公転軌道
地表の電子のラブが1秒間に作る磁気の光子のエネルギー＝7.815×10-26Jm÷(1.058×10-10m)＝7.387×10-16J
電子のラブが1秒間に作る磁気の光子のエネルギーの比＝太陽の深さの電子のラブが1秒間に作る磁気の光子のエネルギー÷地表の電子のラブが1秒間に作る磁気の光子のエネルギー＝太陽の深さの電子のラブが1秒間に作る磁気の光子のエネルギー÷(7.387×10-16J)
5の6．太陽の深さの電子のラブと電子のラブの間の引力。
太陽の深さの電子のラブと電子のラブの間の引力＝太陽の深さの電子のラブが1秒間に作る磁気の光子のエネルギー2÷公転軌道2
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
太陽の深さの電子のラブと電子のラブの間の引力の比＝太陽の深さの電子のラブと電子のラブの間の引力÷地表の電子のラブと電子のラブの間の引力＝太陽の深さの電子のラブと電子のラブの間の引力÷(4.877×10-11)
6の1．2007年3月26日に提出した、特願2007−112389．「空間と時間と軌道エネルギーと引力」の「請求項4」に記した事。
6の2．ブラックホールの陽子1個の質量エネルギーはいくらか。
6の3．ブラックホールの陽子1個が1秒間に作る磁気の光子のエネルギーはいくらか。
もしかしたら、ブラックホールは中性子が収縮したものかもしれません。
6の4．ブラックホールは中性子が収縮したものである。
a. ブラックホールの空間と時間
b. ブラックホールの質量エネルギー
c.ブラックホールの密度
d. ブラックホールの中性子が1秒間に作る磁気の光子のエネルギー
6の7. 地表の引力は電子のラブが作るので、電子のラブと電子のラブの間の引力で比較する。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
ブラックホールの中性子のラブと中性子のラブの間の引力は、地表の電子のラブと電子のラブの間の引力の何倍か。
ブラックホールの中性子のラブと中性子のラブの間の引力÷地表の電子のラブと電子のラブの間の引力＝＝1.645×1026÷(4.877×10-11)＝3.373×1036
8．中性子星について。
a. 中性子星の空間と時間
b. 中性子星の質量エネルギー
c. 中性子星の密度
d. 中性子星の中性子が1秒間に作る磁気の光子のエネルギー
9．地表の引力は電子のラブが作るので、電子のラブと電子のラブの間の引力で比較する。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
中性子星の中性子のラブと中性子のラブの間の引力は、地表の電子のラブと電子のラブの間の引力の何倍か。
中性子星の中性子のラブと中性子のラブの間の引力÷地表の電子のラブと電子のラブの間の引力＝8.291×1023÷(4.877×10-11)＝1.700×1034
10．ブラックホールのジェットは吸い込む面に対して垂直の方向に噴射する。
ブラックホールの吸引力は磁気の光子の引力による。
磁気の光子の作用方向に対して、垂直の方向に働くのは電気の光子である。
11．中性子星の質量が10m太陽質量だとすると、1秒間に放出する磁気の光子は、太陽の原子数×10m×2.668×10-7Jです。このエネルギーが引力に成り、重力波になる。
中性子星の質量が10m太陽質量だとすると、1秒間に放出する電気の光子は、太陽の原子数×10m×2.668×10-7Jです。このエネルギーがジェットに成る。
12．背景放射の波長の長さの拡大は、空間の拡大による。
13．1.233×10-41mの軌道の電磁気が、１Jの電子のラブに成り、電子のラブの軌道は10−24mに成ったのですから、軌道が1.233×10-41mの物から、軌道が10−24mに成ったのですから、
軌道の大きさは、10−24m÷(1.233×10-41m)＝8.110×1016倍に成った。
電磁気は粒子(高エネルギーの電磁気)に成り、軌道は、8.110×1016倍に膨張した。
○この事により、粒子は電磁気の8.110×1016倍(c2倍)のエネルギーを持つ電磁気である事が理解できる。
【発明の効果】
【０００６】
１．各々の課題についての結果をまとめて表に記す。
【図面の簡単な説明】
【０００７】
【図１】図１はブラックホールのジェットは何によりできるか。ブラックホールの引力は何によりできるか。重力波はどのようにできるか。ブラックホールのジェットと引力と重力波の発生原理。ブラックホール(１)のジェット(２)は吸い込む面(３)に対して垂直の方向に噴射する。ブラックホールの吸引力は磁気の光子の引力(４)による。磁気の光子の作用方向に対して、垂直の方向に働くのは電気の光子(５)である。即ち、ブラックホールのジェットは磁気の光子の引力の作用方向に対して、垂直の方向に働くので、電気の光子の作用です。ブラックホールのジェットは電気の光子の作用方向であり、電気の光子が作用している。1公転で作る電気の光子のエネルギーと磁気の光子のエネルギーは等しい。よって、磁気の光子の働きである引力になる引くエネルギーと、電気の光子の働きである噴出するエネルギーは等しい。ブラックホールの中性子のラブが1秒間に作る磁気の光子は、1.001×10-6Jで、この磁気の光子は引力に成る。ブラックホールの中性子のラブが1秒間に作る電気の光子は、1.001×10-6Jで、この電気の光子は噴出力に成る。重力波(６)はブラックホールから発生する磁気の光子の波動です。ブラックホールの中性子のラブが1秒間に作る磁気の光子は、1.001×10-6Jで、この磁気の光子が集まって重力波に成る。例えば、ブラックホールの質量が10ｎ太陽質量の場合、ブラックホールの中性子数は、太陽の原子数×10ｎ個で、1秒間にできる磁気の光子のエネルギーは、10-6J×太陽の原子数×10ｎです。毎秒この磁気の光子のエネルギーが重力波として、ブラックホールから出る。毎秒この磁気の光子のエネルギーが引力に成る。毎秒この電気の光子のエネルギーがジェットとして出る。即ち、ブラックホールの引力のエネルギーとジェットのエネルギーは等しい。
【図２】図２は宇宙の変化を示す。宇宙の時代に於いて、時間と空間、電子の質量エネルギー、電子のラブの密度、電子のラブが1秒間に作る磁気の光子のエネルギー、電子のラブと電子のラブの間の引力がどのようであるかを示す。この事により、宇宙の時代に於ける、時間と空間、質量エネルギー、密度、引力、物と物との間の引力を理解できる。地表の何倍であるかを理解できる。これは、アインシュタインの相対性理論を具体的に数字で表したものです。電子のラブの公転軌道が10-23mの宇宙に於いて、時間と空間は9.452×10-14倍。質量エネルギーと引力は1.058×1013倍、密度は1.184×1039倍、物と物との間の引力は1.252×1052倍です。電子のラブの公転軌道が10-22mの宇宙に於いて、時間と空間は9.452×10-13倍。質量エネルギーと引力は1.058×1012倍、密度は1.184×1036倍、物と物との間の引力は1.252×1048倍です。電子のラブの公転軌道が10-21mの宇宙に於いて、時間と空間は9.452×10-12倍。質量エネルギーと引力は1.058×1011倍、密度は1.184×1033倍、物と物との間の引力は1.252×1044倍です。電子のラブの公転軌道が10-20mの宇宙に於いて、時間と空間は9.452×10-11倍。質量エネルギーと引力は1.058×1010倍、密度は1.184×1030倍、物と物との間の引力は1.252×1040倍です。電子のラブの公転軌道が10-19mの宇宙に於いて、時間と空間は9.452×10-10倍。質量エネルギーと引力は1.058×109倍、密度は1.184×1027倍、物と物との間の引力は1.252×1036倍です。電子のラブの公転軌道が10-18mの宇宙に於いて、時間と空間は9.452×10-9倍。質量エネルギーと引力は1.058×108倍、密度は1.184×1024倍、物と物との間の引力は1.252×1032倍です。電子のラブの公転軌道が10-17mの宇宙に於いて、時間と空間は9.452×10-8倍。質量エネルギーと引力は1.058×107倍、密度は1.184×1021倍、物と物との間の引力は1.252×1028倍です。電子のラブの公転軌道が10-16mの宇宙に於いて、時間と空間は9.452×10-7倍。質量エネルギーと引力は1.058×106倍、密度は1.184×1018倍、物と物との間の引力は1.252×1024倍です。電子のラブの公転軌道が10-15mの宇宙に於いて、時間と空間は9.452×10-6倍。質量エネルギーと引力は1.058×105倍、密度は1.184×1015倍、物と物との間の引力は1.252×1020倍です。電子のラブの公転軌道が10-14mの宇宙に於いて、時間と空間は9.452×10-5倍。質量エネルギーと引力は1.058×104倍、密度は1.184×1012倍、物と物との間の引力は1.252×1016倍です。電子のラブの公転軌道が10-13mの宇宙に於いて、時間と空間は9.452×10-4倍。質量エネルギーと引力は1.058×103倍、密度は1.184×109倍、物と物との間の引力は1.252×1012倍です。電子のラブの公転軌道が10-12mの宇宙に於いて、時間と空間は9.452×10-3倍。質量エネルギーと引力は1.058×102倍、密度は1.184×106倍、物と物との間の引力は1.252×108倍です。電子のラブの公転軌道が10-11mの宇宙に於いて、時間と空間は9.452×10-2倍。質量エネルギーと引力は1.058×10倍、密度は1.184×103倍、物と物との間の引力は1.252×104倍です。電子のラブの公転軌道が10-10mの宇宙に於いて、時間と空間は9.452×10-1倍。質量エネルギーと引力は1.058倍、密度は1.184倍、物と物との間の引力は1.252倍です。電子のラブの公転軌道が10-9mの宇宙に於いて、時間と空間は9.452倍。質量エネルギーと引力は1.058×10-1倍、密度は1.184×10-3倍、物と物との間の引力は1.252×10-4倍です。
【発明を実施するための形態】
【０００８】
１．    次の事に関して検討する。
1．場のエネルギーが、地表のA倍の場合、時間はどのようであるか。
1秒間に5回転すると、1回転は1/5秒。時間は1/5
1秒間に10回転すると、1回転は1/10秒。時間は1/10
時間は1/Aになる。
2．場のエネルギーが、地表のA倍の場合、長さはどのようであり、体積はどのようであり、球の体積はどのようであるか。
長さは1/Aになる。
面積は1/A2になる。
体積は1/A3になる。
球の体積は、4/3×πｒ3＝4/3×π(軌道/2)3＝4/3×π×軌道3÷8＝3.14÷(3×2) ×軌道3＝3.14÷6×軌道3＝0.523×軌道3＝0.523×(1/A)3=0.523×1/A3
球の体積は0.523×1/A3になる。
3．場のエネルギーが、地表のA倍の場合、質量はどのようであるか。密度はどのようであるか。
質量は一定です。
例えば、地球が収縮し、ブラックホールに成る場合、原子数は変わりません。地球の元素はブラックホールに成ると中性子に成る。しかし、その素粒子の数は変わらない。質量も変わらない。よって、素粒子1個の質量は変わらない。但し、容積は１/A3に成る。
密度はどのようであるか。
電子のラブの密度＝電子のラブの質量÷電子のラブの球体の体積＝電子のラブの質量÷電子のラブの公転軌道3
質量は変わらず、容積は１/A3に成るから、密度はA3倍に成る。
球体の場合、球の体積は、0.523×1/A3になる。
球体が、縦横列を正しく整頓して並んだ場合、球体を入れる容積は１/A3に成る。
それで、密度の場合、体積は１/A3に成るとする。
4．粒子の質量＝9.628×10-41Jm÷軌道、と考えた。しかし、質量は一定です。それならば、9.628×10-41Jm÷軌道の式は何を意味するのか。
A=１である地表では、電子のラブの軌道は1.058×10-10mですから、9.628×10-41Jm÷軌道＝9.628×10-41Jm÷(1.058×10-10m)＝9.100×10-31J、です。
A=10では、エネルギーは10倍で、軌道は1/10ですから、9.628×10-41Jm÷軌道＝9.628×10-41Jm÷(1.058×10-11m)＝9.100×10-30J、です。
この式はエネルギーの式です。
電子のラブは高エネルギーの場で、公転軌道が小さく成り、エネルギーは大きく成る。
素粒子は高エネルギーの場で、軌道が小さく成り、エネルギーは大きく成る。
素粒子は高エネルギーの場で、高エネルギーに成り、軌道は小さく成る。
素粒子は低エネルギーの場で、軌道が大きく成り、エネルギーは小さく成る。
素粒子は低エネルギーの場で、低エネルギーに成り、軌道は大きく成る。
それで、質量エネルギーにすると、質量エネルギー＝9.628×10-41Jm÷軌道×ｃ2、です。
質量は不変です。しかし、Aの場では、エネルギーはA倍に成り、質量エネルギーもA倍に成る。
即ち、9.628×10-41Jm÷軌道、の式はエネルギーを求める式であり、質量エネルギー＝9.628×10-41Jm÷軌道×ｃ2、です。
○アインシュタインのE=mc2 の式は地表だけに適応される式であり、他の高エネルギーの場や低エネルギーの場には適応できない。質量は不変であるからです。
c2を用いる式で表現すると、正確には、E＝9.628×10-41Jm÷公転軌道×c2、です。
又は、E＝8.665×10-24Jm÷公転軌道、です。
5．場のエネルギーが、地表のA倍の場合、引力はどのようであるか。
引力は磁気の光子のエネルギーですから、A倍です。
2つの物の間の引力＝磁気の光子のエネルギー×磁気の光子のエネルギー÷離れている距離2＝A×A÷長さ2＝A×A÷(1/A)2＝A4 
２．    Aを用いたアインシュタインの相対性理論について。
1．時間と空間については、アインシュタインの相対性理論は1/Aに成る。
2．長さについては、アインシュタインの相対性は1/Aに成る。
面積については、アインシュタインの相対性理論は1/A2に成る。
体積については、アインシュタインの相対性理論は1/A3に成る。
球体の体積については、アインシュタインの相対性理論は球の体積は0.523×1/A3に成る。
球体の容積については、アインシュタインの相対性理論は1/A3に成る。
3．質量については、アインシュタインの相対性理論は適応されず、一定です。
質量エネルギーについては、アインシュタインの相対性理論はA倍に成る。
4．密度については、アインシュタインの相対性理論はA3倍になる。
5．質量エネルギーについては、アインシュタインの相対性理論はE＝9.628×10-41Jm÷公転軌道×c2になる。又は、E＝8.665×10-24Jm÷公転軌道になる。
6．引力については、アインシュタインの相対性理論はA倍に成る。
2つの物の間の引力は、A4倍に成る。
まとめて表に示す。
Aを用いたアインシュタインの相対性理論について
表１
2018064437.tif 000003
３．    宇宙の時間と空間と電子のラブの質量エネルギーと電子のラブの密度と電子のラブが1秒間に作る磁気の光子のエネルギーと電子のラブと電子のラブの間の引力。地表との比較。
1．2007年3月26日に提出した、特願2007−112389．「空間と時間と軌道エネルギーと引力」の「請求項6」に記した事。
宇宙の場において、電子のラブのエネルギーと電子のラブの軌道とA（地表を1とするエネルギーの比）と空間と時間と温度と引力を表にするとどのようであるか。「請求項6」
ラブの軌道エネルギー＝8.665×10−24Jm  です。
宇宙の電子の軌道エネルギーもこの式によって表現できる。
宇宙の電子のラブの軌道とエネルギーから、地表を1とする、エネルギーの比と空間の比と時間の比と温度の比と引力の比が理解できる。
それを、表にする。
表２
2018064437.tif 000004
2．宇宙における、空間と時間。地表との比較。
空間の比
宇宙の電子のラブのエネルギーが8.665Jで、電子のラブの公転軌道が10-24mの場はビッグバンの場です。
・空間の比＝電子のラブの軌道の比＝宇宙の電子のラブの公転軌道÷地表の電子のラブの公転軌道＝宇宙の電子のラブの公転軌道÷(1.058×10-10m)
電子のラブの公転軌道が10-23mの宇宙
空間の比＝電子のラブの公転軌道の比＝10−23m÷(1.058×10-10m)=9.452×10-14
電子のラブの公転軌道が10-22mの宇宙
空間の比＝電子のラブの公転軌道の比＝10−22m÷(1.058×10-10m)=9.452×10-13
電子のラブの公転軌道が10-21mの宇宙
空間の比＝電子のラブの公転軌道の比＝10−21m÷(1.058×10-10m)=9.452×10-12
電子のラブの公転軌道が10-20mの宇宙
空間の比＝電子のラブの公転軌道の比＝10−20m÷(1.058×10-10m)=9.452×10-11
電子のラブの公転軌道が10-19mの宇宙
空間の比＝電子のラブの公転軌道の比＝10−19m÷(1.058×10-10m)=9.452×10-10
電子のラブの公転軌道が10-18mの宇宙
空間の比＝電子のラブの公転軌道の比＝10−18m÷(1.058×10-10m)=9.452×10-9
電子のラブの公転軌道が10-17mの宇宙
空間の比＝電子のラブの公転軌道の比＝10−17m÷(1.058×10-10m)=9.452×10-8
電子のラブの公転軌道が10-16mの宇宙
空間の比＝電子のラブの公転軌道の比＝10−16m÷(1.058×10-10m)=9.452×10-7
電子のラブの公転軌道が10-15mの宇宙
空間の比＝電子のラブの公転軌道の比＝10−15m÷(1.058×10-10m)=9.452×10-6
電子のラブの公転軌道が10-14mの宇宙
空間の比＝電子のラブの公転軌道の比＝10−14m÷(1.058×10-10m)=9.452×10-5
電子のラブの公転軌道が10-13mの宇宙
空間の比＝電子のラブの公転軌道の比＝10−13m÷(1.058×10-10m)=9.452×10-4
電子のラブの公転軌道が10-12mの宇宙
空間の比＝電子のラブの公転軌道の比＝10−12m÷(1.058×10-10m)=9.452×10-3
電子のラブの公転軌道が10-11mの宇宙
空間の比＝電子のラブの公転軌道の比＝10−11m÷(1.058×10-10m)=9.452×10-2
電子のラブの公転軌道が10-10mの宇宙
空間の比＝電子のラブの公転軌道の比＝10−10m÷(1.058×10-10m)=9.452×10-1
電子のラブの公転軌道が10-9mの宇宙
空間の比＝電子のラブの公転軌道の比＝10−9m÷(1.058×10-10m)=9.452
時間の比＝秒速の比
地表の電子のラブの秒速＝3.14×電子のラブの公転軌道×1秒間の公転数＝3.14×1.058×10-10m×(7.96×107)2＝2.105×106m
・時間の比＝秒速の比＝宇宙の時間と地球の時間の比＝宇宙の電子のラブの秒速÷地表の電子のラブの秒速＝宇宙の電子のラブの秒速÷(2.105×106m)
電子のラブの公転軌道が10-23mの宇宙
秒速＝3.14×10-23m×(7.96×107)2＝1.990×10-7m
時間の比＝秒速の比＝1.990×10-7m÷(2.105×106m)＝9.454×10-14
電子のラブの公転軌道が10-22mの宇宙
秒速＝3.14×10-22m×(7.96×107)2＝1.990×10-6m
時間の比＝秒速の比＝1.990×10-6m÷(2.105×106m)＝9.454×10-13
電子のラブの公転軌道が10-21mの宇宙
秒速＝3.14×10-21m×(7.96×107)2＝1.990×10-5m
時間の比＝秒速の比＝1.990×10-5m÷(2.105×106m)＝9.454×10-12
電子のラブの公転軌道が10-20mの宇宙
秒速＝3.14×10-20m×(7.96×107)2＝1.990×10-4m
時間の比＝秒速の比＝1.990×10-4m÷(2.105×106m)＝9.454×10-11
電子のラブの公転軌道が10-19mの宇宙
秒速＝3.14×10-19m×(7.96×107)2＝1.990×10-3m
時間の比＝秒速の比＝1.990×10-3m÷(2.105×106m)＝9.454×10-10
電子のラブの公転軌道が10-18mの宇宙
秒速＝3.14×10-18m×(7.96×107)2＝1.990×10-2m
時間の比＝秒速の比＝1.990×10-2m÷(2.105×106m)＝9.454×10-9
電子のラブの公転軌道が10-17mの宇宙
秒速＝3.14×10-17m×(7.96×107)2＝1.990×10-1m
時間の比＝秒速の比＝1.990×10-1m÷(2.105×106m)＝9.454×10-8
電子のラブの公転軌道が10-16mの宇宙
秒速＝3.14×10-16m×(7.96×107)2＝1.990m
時間の比＝秒速の比＝1.990×1m÷(2.105×106m)＝9.454×10-7
電子のラブの公転軌道が10-15mの宇宙
秒速＝3.14×10-15m×(7.96×107)2＝1.990×10m
時間の比＝秒速の比＝1.990×10m÷(2.105×106m)＝9.454×10-6
電子のラブの公転軌道が10-14mの宇宙
秒速＝3.14×10-14m×(7.96×107)2＝1.990×102m
時間の比＝秒速の比＝1.990×102m÷(2.105×106m)＝9.454×10-5
電子のラブの公転軌道が10-13mの宇宙
秒速＝3.14×10-13m×(7.96×107)2＝1.990×103m
時間の比＝秒速の比＝1.990×103m÷(2.105×106m)＝9.454×10-4
電子のラブの公転軌道が10-12mの宇宙
秒速＝3.14×10-12m×(7.96×107)2＝1.990×104m
時間の比＝秒速の比＝1.990×104m÷(2.105×106m)＝9.454×10-3
電子のラブの公転軌道が10-11mの宇宙
秒速＝3.14×10-11m×(7.96×107)2＝1.990×105m
時間の比＝秒速の比＝1.990×105m÷(2.105×106m)＝9.454×10-2
電子のラブの公転軌道が10-10mの宇宙
秒速＝3.14×10-10m×(7.96×107)2＝1.990×106m
時間の比＝秒速の比＝1.990×106m÷(2.105×106m)＝9.454×10-1
電子のラブの公転軌道が10-9mの宇宙
秒速＝3.14×10-9m×(7.96×107)2＝1.990×107m
時間の比＝秒速の比＝1.990×107m÷(2.105×106m)＝9.454
まとめて表に示す。
宇宙における電子のラブの公転軌道と電子のラブのエネルギーと空間の比と電子のラブの秒速と時間の比。地表との比較。
表３
2018064437.tif 000005
3．宇宙における電子のラブの質量エネルギー。地表との比較。宇宙における質量エネルギー。
質量エネルギー＝9.628×10-41Jm÷軌道×c2、の式により計算する。
地表の電子のラブの質量エネルギー＝9.628×10-41Jm÷(1.058×10-10m)×c2＝9.100×10-31J×9×1016＝8.190×10-14J
・電子のラブの質量エネルギーの比＝宇宙の電子のラブの質量エネルギー÷地表の電子のラブの質量エネルギー＝宇宙の電子のラブの質量エネルギー÷(8.190×10-14J)
電子のラブの公転軌道が10−23mの宇宙
電子のラブの質量エネルギー＝9.628×10-41Jm÷10−23m×ｃ2＝9.628×10-18J×9×1016＝8.665×10-1J
電子のラブの質量エネルギーの比＝8.665×10-1J ÷(8.190×10-14J)＝1.058×1013
電子のラブの公転軌道が10−22mの宇宙
電子のラブの質量エネルギー＝9.628×10-41Jm÷10−22m×ｃ2＝9.628×10-19J×9×1016＝8.665×10-2J
電子のラブの質量エネルギーの比＝8.665×10-2J ÷(8.190×10-14J)＝1.058×1012
電子のラブの公転軌道が10−21mの宇宙
電子のラブの質量エネルギー＝9.628×10-41Jm÷10−21m×ｃ2＝9.628×10-20J×9×1016＝8.665×10-3J
電子のラブの質量エネルギーの比＝8.665×10-3J ÷(8.190×10-14J)＝1.058×1011
電子のラブの公転軌道が10−20mの宇宙
電子のラブの質量エネルギー＝9.628×10-41Jm÷10−20m×ｃ2＝9.628×10-21J×9×1016＝8.665×10-4J 
電子のラブの質量エネルギーの比＝8.665×10-4J ÷(8.190×10-14J)＝1.058×1010
電子のラブの公転軌道が10−19mの宇宙
電子のラブの質量エネルギー＝9.628×10-41Jm÷10−19m×c2＝9.628×10-22J×9×1016＝8.665×10-5J
電子のラブの質量エネルギーの比＝8.665×10-5J ÷(8.190×10-14J)＝1.058×109
電子のラブの公転軌道が10−18mの宇宙
電子のラブの質量エネルギー＝9.628×10-41Jm÷10−18m×c2＝9.628×10-23J×9×1016＝8.665×10-6J 
電子のラブの質量エネルギーの比＝8.665×10-6J÷(8.190×10-14J)＝1.058×108
電子のラブの公転軌道が10−17mの宇宙
電子のラブの質量エネルギー＝9.628×10-41Jm÷10−17m×c2＝9.628×10-24J×9×1016＝8.665×10-7J
電子のラブの質量エネルギーの比＝8.665×10-7J÷(8.190×10-14J)＝1.058×107
電子のラブの公転軌道が10−16mの宇宙
電子のラブの質量エネルギー＝9.628×10-41Jm÷10−16m×c2＝9.628×10-25J×9×1016＝8.665×10-8J
電子のラブの質量エネルギーの比＝8.665×10-8J÷(8.190×10-14J)＝1.058×106
電子のラブの公転軌道が10−15mの宇宙
電子のラブの質量エネルギー＝9.628×10-41Jm÷10−15m×c2＝9.628×10-26J×9×1016＝8.665×10-9J
電子のラブの質量エネルギーの比＝8.665×10-9J ÷(8.190×10-14J)＝1.058×105
電子のラブの公転軌道が10−14mの宇宙
電子のラブの質量エネルギー＝9.628×10-41Jm÷10−14m×c2＝9.628×10-27J×9×1016＝8.665×10-10J
電子のラブの質量エネルギーの比＝8.665×10-10J÷(8.190×10-14J)＝1.058×104
電子のラブの公転軌道が10−13mの宇宙
電子のラブの質量エネルギー＝9.628×10-41Jm÷10−13m×c2＝9.628×10-28J×9×1016＝8.665×10-11J
電子のラブの質量エネルギーの比＝8.665×10-11J÷(8.190×10-14J)＝1.058×103
電子のラブの公転軌道が10−12mの宇宙
電子のラブの質量エネルギー＝9.628×10-41Jm÷10−12m×c2＝9.628×10-29J×9×1016＝8.665×10-12J
電子のラブの質量エネルギーの比＝8.665×10-12J÷(8.190×10-14J)＝1.058×102
電子のラブの公転軌道が10−11mの宇宙
電子のラブの質量エネルギー＝9.628×10-41Jm÷10−11m×c2＝9.628×10-30J×9×1016＝8.665×10-13J
電子のラブの質量エネルギーの比＝8.665×10-13J÷(8.190×10-14J)＝1.058×10
電子のラブの公転軌道が10−10mの宇宙
電子のラブの質量エネルギー＝9.628×10-41Jm÷10−10m×c2＝9.628×10-31J×9×1016＝8.665×10-14J
電子のラブの質量エネルギーの比＝8.665×10-14J ÷(8.190×10-14J)＝1.058
電子のラブの公転軌道が10−9mの宇宙
質量エネルギー＝9.628×10-41Jm÷10−9m×c2＝9.628×10-32J×9×1016＝8.665×10-15J
電子のラブの質量エネルギーの比＝8.665×10-15J÷(8.190×10-14J)＝1.058×10-1
4．宇宙における電子のラブの密度＝電子のラブの質量÷電子のラブの公転軌道3。地表との比較。宇宙における密度。
地表の電子のラブの密度＝電子のラブの質量÷電子のラブの公転軌道＝9.109×10-31Kg÷(1.058×10-10m)3＝9.109×10-31Kg÷(1.184×10-30)m＝7.693×10-1
・電子のラブの密度の比＝宇宙の電子のラブの密度÷地表の電子のラブの密度＝宇宙の電子のラブの密度÷(7.693×10-1)
電子のラブの公転軌道が10-23mの宇宙
電子のラブの密度＝電子のラブの質量÷電子のラブの公転軌道3＝9.109×10-31Kg÷(10-23m)3m＝9.109×10-31Kg÷10-69m＝9.109×1038
電子のラブの密度の比＝9.109×1038÷ (7.693×10-1)＝1.184×1039
電子のラブの公転軌道が10-22mの宇宙
電子のラブの密度＝電子のラブの質量÷電子のラブの公転軌道3＝9.109×10-31Kg÷(10-22m)3＝9.109×1035
電子のラブの密度の比＝9.109×1035÷(7.693×10-1)＝1.184×1036
電子のラブの公転軌道が10-21mの宇宙
電子のラブの密度＝電子のラブの質量÷電子のラブの公転軌道3＝9.109×10-31Kg÷(10-21m)3＝9.109×1032
電子のラブの密度の比＝9.109×1032÷(7.693×10-1)＝1.184×1033
電子のラブの公転軌道が10-20mの宇宙
電子のラブの密度＝電子のラブの質量÷電子のラブの公転軌道3＝9.109×10-31Kg÷(10-20m)3＝9.109×1029
電子のラブの密度の比＝9.109×1029÷(7.693×10-1)＝1.184×1030
電子のラブの公転軌道が10-19mの宇宙
電子のラブの密度＝電子のラブの質量÷電子のラブの公転軌道3＝9.109×10-31Kg÷(10-19m)3＝9.109×1026
電子のラブの密度の比＝9.109×1026÷(7.693×10-1)＝1.184×1027
電子のラブの公転軌道が10-18mの宇宙
電子のラブの密度＝電子のラブの質量÷電子のラブの公転軌道3＝9.109×10-31Kg÷(10-18m)3＝9.109×1023
電子のラブの密度の比＝9.109×1023÷(7.693×10-1)＝1.184×1024
電子のラブの公転軌道が10-17mの宇宙
電子のラブの密度＝電子のラブの質量÷電子のラブの公転軌道3＝9.109×10-31Kg÷(10-17m)3＝9.109×1020
電子のラブの密度の比＝9.109×1020÷(7.693×10-1)＝1.184×1021
電子のラブの公転軌道が10-16mの宇宙
電子のラブの密度＝電子のラブの質量÷電子のラブの公転軌道3＝9.109×10-31Kg÷(10-16m)3＝9.109×1017
電子のラブの密度の比＝9.109×1017÷(7.693×10-1)＝1.184×1018
電子のラブの公転軌道が10-15mの宇宙
電子のラブの密度＝電子のラブの質量÷電子のラブの公転軌道3＝9.109×10-31Kg÷(10-15m)3＝9.109×1014
電子のラブの密度の比＝9.109×1014÷(7.693×10-1)＝1.184×1015
電子のラブの公転軌道が10-14mの宇宙
電子のラブの密度＝電子のラブの質量÷電子のラブの公転軌道3＝9.109×10-31Kg÷(10-14m)3＝9.109×1011
電子のラブの密度の比＝9.109×1011÷(7.693×10-1)＝1.184×1012
電子のラブの公転軌道が10-13mの宇宙
電子のラブの密度＝電子のラブの質量÷電子のラブの公転軌道3＝9.109×10-31Kg÷(10-13m)3＝9.109×108
電子のラブの密度の比＝9.109×108÷(7.693×10-1)＝1.184×109
電子のラブの公転軌道が10-12mの宇宙
電子のラブの密度＝電子のラブの質量÷電子のラブの公転軌道3＝9.109×10-31Kg÷(10-12m)3＝9.109×105
電子のラブの密度の比＝9.109×105÷(7.693×10-1)＝1.184×106
電子のラブの公転軌道が10-11mの宇宙
電子のラブの密度＝電子のラブの質量÷電子のラブの公転軌道3＝9.109×10-31Kg÷(10-11m)3＝9.109×102
電子のラブの密度の比＝9.109×102÷(7.693×10-1)＝1.184×103
電子のラブの公転軌道が10-10mの宇宙
電子のラブの密度＝電子のラブの質量÷電子のラブの公転軌道3＝9.109×10-31Kg÷(10-10m)3＝9.109×10-1
電子のラブの密度の比＝9.109×10-1÷(7.693×10-1)＝1.184
電子のラブの公転軌道が10-9mの宇宙
電子のラブの密度＝電子のラブの質量÷電子のラブの公転軌道3＝9.109×10-31Kg÷(10-9m)3＝9.109×10-4
電子のラブの密度の比＝9.109×10-4÷(7.693×10-1)＝1.184×10-3
5．宇宙の電子のラブが1秒間に作る磁気の光子のエネルギー。地表との比較。宇宙における引力。
電子のラブが1秒間に作る磁気の光子のエネルギー＝7.815×10-26Jm÷公転軌道
地表の電子のラブが1秒間に作る磁気の光子のエネルギー＝7.815×10-26Jm÷公転軌道＝7.815×10-26Jm÷(1.058×10-10m)＝7.387×10-16J
・電子のラブが1秒間に作る磁気の光子のエネルギーの比＝宇宙の電子のラブが1秒間に作る磁気の光子のエネルギー÷地表の電子のラブが1秒間に作る磁気の光子のエネルギー＝宇宙の電子のラブが1秒間に作る磁気の光子のエネルギー÷(7.387×10-16J)
電子のラブの公転軌道が10−23mの宇宙
電子のラブが1秒間に作る磁気の光子のエネルギー＝7.815×10-26Jm÷10−23m＝7.815×10-3J
電子のラブが1秒間に作る磁気の光子のエネルギーの比＝7.815×10-3J÷(7.387×10-16J)＝1.058×1013
電子のラブの公転軌道が10−22mの宇宙
電子のラブが1秒間に作る磁気の光子のエネルギー＝7.815×10-26Jm÷10−22m＝7.815×10-4J
電子のラブが1秒間に作る磁気の光子のエネルギーの比＝7.815×10-4J÷(7.387×10-16J)＝1.058×1012 
電子のラブの公転軌道が10−21mの宇宙
電子のラブが1秒間に作る磁気の光子のエネルギー＝7.815×10-26Jm÷10−21m＝7.815×10-5J
電子のラブが1秒間に作る磁気の光子のエネルギーの比＝7.815×10-5J÷(7.387×10-16J)＝1.058×1011
電子のラブの公転軌道が10−20mの宇宙
電子のラブが1秒間に作る磁気の光子のエネルギー＝7.815×10-26Jm÷10−20m＝7.815×10-6J
電子のラブが1秒間に作る磁気の光子のエネルギーの比＝7.815×10-6J÷(7.387×10-16J)＝1.058×1010
電子のラブの公転軌道が10−19mの宇宙
電子のラブが1秒間に作る磁気の光子のエネルギー＝7.815×10-26Jm÷10−19m＝7.815×10-7J
電子のラブが1秒間に作る磁気の光子のエネルギーの比＝7.815×10-7J÷(7.387×10-16J)＝1.058×109
電子のラブの公転軌道が10−18mの宇宙
電子のラブが1秒間に作る磁気の光子のエネルギー＝7.815×10-26Jm÷10−18m＝7.815×10-8J
電子のラブが1秒間に作る磁気の光子のエネルギーの比＝7.815×10-8J÷(7.387×10-16J)＝1.058×108
電子のラブの公転軌道が10−17mの宇宙
電子のラブが1秒間に作る磁気の光子のエネルギー＝7.815×10-26Jm÷10−17m＝7.815×10-9J
電子のラブが1秒間に作る磁気の光子のエネルギーの比＝7.815×10-9J÷(7.387×10-16J)＝1.058×107
電子のラブの公転軌道が10−16mの宇宙
電子のラブが1秒間に作る磁気の光子のエネルギー＝7.815×10-26Jm÷10−16m＝7.815×10-10J
電子のラブが1秒間に作る磁気の光子のエネルギーの比＝7.815×10-10J÷(7.387×10-16J)＝1.058×106
電子のラブの公転軌道が10−15mの宇宙
電子のラブが1秒間に作る磁気の光子のエネルギー＝7.815×10-26Jm÷10−15m＝7.815×10-11J
電子のラブが1秒間に作る磁気の光子のエネルギーの比＝7.815×10-11J÷(7.387×10-16J)＝1.058×105
電子のラブの公転軌道が10−14mの宇宙
電子のラブが1秒間に作る磁気の光子のエネルギー＝7.815×10-26Jm÷10−14m＝7.815×10-12J
電子のラブが1秒間に作る磁気の光子のエネルギーの比＝7.815×10-12J÷(7.387×10-16J)＝1.058×104
電子のラブの公転軌道が10−13mの宇宙
電子のラブが1秒間に作る磁気の光子のエネルギー＝7.815×10-26Jm÷10−13m＝7.815×10-13J
電子のラブが1秒間に作る磁気の光子のエネルギーの比＝7.815×10-13J÷(7.387×10-16J)＝1.058×103
電子のラブの公転軌道が10−12mの宇宙
電子のラブが1秒間に作る磁気の光子のエネルギー＝7.815×10-26Jm÷10−12m＝7.815×10-14J
電子のラブが1秒間に作る磁気の光子のエネルギーの比＝7.815×10-14J÷(7.387×10-16J)＝1.058×102
電子のラブの公転軌道が10−11mの宇宙
電子のラブが1秒間に作る磁気の光子のエネルギー＝7.815×10-26Jm÷10−11m＝7.815×10-15J
電子のラブが1秒間に作る磁気の光子のエネルギーの比＝7.815×10-15J÷(7.387×10-16J)＝1.058×10
電子のラブの公転軌道が10−10mの宇宙
電子のラブが1秒間に作る磁気の光子のエネルギー＝7.815×10-26Jm÷10−10m＝7.815×10-16J
電子のラブが1秒間に作る磁気の光子のエネルギーの比＝7.815×10-16J÷(7.387×10-16J)＝1.058
電子のラブの公転軌道が10−9mの宇宙
電子のラブが1秒間に作る磁気の光子のエネルギー＝7.815×10-26Jm÷10−9m＝7.815×10-17J
電子のラブが1秒間に作る磁気の光子のエネルギーの比＝7.815×10-17J÷(7.387×10-16J)＝1.058×10-1
6．宇宙の電子のラブと電子のラブの間の引力。地表との比較。宇宙の物と物との間の引力。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
電子のラブと電子のラブの間の引力の比＝宇宙の電子のラブと電子のラブの間の引力÷地表の電子のラブと電子のラブの間の引力＝宇宙の電子のラブと電子のラブの間の引力÷(4.877×10-11)
電子のラブの公転軌道が10−23mの宇宙
引力＝電子のラブが1秒間に作る磁気の光子のエネルギー2÷公転軌道2＝(7.815×10-3J)2÷(10−23m)2＝6.107×10-5÷10-46＝6.107×1041
電子のラブと電子のラブの間の引力の比＝6.107×1041÷(4.877×10-11)＝1.252×1052
電子のラブの公転軌道が10−22mの宇宙
引力＝電子のラブが1秒間に作る磁気の光子のエネルギー2÷公転軌道2＝(7.815×10-4J)2÷(10−22m)2＝6.107×10-7÷10-44＝6.107×1037
電子のラブと電子のラブの間の引力の比＝6.107×1037÷(4.877×10-11)＝1.252×1048
電子のラブの公転軌道が10−21mの宇宙
引力＝電子のラブが1秒間に作る磁気の光子のエネルギー2÷公転軌道2＝(7.815×10-5J)2÷(10−21m)2＝6.107×10-9÷10-42＝6.107×1033
電子のラブと電子のラブの間の引力の比＝6.107×1033÷(4.877×10-11)＝1.252×1044
電子のラブの公転軌道が10−20mの宇宙
引力＝電子のラブが1秒間に作る磁気の光子のエネルギー2÷公転軌道2＝(7.815×10-6J)2÷(10−20m)2＝6.107×10-11÷10-40＝6.107×1029
電子のラブと電子のラブの間の引力の比＝6.107×1029÷(4.877×10-11)＝1.252×1040
電子のラブの公転軌道が10−19mの宇宙
引力＝電子のラブが1秒間に作る磁気の光子のエネルギー2÷公転軌道2＝(7.815×10-7J)2÷(10−19m)2＝6.107×10-13÷10-38＝6.107×1025
電子のラブと電子のラブの間の引力の比＝6.107×1025÷(4.877×10-11)＝1.252×1036
電子のラブの公転軌道が10−18mの宇宙
引力＝電子のラブが1秒間に作る磁気の光子のエネルギー2÷公転軌道2＝(7.815×10-8J)2÷(10−18m)2＝6.107×10-15÷10-36＝6.107×1021
電子のラブと電子のラブの間の引力の比＝6.107×1021÷(4.877×10-11)＝1.252×1032
電子のラブの公転軌道が10−17mの宇宙
引力＝電子のラブが1秒間に作る磁気の光子のエネルギー2÷公転軌道2＝(7.815×10-9J)2÷(10−17m)2＝6.107×10-17÷10-34＝6.107×1017
電子のラブと電子のラブの間の引力の比＝6.107×1017÷(4.877×10-11)＝1.252×1028
電子のラブの公転軌道が10−16mの宇宙
引力＝電子のラブが1秒間に作る磁気の光子のエネルギー2÷公転軌道2＝(7.815×10-10J)2÷(10−16m)2＝6.107×10-19÷10-32＝6.107×1013
電子のラブと電子のラブの間の引力の比＝6.107×1013÷(4.877×10-11)＝1.252×1024
電子のラブの公転軌道が10−15mの宇宙
引力＝電子のラブが1秒間に作る磁気の光子のエネルギー2÷公転軌道2＝(7.815×10-11J)2÷(10−15m)2＝6.107×10-21÷10-30＝6.107×109
電子のラブと電子のラブの間の引力の比＝6.107×109÷(4.877×10-11)＝1.252×1020
電子のラブの公転軌道が10−14mの宇宙
引力＝電子のラブが1秒間に作る磁気の光子のエネルギー2÷公転軌道2＝(7.815×10-12J)2÷(10−14m)2＝6.107×10-23÷10-28＝6.107×105
電子のラブと電子のラブの間の引力の比＝6.107×105÷(4.877×10-11)＝1.252×1016
電子のラブの公転軌道が10−13mの宇宙
引力＝電子のラブが1秒間に作る磁気の光子のエネルギー2÷公転軌道2＝(7.815×10-13J)2÷(10−13m)2＝6.107×10-25÷10-26＝6.107×10
電子のラブと電子のラブの間の引力の比＝6.107×10÷(4.877×10-11)＝1.252×1012
電子のラブの公転軌道が10−12mの宇宙
引力＝電子のラブが1秒間に作る磁気の光子のエネルギー2÷公転軌道2＝(7.815×10-14J)2÷(10−12m)2＝6.107×10-27÷10-24＝6.107×10-3
電子のラブと電子のラブの間の引力の比＝6.107×10-3÷(4.877×10-11)＝1.252×108
電子のラブの公転軌道が10−11mの宇宙
引力＝電子のラブが1秒間に作る磁気の光子のエネルギー2÷公転軌道2＝(7.815×10-15J)2÷(10−11m)2＝6.107×10-29÷10-22＝6.107×10-7
電子のラブと電子のラブの間の引力の比＝6.107×10-7÷(4.877×10-11)＝1.252×104
電子のラブの公転軌道が10−10mの宇宙
引力＝電子のラブが1秒間に作る磁気の光子のエネルギー2÷公転軌道2＝(7.815×10-16J)2÷(10−10m)2＝6.107×10-31÷10-20＝6.107×10-11
電子のラブと電子のラブの間の引力の比＝6.107×10-11÷(4.877×10-11)＝1.252
電子のラブの公転軌道が10−9mの宇宙
引力＝電子のラブが1秒間に作る磁気の光子のエネルギー2÷公転軌道2＝(7.815×10-17J)2÷(10−9m)2＝6.107×10-33÷10-18＝6.107×10-15
電子のラブと電子のラブの間の引力の比＝6.107×10-15÷(4.877×10-11)＝1.252×10-4
まとめて表に示す。
宇宙における電子のラブの公転軌道と電子のラブの質量エネルギーと電子のラブの質量と電子のラブの密度と電子のラブが1秒間に作る磁気の光子のエネルギーと電子のラブと電子のラブの間の引力。地表との比較。
表４
2018064437.tif 000006
2018064437.tif 000007
４．    地球の地下の温度と電子のラブの公転軌道と空間と時間と電子のラブの質量エネルギーと電子のラブの密度と電子のラブが1秒間に作る磁気の光子のエネルギーと電子のラブと電子のラブとの間の引力。地表との比較。
1．2007年3月26日に提出した、特願2007−112389．「空間と時間と軌道エネルギーと引力」の「請求項2」に記した事。
地球の地下では、時間と空間は地表の何分の１か。地表を１とするといくらか。「請求項2」
これを表にする。
表５
2018064437.tif 000008
2．地球の地下における、空間と時間。地表との比較。
・空間の比＝地下の電子のラブの公転軌道÷地表の電子のラブの公転軌道＝地下の電子のラブの公転軌道÷(1.058×10-10m)
地下6500Km。
電子のラブの公転軌道＝地表の電子のラブの公転軌道÷A=1.058×10-10m÷85.6＝1.236×10-12m
空間の比＝1.236×10-12m÷(1.058×10-10m)＝1.168×10-2
地下6000Km。
電子のラブの公転軌道＝1.058×10-10m÷77.46＝1.366×10-12m
空間の比＝1.366×10-12m÷(1.058×10-10m)＝1.291×10-2
地下5000Km。
電子のラブの公転軌道＝1.058×10-10m÷70.71＝1.496×10-12m
空間の比＝1.496×10-12m÷(1.058×10-10m)＝1.414×10-2
地下4000Km。
電子のラブの公転軌道＝1.058×10-10m÷63.25＝1.673×10-12m
空間の比＝1.673×10-12m÷(1.058×10-10m)＝1.581×10-2
地下3000Km。
電子のラブの公転軌道＝1.058×10-10m÷54.77＝1.932×10-12m
空間の比＝1.932×10-12m÷(1.058×10-10m)＝1.826×10-2
地下2000Km。
電子のラブの公転軌道＝1.058×10-10m÷44.72＝2.366×10-12m
空間の比＝2.366×10-12m÷(1.058×10-10m)＝2.236×10-2
地下1000Km。
電子のラブの公転軌道＝1.058×10-10m÷31.62＝3.346×10-12m
空間の比＝3.346×10-12m÷(1.058×10-10m)＝3.163×10-2
地表。
空間の比＝1.058×10-10m÷(1.058×10-10m)=1
・地表の電子のラブの秒速は3.14×(1.058×10-10m)× (7.96×107)2＝2.105×106m、です。
・時間の比＝秒速の比＝地下の電子のラブの秒速÷地表の電子のラブの秒速＝地下の電子のラブの秒速÷(2.105×106m)
地下6500Km。
秒速＝3.14×1.236×10-12m×(7.96×107)2＝2.459×104m    
時間の比＝2.459×104m÷(2.105×106m)＝1.168×10-2
地下6000Km。
秒速＝3.14×1.366×10-12m×(7.96×107)2＝2.718×104m    
時間の比＝秒速の比＝2.718×104m÷(2.105×106m)＝1.291×10-2
地下5000Km。
秒速＝3.14×1.496×10-12m×(7.96×107)2＝2.976×104m    
時間の比＝秒速の比＝2.976×104m÷(2.105×106m)＝1.414×10-2
地下4000Km。
秒速＝3.14×1.673×10-12m×(7.96×107)2＝3.329×104m    
時間の比＝秒速の比＝3.329×104m÷(2.105×106m)＝1.581×10-2
地下3000Km。
秒速＝3.14×1.932×10-12m×(7.96×107)2＝3.844×104m    
時間の比＝秒速の比＝3.844×104m÷(2.105×106m)＝1.826×10-2
地下2000Km。
秒速＝3.14×2.366×10-12m×(7.96×107)2＝4.707×104m    
時間の比＝秒速の比＝4.707×104m÷(2.105×106m)＝2.236×10-2
地下1000Km。
秒速＝3.14×3.346×10-12m×(7.96×107)2＝6.657×104m    
時間の比＝秒速の比＝6.657×104m÷(2.105×106m)＝3.162×10-2
地表。
秒速＝3.14×(1.058×10-10m)× (7.96×107)2＝2.105×106m
時間の比＝秒速の比＝2.105×106m÷(2.105×106m)＝1
まとめて表に示す。
地球の地下における、温度とAと電子のラブの公転軌道と空間の比と電子のラブの秒速と時間の比
表６
2018064437.tif 000009
3．地球の地下における、電子のラブの質量エネルギー。地表との比較。地球の地下における、質量エネルギー。
質量エネルギー＝9.628×10-41Jm÷軌道×c2、の式により計算する。
地表の電子のラブの質量エネルギーは、質量エネルギー＝9.628×10-41Jm÷軌道×c2＝9.628×10-41Jm÷(1.058×10-10m)×9×1016＝9.100×10-31J×9×1016＝8.190×10-14J、です。
・質量エネルギーの比＝地下の電子のラブの質量エネルギー÷地表の電子のラブの質量エネルギー＝地下の電子のラブの質量エネルギー÷(8.190×10-14J)
地下6500Km
電子のラブの軌道＝地表の電子のラブの軌道÷A=1.058×10-10m÷85.6＝1.236×10-12m
質量エネルギー＝9.628×10-41Jm÷軌道×c2＝9.628×10-41Jm÷(1.236×10-12m) ×9×1016＝7.790×10-29J×9×1016＝7.011×10-12J
質量エネルギーの比＝7.011×10-12J÷(8.190×10-14J)＝8.560×10
地下6000Km
電子のラブの軌道＝地表の電子のラブの軌道÷A=1.058×10-10m÷77.46＝1.366×10-12m
質量エネルギー＝9.628×10-41Jm÷軌道×c2＝9.628×10-41Jm÷(1.366×10-12m) ×9×1016＝7.048×10-29 J×9×1016＝6.343×10-12J
質量エネルギーの比＝6.343×10-12J÷(8.190×10-14J)＝7.745×10
地下5000Km
電子のラブの軌道＝地表の電子のラブの軌道÷A=1.058×10-10m÷70.71＝1.496×10-12m
質量エネルギー＝9.628×10-41Jm÷軌道×c2＝9.628×10-41Jm÷(1.496×10-12m) ×9×1016＝6.436×10-29 J×9×1016＝5.792×10-12J
質量エネルギーの比＝5.792×10-12J÷(8.190×10-14J)＝7.745×10
地下4000Km
電子のラブの軌道＝地表の電子のラブの軌道÷A=1.058×10-10m÷63.25＝1.673×10-12m
質量エネルギー＝9.628×10-41Jm÷軌道×c2＝9.628×10-41Jm÷(1.673×10-12m) ×9×1016＝5.755×10-29 J×9×1016＝5.180×10-12J
質量エネルギーの比＝5.180×10-12J÷(8.190×10-14J)＝6.324×10
地下3000Km
電子のラブの軌道＝地表の電子のラブの軌道÷A=1.058×10-10m÷54.77＝1.932×10-12m
質量エネルギー＝9.628×10-41Jm÷軌道×c2＝9.628×10-41Jm÷(1.932×10-12m) ×9×1016＝4.983×10-29 J×9×1016＝4.485×10-12J
質量エネルギーの比＝4.485×10-12J÷(8.190×10-14J)＝5.476×10
地下2000Km
電子のラブの軌道＝地表の電子のラブの軌道÷A=1.058×10-10m÷44.72＝2.365×10-12m
質量エネルギー＝9.628×10-41Jm÷軌道×c2＝9.628×10-41Jm÷(2.366×10-12m) ×9×1016＝4.069×10-29 J×9×1016＝3.662×10-12J
質量エネルギーの比＝3.662×10-12J÷(8.190×10-14J)＝4.471×10
地下1000Km
電子のラブの軌道＝地表の電子のラブの軌道÷A=1.058×10-10m÷31.62＝3.346×10-12m
質量エネルギー＝9.628×10-41Jm÷軌道×c2＝9.628×10-41Jm÷(3.346×10-12m) ×9×1016＝2.877×10-29 J×9×1016＝2.589×10-12J
質量エネルギーの比＝2.589×10-12J÷(8.190×10-14J)＝3.162×10
地表
質量エネルギー＝9.628×10-41Jm÷軌道×c2＝9.628×10-41Jm÷(1.058×10-10m) ×9×1016＝9.100×10-31 J×9×1016＝8.190×10-14J、です。
4．地下における電子のラブの密度。地表との比較。地下における密度
密度＝電子のラブの質量÷公転軌道3
地表の密度＝9.109×10-31Kg÷(1.058×10-10m)3＝9.109×10-31Kg ÷(1.184×10-30m3)＝7.693×10-1
・地下の密度の比＝地下の密度÷地表の密度＝地下の密度÷(7.693×10-1)
地下6500Km
密度＝電子のラブの質量÷公転軌道3＝9.109×10-31Kg÷(1.236×10-12m)3＝9.109×10-31Kg÷(1.888×10-36m3)＝4.825×105
地下の密度の比＝4.825×105÷(7.693×10-1)＝6.272×105
地下6000Km
密度＝電子のラブの質量÷公転軌道3＝9.109×10-31Kg÷(1.366×10-12m)3＝9.109×10-31Kg÷(2.549×10-36m3)＝3.574×105
地下の密度の比＝3.574×105÷(7.693×10-1)＝4.646×105
地下5000Km
密度＝電子のラブの質量÷公転軌道3＝9.109×10-31Kg÷(1.496×10-12m)3＝9.109×10-31Kg÷(3.348×10-36m3)＝2.721×105
地下の密度の比＝2.721×105÷(7.693×10-1)＝3.537×105
地下4000Km
密度＝電子のラブの質量÷公転軌道3＝9.109×10-31Kg÷(1.673×10-12m)3＝9.109×10-31Kg÷(4.683×10-36m3)＝1.945×105
地下の密度の比＝1.945×105÷(7.693×10-1)＝2.528×105
地下3000Km
密度＝電子のラブの質量÷公転軌道3＝9.109×10-31Kg÷(1.932×10-12m)3＝9.109×10-31Kg÷(7.211×10-36m3)＝1.263×105
地下の密度の比＝1.263×105÷(7.693×10-1)＝1.642×105
地下2000Km
密度＝電子のラブの質量÷公転軌道3＝9.109×10-31Kg÷(2.366×10-12m)3＝9.109×10-31Kg÷(1.324×10-35m3)＝6.880×104
地下の密度の比＝6.880×104÷(7.693×10-1)＝8.943×104
地下１000Km
密度＝電子のラブの質量÷公転軌道3＝9.109×10-31Kg÷(3.346×10-12m)3＝9.109×10-31Kg÷(3.746×10-35m3)＝2.432×104
地下の密度の比＝2.432×104÷ (7.693×10-1)＝3.161×104
地表の密度＝9.109×10-31Kg÷(1.058×10-10m)3＝9.109×10-31Kg ÷(1.184×10-30m3)＝7.693×10-1
5．地下における電子のラブが1秒間に作る磁気の光子のエネルギー。地下における引力。
電子のラブが1秒間に作る磁気の光子のエネルギー＝7.815×10-26Jm÷公転軌道
地表の電子のラブが1秒間に作る磁気の光子のエネルギー＝7.815×10-26Jm÷公転軌道＝7.815×10-26Jm÷(1.058×10-10m)＝7.387×10-16J
電子のラブが1秒間に作る磁気の光子のエネルギーの比＝地球の地下の電子のラブが1秒間に作る磁気の光子のエネルギー÷地表の電子のラブが1秒間に作る磁気の光子のエネルギー＝地球の地下の電子のラブが1秒間に作る磁気の光子のエネルギー÷(7.387×10-16J)
地下6500Km
電子のラブが1秒間に作る磁気の光子のエネルギー＝7.815×10-26Jm÷公転軌道＝7.815×10-26Jm÷(1.236×10-12m)＝6.323×10-14J
電子のラブが1秒間に作る磁気の光子のエネルギーの比＝6.323×10-14J÷(7.387×10-16J)＝8.560×10
地下6000Km
電子のラブが1秒間に作る磁気の光子のエネルギー＝7.815×10-26Jm÷公転軌道＝7.815×10-26Jm÷(1.366×10-12m)＝5.721×10-14J
電子のラブが1秒間に作る磁気の光子のエネルギーの比＝5.721×10-14J÷(7.387×10-16J)＝7.745×10
地下5000Km
電子のラブが1秒間に作る磁気の光子のエネルギー＝7.815×10-26Jm÷公転軌道＝7.815×10-26Jm÷(1.496×10-12m)＝5.224×10-14J
電子のラブが1秒間に作る磁気の光子のエネルギーの比＝5.224×10-14J÷(7.387×10-16J)＝7.072×10
地下4000Km
電子のラブが1秒間に作る磁気の光子のエネルギー＝7.815×10-26Jm÷公転軌道＝7.815×10-26Jm÷(1.673×10-12m)＝4.671×10-14J
電子のラブが1秒間に作る磁気の光子のエネルギーの比＝4.671×10-14J÷(7.387×10-16J)＝6.323×10
地下3000Km
電子のラブが1秒間に作る磁気の光子のエネルギー＝7.815×10-26Jm÷公転軌道＝7.815×10-26Jm÷(1.932×10-12m)＝4.045×10-14J
電子のラブが1秒間に作る磁気の光子のエネルギーの比＝4.045×10-14J÷(7.387×10-16J)＝5.476×10
地下2000Km
電子のラブが1秒間に作る磁気の光子のエネルギー＝7.815×10-26Jm÷公転軌道＝7.815×10-26Jm÷(2.366×10-12m)＝3.303×10-14J
電子のラブが1秒間に作る磁気の光子のエネルギーの比＝3.303×10-14J÷(7.387×10-16J)＝4.471×10
地下1000Km
電子のラブが1秒間に作る磁気の光子のエネルギー＝7.815×10-26Jm÷公転軌道＝7.815×10-26Jm÷(3.346×10-12m)＝2.336×10-14J
電子のラブが1秒間に作る磁気の光子のエネルギーの比＝2.336×10-14J÷(7.387×10-16J)＝3.154×10
地表
電子のラブが1秒間に作る磁気の光子のエネルギー＝7.815×10-26Jm÷公転軌道＝7.815×10-26Jm÷(1.058×10-10m)＝7.387×10-16J
6．地下の電子のラブと電子のラブの間の引力。地表との比較。地下の物と物との間の引力。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
地下の電子のラブと電子のラブの間の引力の比＝地下の電子のラブと電子のラブの間の引力÷地表の電子のラブと電子のラブの間の引力＝地下の電子のラブと電子のラブの間の引力÷(4.877×10-11)
地下6500Km
電子のラブと電子のラブの間の引力＝電子のラブが1秒間に作る磁気の光子のエネルギー2÷公転軌道2＝(6.323×10-14J)2÷(1.236×10-12m)2＝3.998×10-27÷(1.528×10-24)＝2.616×10-3 
地下の電子のラブと電子のラブの間の引力の比＝2.616×10-3÷(4.877×10-11)＝5.364×107
地下6000Km
電子のラブと電子のラブの間の引力＝電子のラブが1秒間に作る磁気の光子のエネルギー2÷公転軌道2＝(5.721×10-14J)2÷(1.366×10-12m)2＝3.273×10-27÷(1.866×10-24)＝1.754×10-3
地下の電子のラブと電子のラブの間の引力の比＝1.754×10-3÷(4.877×10-11)＝3.596×107
地下5000Km
電子のラブと電子のラブの間の引力＝電子のラブが1秒間に作る磁気の光子のエネルギー2÷公転軌道2＝(5.224×10-14J)2÷(1.496×10-12m)2＝2.729×10-27÷(2.238×10-24)＝1.219×10-3
地下の電子のラブと電子のラブの間の引力の比＝1.219×10-3÷(4.877×10-11)＝2.499×107
地下4000Km
電子のラブと電子のラブの間の引力＝電子のラブが1秒間に作る磁気の光子のエネルギー2÷公転軌道2＝(4.671×10-14J)2÷(1.673×10-12m)2＝2.182×10-27÷(2.799×10-24)＝7.796×10-4
地下の電子のラブと電子のラブの間の引力の比＝7.796×10-4÷(4.877×10-11)＝1.599×107
地下3000Km
電子のラブと電子のラブの間の引力＝電子のラブが1秒間に作る磁気の光子のエネルギー2÷公転軌道2＝(4.045×10-14J)2÷(1.932×10-12m)2＝1.636×10-27÷(3.733×10-24)＝4.383×10-4
地下の電子のラブと電子のラブの間の引力の比＝4.383×10-3÷(4.877×10-11)＝8.987×107
地下2000Km
電子のラブと電子のラブの間の引力＝電子のラブが1秒間に作る磁気の光子のエネルギー2÷公転軌道2＝(3.303×10-14J)2÷(2.366×10-12m)2＝1.091×10-27÷(5.598×10-24)＝1.949×10-4
地下の電子のラブと電子のラブの間の引力の比＝1.949 ×10-4÷(4.877×10-11)＝3.996×106
地下1000Km
電子のラブと電子のラブの間の引力＝電子のラブが1秒間に作る磁気の光子のエネルギー2÷公転軌道2＝(2.336×10-14J)÷(3.346×10-12m)2＝5.457×10-28J÷(1.120×10-23)＝4.872×10-5
地下の電子のラブと電子のラブの間の引力の比＝4.872×10-5÷(4.877×10-11)＝9.990×105
まとめて表に示す。
地下における温度とAと電子のラブの公転軌道と電子のラブの質量エネルギーと電子のラブの密度と電子のラブが1秒間に作る磁気の光子のエネルギーと電子のラブと電子のラブの間の引力。地表との比較
表7
2018064437.tif 000010
５．    太陽の深さにおける温度と電子のラブの公転軌道と時間と空間と電子のラブの質量エネルギーと電子のラブの密度と電子のラブが1秒間に作る磁気の光子のエネルギーと電子のラブと電子のラブとの間の引力。地表との比較。
１．2007年3月26日に提出した、特願2007−112389．「空間と時間と軌道エネルギーと引力」の「請求項3」に記した事
太陽の深さでは、時間と空間は地表の何分の1か。地表を1とするといくらか。「請求項3」
これを表にする。
表８
2018064437.tif 000011
2．太陽の深さにおける、空間と時間。地表との比較。
空間の比
・空間の比＝太陽の深さの電子のラブの公転軌道÷地表の電子のラブの公転軌道＝太陽の深さの電子のラブの公転軌道÷(1.058×10-10m)
太陽の深さ7×105Km
太陽の深さの電子のラブの公転軌道＝地表の電子のラブの公転軌道÷A＝1.058×10-10m÷(3.873×103)＝2.732×10-14m
空間の比＝2.732×10-14m÷(1.058×10-10m)＝2.582×10-4
太陽の深さ6×105Km
太陽の深さの電子のラブの公転軌道＝1.058×10-10m÷(3.873×103)＝2.732×10-14m
空間の比＝2.732×10-14m÷(1.058×10-10m)＝2.582×10-4
太陽の深さ5×105Km
太陽の深さの電子のラブの公転軌道＝1.058×10-10m÷(3.428×103)＝3.086×10-14m
空間の比＝3.086×10-14m÷(1.058×10-10m)＝2.917×10-4
太陽の深さ4×105Km
太陽の深さの電子のラブの公転軌道＝1.058×10-10m÷(2.915×103)＝3.630×10-14m
空間の比＝3.630×10-14m÷(1.058×10-10m)＝3.431×10-4
太陽の深さ3×105Km
太陽の深さの電子のラブの公転軌道＝1.058×10-10m÷(2.291×103)＝4.618×10-14m
空間の比＝4.618×10-14m÷(1.058×10-10m)＝4.365×10-4
太陽の深さ2×105Km
太陽の深さの電子のラブの公転軌道＝1.058×10-10m÷(1.414×103)＝7.482×10-14m
空間の比＝7.482×10-14m÷(1.058×10-10m)＝7.072×10-4
太陽の深さ105Km
太陽の深さの電子のラブの公転軌道＝1.058×10-10m÷103＝1.058×10-13m
空間の比＝1.058×10-13m÷(1.058×10-10m)＝10-3
太陽の深さ104Km
太陽の深さの電子のラブの公転軌道＝1.058×10-10m÷(3.162×102)＝3.346×10-13m
空間の比＝3.346×10-13m÷(1.058×10-10m)＝3.163×10-3
太陽の深さ103Km
太陽の深さの電子のラブの公転軌道＝1.058×10-10m÷102＝1.058×10-12m
空間の比＝1.058×10-12m÷(1.058×10-10m)＝10-2
太陽の深さ4×102Km
太陽の深さの電子のラブの公転軌道＝1.058×10-10m÷80＝1.323×10-12m
空間の比＝1.323×10-12m÷(1.058×10-10m)＝1.250×10-2
太陽の深さ１Km
太陽の深さの電子のラブの公転軌道＝1.058×10-10m÷65.574＝1.613×10-12m
空間の比＝1.613×10-12m÷(1.058×10-10m)＝1.525×10-2
時間の比＝秒速の比
・時間の比＝秒速の比＝太陽の深さの電子のラブの秒速÷地表の電子のラブの秒速＝3.14×公転軌道×(7.96×107)2÷(2.105×106m)
太陽の深さ7×105Km
秒速は3.14×2.732×10-14m×(7.96×107)2＝5.435×102m    
時間の比＝秒速の比＝5.435×102m÷(2.105×106m)＝2.582×10-4
太陽の深さ6×105Km
秒速は3.14×2.732×10-14m×(7.96×107)2＝5.435×102m    
時間の比＝秒速の比＝5.435×102m÷(2.105×106m)＝2.582×10-4
太陽の深さ5×105Km
秒速は3.14×3.086×10-14m×(7.96×107)2＝6.140×102m    
時間の比＝秒速の比＝6.140×102m÷(2.105×106m)＝2.917×10-4
太陽の深さ4×105Km
秒速は3.14×3.630×10-14m×(7.96×107)2＝7.222×102m    
時間の比＝秒速の比＝7.222×102m÷(2.105×106m)＝3.431×10-4
太陽の深さ3×105Km
秒速は3.14×4.618×10-14m×(7.96×107)2＝9.188×102m    
時間の比＝秒速の比＝9.188×102m÷(2.105×106m)＝4.365×10-4
太陽の深さ2×105Km
秒速は3.14×7.482×10-14m×(7.96×107)2＝1.488×103m    
時間の比＝秒速の比＝1.488×103m÷(2.105×106m)＝7.069×10-4
太陽の深さ105Km
秒速は3.14×1.058×10-13m×(7.96×107)2＝2.105×103m    
時間の比＝秒速の比＝2.105×103m÷(2.105×106m)＝10-3
太陽の深さ104Km
秒速は3.14×3.346×10-13m×(7.96×107)2＝6.657×103m    
時間の比＝秒速の比＝6.657×103m÷(2.105×106m)＝3.162×10-3
太陽の深さ103Km
秒速は3.14×1.058×10-12m×(7.96×107)2＝2.105×104m    
時間の比＝秒速の比＝2.105×104m÷(2.105×106m)＝10-2
太陽の深さ4×102Km
秒速は3.14×1.323×10-12m×(7.96×107)2＝2.632×104m    
時間の比＝秒速の比＝2.632×104m÷(2.105×106m)＝1.250×10-2
太陽の深さ1Km
秒速は3.14×1.613×10-12m×(7.96×107)2＝3.209×104m    
時間の比＝秒速の比＝3.209×104m÷(2.105×106m)＝1.524×10-2
まとめて表に示す。
太陽の深さにおける温度とAと電子のラブの公転軌道と空間の比と秒速と時間の比
表９
2018064437.tif 000012
3．太陽の深さにおける電子のラブの質量エネルギー。地表との比較。太陽の深さにおける質量エネルギー。
質量エネルギー＝9.628×10-41Jm÷軌道×c2の式により計算する。
地表の電子のラブの質量エネルギー＝9.628×10-41Jm÷(1.058×10-10m)×c2＝9.100×10-31J×9×1016＝8.190×10-14J
・電子のラブの質量エネルギーの比＝太陽の深さの電子のラブの質量エネルギー÷地表の電子のラブの質量エネルギー＝太陽の深さの電子のラブの質量エネルギー÷(8.190×10-14J)
太陽の深さ7×105Km。
電子のラブの軌道＝地表の電子のラブの軌道÷A=1.058×10-10m÷(3.873×103)＝2.732×10-14m
質量エネルギー＝9.628×10-41Jm÷軌道×c2＝9.628×10-41Jm÷(2.732×10-14m)×9×1016＝3.524×10-27J×9×1016＝3.172×10-10J
電子のラブの質量エネルギーの比＝3.172×10-10J÷(8.190×10-14J)＝3.873×103
太陽の深さ6×105Km
電子のラブの軌道＝地表の電子のラブの軌道÷A=1.058×10-10m÷(3.873×103) ＝2.732×10-14m
質量エネルギー＝9.628×10-41Jm÷軌道×c2＝9.628×10-41Jm÷(2.732×10-14m) ×9×1016＝3.524×10-27J×9×1016＝3.172×10-10J
電子のラブの質量エネルギーの比＝3.172×10-10J÷(8.190×10-14J)＝3.873×103 
太陽の深さ5×105Km
電子のラブの軌道＝地表の電子のラブの軌道÷A=1.058×10-10m÷(3.428×103)＝3.086×10-14m
質量エネルギー＝9.628×10-41Jm÷軌道×c2＝9.628×10-41Jm÷(3.086×10-14m) ×9×1016＝3.120×10-27J×9×1016＝2.808×10-10J
電子のラブの質量エネルギーの比＝2.808×10-10J÷(8.190×10-14J)＝3.429×103
太陽の深さ4×105Km
電子のラブの軌道＝地表の電子のラブの軌道÷A=1.058×10-10m÷(2.915×103)＝3.630×10-14m
質量エネルギー＝9.628×10-41Jm÷軌道＝9.628×10-41Jm÷(3.630×10-14m) ×9×1016＝2.652×10-27J×9×1016＝2.387×10-10J
電子のラブの質量エネルギーの比＝2.387×10-10J÷(8.190×10-14J＝2.915×103
太陽の深さ3×105Km
電子のラブの軌道＝地表の電子のラブの軌道÷A=1.058×10-10m÷(2.291×103)＝4.618×10-14m
質量エネルギー＝9.628×10-41Jm÷軌道×c2＝9.628×10-41Jm÷(4.618×10-14m) ×9×1016＝2.085×10-27J×9×1016＝1.877×10-10J
電子のラブの質量エネルギーの比＝1.877×10-10J÷(8.190×10-14J)＝2.292×103
太陽の深さ2×105Km
電子のラブの軌道＝地表の電子のラブの軌道÷A=1.058×10-10m÷(1.414×103)＝7.482×10-14m
質量エネルギー＝9.628×10-41Jm÷軌道×c2＝9.628×10-41Jm÷(7.482×10-14m) ×9×1016＝1.287×10-27J×9×1016＝1.158×10-10J
電子のラブの質量エネルギーの比＝1.158×10-10J÷(8.190×10-14J)＝1.414×103
太陽の深さ105Km
電子のラブの軌道＝地表の電子のラブの軌道÷A=1.058×10-10m÷103＝1.058×10-13m
質量エネルギー＝9.628×10-41Jm÷軌道×c2＝9.628×10-41Jm÷(1.058×10-13m) ×9×1016＝9.100×10-28J×9×1016＝8.190×10-11J
電子のラブの質量エネルギーの比＝8.190×10-11J ÷(8.190×10-14J)＝103 
太陽の深さ104Km
電子のラブの軌道＝地表の電子のラブの軌道÷A=1.058×10-10m÷(3.162×102)＝3.346×10-13m
質量エネルギー＝9.628×10-41Jm÷軌道×c2＝9.628×10-41Jm÷(3.346×10-13m) ×9×1016＝2.877×10-28J×9×1016＝2.589×10-11J
電子のラブの質量エネルギーの比＝2.589×10-11J ÷(8.190×10-14J)＝3.161×102 
太陽の深さ103Km
電子のラブの軌道＝地表の電子のラブの軌道÷A=1.058×10-10m÷102＝1.058×10-12m
質量エネルギー＝9.628×10-41Jm÷軌道×c2＝9.628×10-41Jm÷(1.058×10-12m) ×9×1016＝9.100×10-29J×9×1016＝8.190×10-12J
電子のラブの質量エネルギーの比＝8.190×10-12J ÷(8.190×10-14J)＝102
太陽の深さ4×102Km
電子のラブの軌道＝地表の電子のラブの軌道÷A=1.058×10-10m÷80＝1.323×10-12m
質量エネルギー＝9.628×10-41Jm÷軌道×c2＝9.628×10-41Jm÷(1.323×10-12m) ×9×1016＝7.277×10-29J×9×1016＝6.549×10-12J
電子のラブの質量エネルギーの比＝6.549×10-12J ÷(8.190×10-14J)＝7.996×10
太陽の深さ１Km
電子のラブの軌道＝地表の電子のラブの軌道÷A=1.058×10-10m÷65.574＝1.613×10-12m
質量エネルギー＝9.628×10-41Jm÷軌道×c2＝9.628×10-41Jm÷(1.613×10-12m) ×9×1016＝5.969×10-29J×9×1016＝5.372×10-12J、です。
電子のラブの質量エネルギーの比＝5.372×10-12J÷(8.190×10-14J)＝6.559×10
4．太陽の深さにおける電子のラブの密度。地表との比較。太陽の深さにおける密度。
密度＝電子のラブの質量÷公転軌道3
地表の密度＝9.109×10-31Kg÷(1.058×10-10m)3 ＝9.109×10-31Kg÷(1.184×10-30m3)＝7.693×10-1
・太陽の深さの密度の比＝太陽の深さの密度÷地表の密度＝太陽の深さの密度÷(7.693×10-1)
太陽の深さ7×105Km
密度＝電子のラブの質量÷公転軌道3＝9.109×10-31Kg÷(2.732×10-14m)3＝9.109×10-31Kg÷(2.039×10-42m3)＝4.467×1010
太陽の深さの密度の比＝4.467×1010÷ (7.693×10-1)＝5.807×1010
太陽の深さ6×105Km
密度＝電子のラブの質量÷公転軌道3＝9.109×10-31Kg÷(2.732×10-14m)3＝9.109×10-31Kg÷(2.039×10-41m3)＝4.467×1010
太陽の深さの密度の比＝4.467×1010÷(7.693×10-1)＝5.807×1010
太陽の深さ5×105Km
密度＝電子のラブの質量÷公転軌道3＝9.109×10-31Kg÷(3.086×10-14m)3＝9.109×10-31Kg÷(2.939×10-41m3)＝3.099×1010
太陽の深さの密度の比＝3.099×1010÷(7.693×10-1)＝4.028×1010
太陽の深さ4×105Km
密度＝電子のラブの質量÷公転軌道3＝9.109×10-31Kg÷(3.630×10-14m)3＝9.109×10-31Kg÷(4.783×10-41m3)＝1.904×1010
太陽の深さの密度の比＝1.904×1010÷(7.693×10-1)＝2.475×1010
太陽の深さ3×105Km
密度＝電子のラブの質量÷公転軌道3＝9.109×10-31Kg÷(4.618×10-14m)3＝9.109×10-31Kg÷(9.848×10-41m3)＝9.250×109
太陽の深さの密度の比＝9.250×109÷(7.693×10-1)＝1.202×1010
太陽の深さ2×105Km
密度＝電子のラブの質量÷公転軌道3＝9.109×10-31Kg÷(7.482×10-14m)3＝9.109×10-31Kg÷(4.188×10-40m3)＝2.175×109
太陽の深さの密度の比＝2.175×109÷(7.693×10-1)＝2.827×109
太陽の深さ105Km
密度＝電子のラブの質量÷公転軌道3＝9.109×10-31Kg÷(1.058×10-13m)3＝9.109×10-31Kg÷(1.184×10-39m3)＝7.693×108
太陽の深さの密度の比＝7.693×108÷(7.693×10-1)＝109
太陽の深さ104Km
密度＝電子のラブの質量÷公転軌道3＝9.109×10-31Kg÷(3.346×10-13m)3＝9.109×10-31Kg÷(3.746×10-38m3)＝2.432×107
太陽の深さの密度の比＝2.432×107÷(7.693×10-1)＝3.161×107
太陽の深さ103Km
密度＝電子のラブの質量÷公転軌道3＝9.109×10-31Kg÷(1.058×10-12m)3＝9.109×10-31Kg÷(1.184×10-36m3)＝7.693×105
太陽の深さの密度の比＝7.693×105÷(7.693×10-1)＝106
太陽の深さ4×102Km
密度＝電子のラブの質量÷公転軌道3＝9.109×10-31Kg÷(1.323×10-12m)3＝9.109×10-31Kg÷(2.316×10-36m3)＝3.933×105
太陽の深さの密度の比＝3.933×105÷(7.693×10-1)＝5.112×105
太陽の深さ1Km
密度＝電子のラブの質量÷公転軌道3＝9.109×10-31Kg÷(1.613×10-12m)3＝9.109×10-31Kg÷(4.197×10-36m3)＝2.170×105
太陽の深さの密度の比＝2.170×105÷(7.693×10-1)＝2.821×105
5．太陽の深さにおける電子のラブが1秒間に作る磁気の光子のエネルギー。地表との比較。太陽の深さにおける引力。
電子のラブが1秒間に作る磁気の光子のエネルギー＝7.815×10-26Jm÷公転軌道
地表の電子のラブが1秒間に作る磁気の光子のエネルギー＝7.815×10-26Jm÷(1.058×10-10m)＝7.387×10-16J
・電子のラブが1秒間に作る磁気の光子のエネルギーの比＝太陽の深さの電子のラブが1秒間に作る磁気の光子のエネルギー÷地表の電子のラブが1秒間に作る磁気の光子のエネルギー＝太陽の深さの電子のラブが1秒間に作る磁気の光子のエネルギー÷(7.387×10-16J)
太陽の深さ7×105Km
電子のラブが1秒間に作る磁気の光子のエネルギー＝7.815×10-26Jm÷公転軌道＝7.815×10-26Jm÷(2.732×10-14m)＝2.861×10-12J
電子のラブが1秒間に作る磁気の光子のエネルギーの比＝2.861×10-12J÷(7.387×10-16J)＝3.873×103
太陽の深さ6×105Km
電子のラブが1秒間に作る磁気の光子のエネルギー＝7.815×10-26Jm÷公転軌道＝7.815×10-26Jm÷(2.732×10-14m)＝2.861×10-12J
電子のラブが1秒間に作る磁気の光子のエネルギーの比＝2.861×10-12J÷(7.387×10-16J)＝3.873×103
太陽の深さ5×105Km
電子のラブが1秒間に作る磁気の光子のエネルギー＝7.815×10-26Jm÷公転軌道＝7.815×10-26Jm÷(3.086×10-14m)＝2.532×10-12J
電子のラブが1秒間に作る磁気の光子のエネルギーの比＝2.532×10-12J÷(7.387×10-16J)＝3.428×103
太陽の深さ4×105Km
電子のラブが1秒間に作る磁気の光子のエネルギー＝7.815×10-26Jm÷公転軌道＝7.815×10-26Jm÷(3.630×10-14m)＝2.153×10-12J
電子のラブが1秒間に作る磁気の光子のエネルギーの比＝2.153×10-12J÷(7.387×10-16J)＝2.915×103
太陽の深さ3×105Km
電子のラブが1秒間に作る磁気の光子のエネルギー＝7.815×10-26Jm÷公転軌道＝7.815×10-26Jm÷(4.618×10-14m)＝1.692×10-12J
電子のラブが1秒間に作る磁気の光子のエネルギーの比＝1.692×10-12J÷(7.387×10-16J)＝2.291×103
太陽の深さ2×105Km
電子のラブが1秒間に作る磁気の光子のエネルギー＝7.815×10-26Jm÷公転軌道＝7.815×10-26Jm÷(7.482×10-14m)＝1.045×10-12J
電子のラブが1秒間に作る磁気の光子のエネルギーの比＝1.045×10-12J÷(7.387×10-16J)＝1.415×103
太陽の深さ105Km
電子のラブが1秒間に作る磁気の光子のエネルギー＝7.815×10-26Jm÷公転軌道＝7.815×10-26Jm÷(1.058×10-13m)＝7.387×10-13J
電子のラブが1秒間に作る磁気の光子のエネルギーの比＝7.387×10-13J÷(7.387×10-16J)＝103
太陽の深さ104Km
電子のラブが1秒間に作る磁気の光子のエネルギー＝7.815×10-26Jm÷公転軌道＝7.815×10-26Jm÷(3.346×10-13m)＝2.336×10-13J
電子のラブが1秒間に作る磁気の光子のエネルギーの比＝2.336×10-13J÷(7.387×10-16J)＝3.162×102
太陽の深さ103Km
電子のラブが1秒間に作る磁気の光子のエネルギー＝7.815×10-26Jm÷公転軌道＝7.815×10-26Jm÷(1.058×10-12m)＝7.387×10-14J
電子のラブが1秒間に作る磁気の光子のエネルギーの比＝7.387×10-14J÷(7.387×10-16J)＝102
太陽の深さ4×102Km
電子のラブが1秒間に作る磁気の光子のエネルギー＝7.815×10-26Jm÷公転軌道＝7.815×10-26Jm÷(1.323×10-12m)＝5.907×10-14J
電子のラブが1秒間に作る磁気の光子のエネルギーの比＝5.907×10-14J÷(7.387×10-16J)＝7.996×10
太陽の深さ1Km
電子のラブが1秒間に作る磁気の光子のエネルギー＝7.815×10-26Jm÷公転軌道＝7.815×10-26Jm÷(1.613×10-12m)＝4.845×10-14J
電子のラブが1秒間に作る磁気の光子のエネルギーの比＝4.845×10-14J÷(7.387×10-16J)＝6.559×10
6．太陽の深さの電子のラブと電子のラブの間の引力。地表との比較。太陽の深さの物と物との間の引力。
太陽の深さの電子のラブと電子のラブの間の引力＝太陽の深さの電子のラブが1秒間に作る磁気の光子のエネルギー2÷公転軌道2
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
・太陽の深さの電子のラブと電子のラブの間の引力の比＝太陽の深さの電子のラブと電子のラブの間の引力÷地表の電子のラブと電子のラブの間の引力＝太陽の深さの電子のラブと電子のラブの間の引力÷(4.877×10-11)
太陽の深さ7×105Km
電子のラブと電子のラブの間の引力＝電子のラブが1秒間に作る磁気の光子のエネルギー2÷公転軌道2＝(2.861×10-12J)2÷(2.732×10-14m)2＝8.185×10-24J÷(7.464×10-28)m2＝1.097×104
電子のラブと電子のラブの間の引力の比＝1.097×104÷(4.877×10-11)＝2.249×1014
太陽の深さ6×105Km
電子のラブと電子のラブの間の引力＝電子のラブが1秒間に作る磁気の光子のエネルギー2÷公転軌道2＝(2.861×10-12J)2÷(2.732×10-14m)2＝8.185×10-24J÷(7.464×10-28)m2＝1.097×104
電子のラブと電子のラブの間の引力の比＝1.097×104÷(4.877×10-11)＝2.249×1014
太陽の深さ5×105Km
電子のラブと電子のラブの間の引力＝電子のラブが1秒間に作る磁気の光子のエネルギー2÷公転軌道2＝(2.532×10-12J)2÷(3.086×10-14m)2＝6.411×10-24J÷(9.523×10-28)m2＝6.732×103
電子のラブと電子のラブの間の引力の比＝6.732×103÷(4.877×10-11)＝1.380×1014
太陽の深さ4×105Km
電子のラブと電子のラブの間の引力＝電子のラブが1秒間に作る磁気の光子のエネルギー2÷公転軌道2＝(2.153×10-12J)2÷(3.630×10-14m)2＝4.635×10-24J÷(1.318×10-27)m2＝3.517×103
電子のラブと電子のラブの間の引力の比＝3.517×103÷(4.877×10-11)＝7.211×1013
太陽の深さ3×105Km
電子のラブと電子のラブの間の引力＝電子のラブが1秒間に作る磁気の光子のエネルギー2÷公転軌道2＝(1.692×10-12J)2÷(4.618×10-14m)2＝2.863×10-24J÷(2.133×10-27)m2＝1.342×103
電子のラブと電子のラブの間の引力の比＝1.342×103÷(4.877×10-11)＝2.752×1013
太陽の深さ2×105Km
電子のラブと電子のラブの間の引力＝電子のラブが1秒間に作る磁気の光子のエネルギー2÷公転軌道2＝(1.045×10-12J)2÷(7.482×10-14m)2＝1.092×10-24J÷(5.598×10-27)m2＝1.951×102
電子のラブと電子のラブの間の引力の比＝1.951×102÷(4.877×10-11)＝4.000×1012
太陽の深さ105Km
電子のラブと電子のラブの間の引力＝電子のラブが1秒間に作る磁気の光子のエネルギー2÷公転軌道2＝(7.387×10-13J)2÷(1.058×10-13m)2＝5.457×10-25J÷(1.119×10-26) m2＝4.877×10
電子のラブと電子のラブの間の引力の比＝4.877×10÷(4.877×10-11)＝1012
太陽の深さ104Km
電子のラブと電子のラブの間の引力＝電子のラブが1秒間に作る磁気の光子のエネルギー2÷公転軌道2＝(2.336×10-13J)2÷(3.346×10-13m)2＝5.457×10-26J÷(1.120×10-25)m2＝4.872×10-1
電子のラブと電子のラブの間の引力の比＝4.872×10-1÷(4.877×10-11)＝1010
太陽の深さ103Km
電子のラブと電子のラブの間の引力＝電子のラブが1秒間に作る磁気の光子のエネルギー2÷公転軌道2＝(7.387×10-14J)2÷(1.058×10-12m)2＝5.457×10-27J÷(1.119×10-24)m2＝4.877×10-3
電子のラブと電子のラブの間の引力の比＝4.877×10-3÷(4.877×10-11)＝108
太陽の深さ4×102Km
電子のラブと電子のラブの間の引力＝電子のラブが1秒間に作る磁気の光子のエネルギー2÷公転軌道2＝(5.907×10-14J)2÷(1.323×10-12m)2＝3.489×10-27J÷(1.750×10-24) m2＝1.994×10-3
電子のラブと電子のラブの間の引力の比＝1.994×10-3÷(4.877×10-11)＝4.089×107
太陽の深さ1Km
電子のラブと電子のラブの間の引力＝電子のラブが1秒間に作る磁気の光子のエネルギー2÷公転軌道2＝(4.845×10-14J)2÷(1.613×10-12m)2＝2.347×10-27J÷(2.602×10-24)m2＝9.020×10-4
電子のラブと電子のラブの間の引力の比＝9.020×10-4÷(4.877×10-11)＝1.849×107
まとめて表に示す。
太陽の深さにおける温度とAと電子のラブの軌道と電子のラブの質量エネルギーと電子のラブの密度と電子のラブが1秒間に作る磁気の光子のエネルギーと電子のラブと電子のラブの間の引力。地表との比較。
表１０
2018064437.tif 000013
2018064437.tif 000014
６．    ブラックホールの時間と空間と質量エネルギーと密度と1秒間に作る磁気の光子のエネルギー
1．2007年3月26日に提出した、特願2007−112389．「空間と時間と軌道エネルギーと引力」の「請求項4」に記した事。
ブラックホールの時間と空間は、地表の何分の1か。地表を1とするといくらか。
ブラックホールの温度を1.5×1010℃としますと、温度1/2=1.225×105℃  A=1.225×105
ブラックホールの時間と空間は、地表の1.225×105分の1です。
1÷（1.225×105）＝8.163×10−6
時間は地表を１とすると、8.163×10−6に短縮しています。
空間は地表を１とすると、8.163×10−6に縮小しています。
2．ブラックホールの陽子1個の質量エネルギーはいくらか。
ブラックホールのAは7.378×105です。
陽子のラブの軌道は、8.665×10-24Jm÷(1.503×10-10J)＝5.765×10-14m、です。
ブラックホールの陽子のラブの軌道は、5.765×10-14m÷(7.378×105)＝7.814×10-20m、です。
ブラックホールの陽子のラブの粒子の質量は、粒子の質量＝9.628×10-41Jm÷軌道＝9.628×10-41Jm÷(7.814×10-20m)＝1.232×10-21Kg、です。
ブラックホールの陽子のラブ1個の質量は1.232×10-21Kgです。
これは、ブラックホールの1個の陽子のラブの質量＝陽子のラブの質量×ブラックホールのA＝1.672×10-27Kg×7.378×105＝1.234×10-21Kg、と同じ値です。
3．ブラックホールの陽子1個が1秒間に作る磁気の光子のエネルギーはいくらか。
陽子1個が1秒間に作る磁気の光子のエネルギー＝2.323×10-32Jm÷公転軌道＝2.323×10-32Jm÷(7.814×10-20m)＝1.815×10-11Jこれは間違いです。
この値は電子のラブが太陽の中心で作るエネルギーの値に近いです。それで、ブラックホールは陽子ではない。
もしかしたら、ブラックホールは中性子達が収縮したものかもしれません。
4．ブラックホールは中性子達が収縮したものである。
ブラックホールのAは7.378×105です。
中性子のラブのエネルギー＝939.565×1.60217×10-19J×106＝1.505×10-10J
a.空間
中性子のラブの公転軌道＝8.665×10-24Jm÷(1.505×10-10J)＝5.757×10-14m
ブラックホールの中性子の公転軌道＝5.757×10-14m÷(7.378×105)＝7.803×10-20m
ブラックホールの空間は地表の何倍か。
ブラックホールの中性子の公転軌道÷中性子の地表での公転軌道＝7.803×10-20m÷(5.757×10-14m)＝1.355×10-6(倍)
時間＝秒速
地表の中性子の秒速＝3.14×5.757×10-14m×(7.96×107)2＝1.145×103m
ブラックホールの中性子の秒速＝3.14×7.803×10-20m×(7.96×107)2＝1.552×10-3m
ブラックホールの時間は地表の何倍か。
ブラックホールの中性子の秒速÷中性子の秒速＝1.552×10-3m÷(1.145×103m)＝1.355×10-6(倍)
b.質量エネルギー
地表の中性子の質量＝939.565×106×1.7827×10-36Kg＝1.675×10-27Kg
ブラックホールの中性子の質量＝1.675×10-27Kg
地表の中性子の質量エネルギー＝1.675×10-27Kg×c2＝1.675×10-27Kg×9×1016＝1.508×10-10J
ブラックホールの中性子の質量エネルギー＝9.628×10-41Jm÷(7.803×10-20m)×c2＝1.234×10-21J×9×1016＝1.111×10-4J
ブラックホールの中性子の質量エネルギー÷地表の中性子の質量エネルギー＝1.111×10-4÷(1.508×10-10J)＝7.367×105(倍)
c.密度
地表の中性子の密度＝中性子の質量÷中性子のラブの公転軌道＝1.675×10-27Kg÷(5.757×10-14m)3＝1.675×10-27Kg÷(1.908×10-40m3)＝8.779×1012
ブラックホールの中性子の密度＝ブラックホールの中性子の質量÷ブラックホールの中性子の球体の体積＝ブラックホールの中性子のラブの質量÷ブラックホールの中性子のラブの公転軌道＝1.675×10-27Kg÷(7.804×10-20m)3＝1.675×10-27Kg÷(4.753×10-58m3)＝3.524×1030     
ブラックホールの中性子の密度の比＝ブラックホールの中性子の密度÷地表の中性子の密度＝3.524×1030÷ (8.779×1012)＝4.014×1017
d. 中性子が1秒間に作る磁気の光子のエネルギー
地表の中性子が1秒間に作る磁気の光子のエネルギー＝7.815×10-26Jm÷公転軌道＝7.815×10-26Jm÷(5.757×10-14m)＝1.357×10-12J
ブラックホールの中性子が1秒間に作る磁気の光子のエネルギー＝7.815×10-26Jm÷公転軌道＝7.815×10-26Jm÷(7.804×10-20m)＝1.001×10-6J
ブラックホールの中性子が1秒間に作る磁気の光子のエネルギーは地表中性子が1秒間に作る磁気の光子のエネルギーの何倍か。
ブラックホールの中性子が1秒間に作る磁気の光子のエネルギー÷地表の中性子が1秒間に作る磁気の光子のエネルギー＝1.001×10-6J÷(1.357×10-12J)＝7.377×105(倍)
７．    ブラックホールの物と物の間の引力は地表の物と物の間の引力の何倍か。
地表の中性子のラブと中性子のラブの間の引力＝地表の中性子が1秒間に作る磁気の光子のエネルギー2÷公転軌道2＝(1.357×10-12J)2÷(5.757×10-14m)2＝1.841×10-24J÷(3.314×10-27)m2＝5.555×102
ブラックホールの中性子のラブと中性子のラブの間の引力＝ブラックホールの中性子が1秒間に作る磁気の光子のエネルギー2÷公転軌道＝(1.001×10-6J)2÷(7.804×10-20m)2＝1.002×10-12J÷(6.090×10-39)m2＝1.645×1026
ブラックホールの中性子のラブと中性子のラブの間の引力の比＝ブラックホールの中性子のラブと中性子のラブの間の引力÷地表の中性子のラブと中性子のラブの間の引力＝1.645×1026÷(5.555×102)＝2.961×1023
・地表の引力は電子のラブが作るので、電子のラブと電子のラブの間の引力で比較する。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
ブラックホールの中性子のラブと中性子のラブの間の引力は、地表の電子のラブと電子のラブの間の引力の何倍か。
ブラックホールの中性子のラブと中性子のラブの間の引力÷地表の電子のラブと電子のラブの間の引力＝1.645×1026÷(4.877×10-11)＝3.373×1036
ブラックホールの物と物の間の引力は地表の物と物の間の引力の3.373×1036倍です。
この引力が光子をも吸引する。
まとめて表に示す。
ブラックホールの空間と時間と質量エネルギーと密度と1秒間に作る磁気の光子のエネルギーと引力。地表との比較。
表１１
2018064437.tif 000015
８．    中性子星の空間と時間と質量エネルギーと密度と1秒間に作る磁気の光子のエネルギーと引力。
中性子星のAは1.965×105です。
エネルギー
中性子のラブのエネルギー＝939.565×106×1.6021765×10-19J＝1.505×10-10J
中性子星の1個の中性子のラブのエネルギー＝中性子のラブのエネルギー×中性子星のA＝1.505×10-10J×1.965×105＝2.957×10-5J
エネルギーは、2.957×10-5J÷(1.505×10-10J)＝1.965×105倍、です。
a.空間
中性子のラブの公転軌道＝8.665×10-24Jm÷(1.505×10-10J)＝5.757×10-14m
中性子星の1個の中性子のラブの公転軌道＝中性子のラブの公転軌道÷中性子星のA ＝5.757×10-14m÷(1.965×105)＝2.930×10-19m
空間は、2.930×10-19m÷(5.757×10-14m)＝5.089×10-6、倍です。
時間
中性子のラブの秒速＝3.14×公転軌道×1秒間の公転数＝3.14×5.757×10-14m×(7.96×107)2＝1.145×103m
中性子星の1個の中性子のラブの秒速＝3.14×2.930×10-19m×(7.96×107)2＝5.829×10-3m
時間は、5.829×10-3m÷(1.145×103m)＝5.091×10-6倍、です。
b.質量エネルギー
地表の中性子のラブの質量＝939.565×106×1.7827×10-36Kg＝1.675×10-27Kg
中性子星の中性子のラブの質量＝1.675×10-27Kg
地表の中性子のラブの質量エネルギー＝1.675×10-27Kg×ｃ2＝1.675×10-27Kg×9×1016＝1.508×10-10J
中性子星の中性子のラブの質量エネルギー＝9.628×10-41Jm÷(2.930×10-19m)×c2＝3.286×10-22J×9×1016＝2.957×10-5J
中性子星の中性子の質量エネルギー÷地表の中性子の質量エネルギー＝2.957×10-5J÷(1.508×10-10J)＝1.961×105
c.密度
地表の中性子の密度＝中性子の質量÷中性子のラブの公転軌道＝1.675×10-27Kg÷(5.757×10-14m)3＝1.675×10-27Kg÷(1.908×10-40m3)＝8.779×1012
中性子星の中性子の密度＝中性子星の中性子の質量÷中性子星の中性子の球体の体積＝中性子星の中性子のラブの質量÷中性子星の中性子のラブの公転軌道＝1.675×10-27Kg÷(2.930×10-19m)3＝1.675×10-27Kg÷(2.515×10-56m3)＝6.660×1028
中性子星の中性子の密度の比＝中性子星の中性子の密度÷地表の中性子の密度＝6.660×1028÷ (8.779×1012)＝7.586×1015
d..引力
地表の中性子のラブが1秒間に作る磁気の光子のエネルギー＝7.815×10-26Jm÷公転軌道＝7.815×10-26Jm÷(5.757×10-14m)＝1.357×10-12J
中性子星の1個の中性子のラブが1秒間に作る磁気の光子のエネルギー＝7.815×10-26Jm÷公転軌道＝7.815×10-26Jm÷(2.930×10-19m)＝2.667×10-7J
中性子のラブが1秒間に作る磁気の光子のエネルギーは地表の中性子のラブが1秒間に作る磁気の光子のエネルギーの何倍か。
中性子星の1個の中性子のラブが1秒間に作る磁気の光子のエネルギー÷地表の中性子のラブが1秒間に作る磁気の光子のエネルギー＝2.667×10-7J÷(1.357×10-12J)＝1.965×105(倍)
９．    中性子星の物と物との間の引力は地表の物と物との間の引力の何倍か。
地表の中性子のラブと中性子のラブの間の引力＝地表の中性子が1秒間に作る磁気の光子のエネルギー2÷公転軌道2＝(1.357×10-12J)2÷(5.757×10-14m)2＝1.841×10-24J÷(3.314×10-27)m2＝5.555×102
中性子星の中性子のラブと中性子のラブの間の引力＝中性子星の中性子が1秒間に作る磁気の光子のエネルギー2÷公転軌道2＝ (2.667×10-7J)2÷(2.930×10-19m)2＝7.113
×10-14J÷(8.585×10-38)m2＝8.285×1023
中性子星の中性子のラブと中性子のラブの間の引力の比＝中性子星の中性子のラブと中性子のラブの間の引力÷地表の中性子のラブと中性子のラブの間の引力＝8.285×1023÷(5.555×102)＝1.491×1021
・地表の引力は電子のラブが作るので、電子のラブと電子のラブの間の引力で比較する。
地表の電子のラブと電子のラブの間の引力＝地表の電子のラブが1秒間に作る磁気の光子のエネルギー2÷地表の電子のラブの公転軌道2＝(7.387×10-16J)2÷(1.058×10-10m)2＝5.457×10-31÷(1.119×10-20)＝4.877×10-11
中性子星の中性子のラブと中性子のラブの間の引力は、地表の電子のラブと電子のラブの間の引力の何倍か。
中性子星の中性子のラブと中性子のラブの間の引力÷地表の電子のラブと電子のラブの間の引力＝8.285×1023÷(4.877×10-11)＝1.760×1034
中性子星の引力は地表の引力の1.760×1034倍です。
この引力が光子をも吸引する。
まとめて表に示す。
中性子星の空間と時間と質量エネルギーと密度と1秒間に作る磁気の光子のエネルギーと引力。地表との比較。
表１２
2018064437.tif 000016
１０．    ブラックホールのジェットは何によりできるか。ブラックホールの吸引力は何によりできるか。重力波はどのようにできるか。ブラックホールのジェットと吸引力と重力波の発生原理。
ブラックホールのジェットは吸い込む面に対して垂直の方向に噴射する。
ブラックホールの吸引力は磁気の光子の引力による。
磁気の光子の作用方向に対して、垂直の方向に働くのは電気の光子である。
即ち、ブラックホールのジェットは磁気の光子の作用方向に対して、垂直の方向に働くので、電気の光子の作用です。
ブラックホールのジェットは電気の光子の作用方向であり、電気の光子が作用している。
1公転で作る電気の光子のエネルギーと磁気の光子のエネルギーは、等しい。
よって、磁気の光子の働きである引力になる引くエネルギーと、電気の光子の働きである噴出するエネルギーは等しい。
ブラックホールの中性子のラブが1秒間に作る磁気の光子は、1.001×10-6Jで、この磁気の光子は引力に成る。
ブラックホールの中性子のラブが1秒間に作る電気の光子は、1.001×10-6Jで、この電気の光子は噴出力に成る。
重力波はブラックホールから発生する磁気の光子の波動です。
ブラックホールの中性子のラブが1秒間に作る磁気の光子は、1.001×10-6Jで、この磁気の光子が集まって重力波に成る。
例えば、ブラックホールの質量が10ｎ太陽質量の場合、ブラックホールの中性子数は、太陽の原子数×10ｎ個で、1秒間にできる磁気の光子のエネルギーは、太陽の原子数×10ｎ×10-6Jです。毎秒この磁気の光子のエネルギーが重力波として、ブラックホールから出る。毎秒この磁気の光子のエネルギーが引力に成る。
ブラックホールの質量が10ｎ太陽質量の場合、ブラックホールの中性子数は、太陽の原子数×10ｎ個で、1秒間にできる電気の光子のエネルギーは、太陽の原子数×10ｎ×10-6Jです。毎秒この電気の光子のエネルギーがジェットとして出る。
即ち、ブラックホールの引力のエネルギーとジェットのエネルギーは等しい。
１１．    中性子星のジェットは何によりできるか。中性子星の引力は何によりできるか。重力波はどのようにできるか。中性子星のジェットと引力と重力波の発生原理。
中性子星のジェットは中性子星の中の中性子のラブが作る電気の光子によりできる。中性子星の中性子のラブが1秒間に作る電気の光子は2.667×10-7Jです。この電気の光子のエネルギーが中性子星のジェットに成る。
中性子星の引力は中性子星の中の中性子のラブが作る磁気の光子によりできる。中性子星の中性子のラブが1秒間に作る磁気の光子は2.667×10-7Jです。この磁気の光子のエネルギーが中性子星の引力に成る。
中性子星の中の中性子のラブが作る電気の光子と磁気の光子の作用方向は垂直であり、ジェットと引力の作用方向も垂直である。
中性子星から出る重力波は、中性子星の中の中性子のラブが作る磁気の光子です。1秒間に作る磁気の光子は2.667×10-7Jです。この磁気の光子のエネルギーが中性子星から軌道状に伝播する。
中性子星の質量が10m太陽質量だとすると、1秒間に放出する磁気の光子は、太陽の原子数×10m×2.667×10-7Jです。このエネルギーが引力に成り、重力波になる。
中性子星の質量が10m太陽質量だとすると、1秒間に放出する電気の光子は、太陽の原子数×10m×2.667×10-7Jです。このエネルギーが中性子星のジェットと中性子星のパルサーに成る。
即ち、中性子星の引力のエネルギーとジェットのエネルギーは等しい。
中性子星のパルサーはエネルギーが弱い中性子星から噴出する電気の光子です。
まとめて表に示す。
ブラックホールの質量が10ｎ太陽質量の場合のブラックホールの引力と重力波とジェットのエネルギー
中性子星の質量が10m太陽質量の場合の中性子星の引力と重力波とジェットのエネルギー
表１３
2018064437.tif 000017
１２．    ビッグバンから電磁気の解体はどのように進んだか。背景放射から考える。その2。背景放射の波長の長さの拡大は、空間の拡大による。
2015年12月15日に提出した、特願2015-244677、「マイナスの宇宙３」の「請求項１９」に次のように記した。
(ビッグバンから電磁気の解体はどのように進んだか。背景放射から考える。
背景放射の波長は、2×10−3mで、温度は、2.73Kです。
背景放射の軌道は2×10−3m÷2＝10−3m、です。
背景放射のエネルギーは、2.73×1.38065×10−23J=3.769×10−23J、です。
ビッグバンで放出した電磁気は外部の環境にあわせたエネルギー体に変化した。
その温度は、2.73Kです。そのエネルギーは3.769×10−23Jです。軌道は3.269×10−19mです。これがインフレ―ションです。
ビッグバンで放出した、電子のラブに成るはずの電磁気1個のエネルギーは1.256×10-9Jで、軌道は9.817×10−33mです。
ビッグバンで放出した、陽子のラブに成るはずの電磁気1個のエネルギーは2.306×10−6Jで、軌道は5.347×10−36mです。
この電磁気は外部の環境にあわせたエネルギー体に変化しその温度は、2.73Kに成った。そのエネルギーは3.769×10−23Jに成った。軌道は3.269×10−19mに成った。
電子のラブに成るはずの電磁気1個のエネルギーは、1.256×10-9J÷(3.769×10−23J)＝3.332×1013分の1に成り、軌道は、3.332×1013倍に成り、9.817×10−33m×3.332×1013＝3.269×10−19m、に成った。
陽子のラブに成るはずの電磁気1個のエネルギーは、2.306×10−6J÷(3.769×10−23J)＝6.118×1016分の1に成り、軌道は、6.118×1016倍に成り、5.347×10−36m×6.118×1016＝3.271×10−19m、に成った。
更に軌道は10−3mに成り、10−3m÷(3.269×10−19m)＝3.059×1015倍に成った。
ビッグバンで放出した、電子のラブに成るはずの電磁気1個はどのように変化したか。ビッグバンで放出した、陽子のラブに成るはずの電磁気1個はどのように変化したか。
表１４
2018064437.tif 000018
)
今回は、更に軌道は10−3mに成り、10−3m÷(3.269×10−19m)＝3.059×1015倍に成った事について考察する。
１．背景放射の波長の長さの拡大は、空間の拡大による。
空間が大きく成り、電磁気の波長の長さが長くなったためです。
ビッグバンの時10-24mの公転軌道であった電子のラブの公転軌道は地表で、1.058×10-10mに成った。公転軌道は、1.058×10-10m÷10-24m＝1.058×1014倍に成った。
空間は、1.058×1014倍に成った。
それで、インフレーションで、3.269×10-19mの電磁気の軌道は、1.058×1014倍に成り、3.269×10-19m×1.058×1014＝3.459×10-4mに成った。
この波長は、軌道の2倍ですから、2×3.459×10-4m＝6.918×10-4m、です。
更に波長は、ほぼ直線になり、3.14倍の長さに成っているので、6.918×10-4m×3.14＝2.172×10-3mに成った。
背景放射の波長が2×10-3mであるのは、空間が広がったためです。長さが長く成ったためです。
１３．    A=2.343×109の場合(1.821×10-19Jを基本電磁気とするとき)、１Jの電子のラブができ、電子のラブの軌道は10−24mになった。電磁気は膨張した事に成ります。10−24m÷(6.771×10−41m)＝1.477×1016倍に膨張した事に成ります。質量エネルギー＝9.628×10-41Jm÷軌道×=c2の意味する事。その2
2015年12月15日に提出した、特願2015-244677の「請求項1４」に於いて、A=2.343×109の場合(1.821×10-19Jを基本電磁気とするとき)、１Jの電子のラブができ、電子のラブの軌道は10−24mになった。電磁気は膨張した事に成ります。10−24m÷(6.771×10−41m)＝1.477×1016倍に膨張した事に成ると記した。これはその再考察です。
A=2.343×109の場合(1.821×10-19Jを基本電磁気とするとき)、１Jの電子のラブができ、電子のラブの軌道は10−24mになった。電磁気は膨張した事に成ります。
何倍に電磁気は膨張したか。
A=2.343×109の場合(1.821×10-19Jを基本電磁気とするとき)、１Jの電子のラブができるとき、電磁気の軌道は、1.233×10-41Jm÷１J＝1.233×10-41m、です。
その1.233×10-41mの軌道の電磁気が、１Jの電子のラブに成り、電子のラブの軌道は10−24mに成ったのですから、軌道が1.233×10-41mの物から、軌道が10−24mに成ったのですから、
軌道の大きさは、10−24m÷(1.233×10-41m)＝8.110×1016倍に成った。
電磁気は粒子(高エネルギーの電磁気)に成り、軌道は、8.110×1016倍に膨張した。
○この事により、粒子は電磁気の8.110×1016倍(c2倍)のエネルギーを持つ電磁気である事が理解できる。
E=mc2ではなく、
質量エネルギー＝9.628×10-41Jm÷軌道×c2、です。
A=2.343×109の場合(1.821×10-19Jを基本電磁気とするとき)、1836Jの陽子のラブができるとき、電磁気の軌道は、1.233×10-41Jm÷1836J＝6.716×10-45m、です。
その6.716×10-45mの軌道の電磁気が、1836Jの陽子のラブに成り、陽子のラブの軌道は、8.665×10-24Jm÷1836J＝4.719×10-27mになった。電磁気は膨張した事に成ります。
何倍に電磁気は膨張したか。
電磁気から陽子のラブができるとき、
軌道の大きさは、4.719×10-27m÷(6.716×10-45m)＝7.027×1017倍に膨張した。
特願2015-244677の「請求項1４」の表を次のように訂正する。
表1５
2018064437.tif 000019
2018064437.tif 000020
【産業上の利用可能性】
【０００９】
素粒子を知ることは産業の発展に役立つ。
【符号の説明】
【００１０】
１    ブラックホール
２    ジェット
３    吸い込む面
４    磁気の光子の引力
５    電気の光子
６    重力波
７    電子のラブの公転軌道が10-23mの宇宙に於いて、時間と空間は9.452×10-14倍。質量エネルギーと引力は1.058×1013倍、密度は1.184×1039倍、物と物との間の引力は1.252×1052倍
８    電子のラブの公転軌道が10-22mの宇宙に於いて、時間と空間は9.452×10-13倍。質量エネルギーと引力は1.058×1012倍、密度は1.184×1036倍、物と物との間の引力は1.252×1048倍
９    電子のラブの公転軌道が10-21mの宇宙に於いて、時間と空間は9.452×10-12倍。質量エネルギーと引力は1.058×1011倍、密度は1.184×1033倍、物と物との間の引力は1.252×1044倍
１０    電子のラブの公転軌道が10-20mの宇宙に於いて、時間と空間は9.452×10-11倍。質量エネルギーと引力は1.058×1010倍、密度は1.184×1030倍、物と物との間の引力は1.252×1040倍
１１    電子のラブの公転軌道が10-19mの宇宙に於いて、時間と空間は9.452×10-10倍。質量エネルギーと引力は1.058×109倍、密度は1.184×1027倍、物と物との間の引力は1.252×1036倍
１２    電子のラブの公転軌道が10-18mの宇宙に於いて、時間と空間は9.452×10-9倍。質量エネルギーと引力は1.058×108倍、密度は1.184×1024倍、物と物との間の引力は1.252×1032倍
１３    電子のラブの公転軌道が10-17mの宇宙に於いて、時間と空間は9.452×10-8倍。質量エネルギーと引力は1.058×107倍、密度は1.184×1021倍、物と物との間の引力は1.252×1028倍
１４    電子のラブの公転軌道が10-16mの宇宙に於いて、時間と空間は9.452×10-7倍。質量エネルギーと引力は1.058×106倍、密度は1.184×1018倍、物と物との間の引力は1.252×1024倍
１５    電子のラブの公転軌道が10-15mの宇宙に於いて、時間と空間は9.452×10-6倍。質量エネルギーと引力は1.058×105倍、密度は1.184×1015倍、物と物との間の引力は1.252×1020倍
１６    電子のラブの公転軌道が10-14mの宇宙に於いて、時間と空間は9.452×10-5倍。質量エネルギーと引力は1.058×104倍、密度は1.184×1012倍、物と物との間の引力は1.252×1016倍
１７    電子のラブの公転軌道が10-13mの宇宙に於いて、時間と空間は9.452×10-4倍。質量エネルギーと引力は1.058×103倍、密度は1.184×109倍、物と物との間の引力は1.252×1012倍
１８    電子のラブの公転軌道が10-12mの宇宙に於いて、時間と空間は9.452×10-3倍。質量エネルギーと引力は1.058×102倍、密度は1.184×106倍、物と物との間の引力は1.252×108倍
１９    電子のラブの公転軌道が10-11mの宇宙に於いて、時間と空間は9.452×10-2倍。質量エネルギーと引力は1.058×10倍、密度は1.184×103倍、物と物との間の引力は1.252×104倍
２０    電子のラブの公転軌道が10-10mの宇宙に於いて、時間と空間は9.452×10-1倍。質量エネルギーと引力は1.058倍、密度は1.184倍、物と物との間の引力は1.252倍
２１    電子のラブの公転軌道が10-9mの宇宙に於いて、時間と空間は9.452倍。質量エネルギーと引力は1.058×10-1倍、密度は1.184×10-3倍、物と物との間の引力は1.252×10-4倍
【図１】
2018064437.tif 000039
【図２】
2018064437.tif 000040